(57)【要約】【課題】アナログ的なデータの入力を簡単且つ直感的な操作によって行うことができる表示入力装置及びこれを備えた表示入力システムを提供することを目的とする。【解決手段】柔軟性を有する表示部（２０）と、前記柔軟性に起因した変位を電気的な特性の変化として検出可能な形状変化検出部（３０）と、を備えたことを特徴とする表示入力装置を提供する。またさらに、この表示部に画像表示信号を与える表示駆動部と、形状変化検出部における電気的な特性の変化に基づいて、変位に対応した入力データを判定する信号判定部と、を備え、表示入力装置に対して変位を加えることにより第１のデータの入力を可能としたことを特徴とする表示入力システムを提供する。【選択図】　　図１
2004046792.tif 000002
【特許請求の範囲】
【請求項１】
柔軟性を有する表示部と、
前記柔軟性に起因した変位を電気的な特性の変化として検出可能な第１の形状変化検出部と、
を備えたことを特徴とする表示入力装置。
【請求項２】
前記第１の形状変化検出部は、前記表示部に積層されたことを特徴とする請求項１記載の表示入力装置。
【請求項３】
前記第１の形状変化検出部は、前記表示部の表示面に近接して延在していることを特徴とする請求項１記載の表示入力装置。
【請求項４】
前記電気的な特性の変化は、前記変位の量に依存することを特徴とする請求項１〜３のいずれか１つに記載の表示入力装置。
【請求項５】
前記第１の形状変化検出部は、一対の導電層と、それらの間に設けられた感知層と、を有し、前記変位が加えられた時に前記一対の導電層の間の抵抗が変化することを特徴とする請求項１〜４のいずれか１つに記載の表示入力装置。
【請求項６】
前記第１の形状変化検出部は、複数の分割領域からなり、それら分割領域のそれぞれは、前記変位を独立に検出可能であることを特徴とする請求項１〜５のいずれか１つに記載の表示入力装置。
【請求項７】
前記第１の形状変化検出部または前記表示部に積層された第２の形状変化検出部をさらに備えたことを特徴とする請求項１〜６のいずれか１つに記載の表示入力装置。
【請求項８】
前記表示部は、柔軟性を有する材料からなる一対の基板を有し、
前記形状変化検出部は、柔軟性を有する材料からなる一対の基板を有し、
前記表示部と前記形状変化検出部とが接着されてなることを特徴とする請求項１〜７のいずれか１つに記載の表示入力装置。
【請求項９】
前記表示部は、柔軟性を有する材料からなる一対の基板を有し、
前記形状変化検出部は、前記一対の基板の間に設けられたことを特徴とする請求項１〜７のいずれか１つに記載の表示入力装置。
【請求項１０】
請求項１記載の表示入力装置と、
前記表示部に画像表示信号を与える表示駆動部と、
前記第１の形状変化検出部における前記電気的な特性の変化に基づいて、前記変位に対応した入力データを判定する信号判定部と、
を備え、
前記表示入力装置に対して前記変位を加えることにより第１のデータの入力を可能としたことを特徴とする表示入力システム。
【請求項１１】
請求項４記載の表示入力装置と、
前記表示部に画像表示信号を与える表示駆動部と、
前記第１の形状変化検出部における前記電気的な特性の変化に基づいて、前記変位に対応した入力データを判定する信号判定部と、
を備え、
前記変位の量に応じて連続的に変化する前記電気的な特性を数値変換して第１のデータとすることを特徴とする表示入力システム。
【請求項１２】
請求項７記載の表示入力装置と、
前記表示部に画像表示信号を与える表示駆動部と、
前記第１の形状変化検出部及び第２の形状変化検出部における前記電気的な特性の変化に基づいて、前記変位に対応した入力データを判定する信号判定部と、
を備え、
前記変位を加えることにより、前記第１の形状変化検出部と前記第２の形状変化検出部の電気的な特性の変化の違いに依存した第１のデータの入力を可能としたことを特徴とする表示入力システム。
【請求項１３】
前記信号判定部は、前記変位の速度または加速度に基づいて前記入力データを判定することを特徴とする請求項１０〜１２のいずれか１つに記載の表示入力システム。
【請求項１４】
使用者の操作により第２のデータの入力が可能なデータ入力部をさらに備え、前記データ入力部に入力される前記第２のデータに基づいて、前記第１のデータの入力の可否を決定することを特徴とする請求項１０〜１２のいずれか１つに記載の表示入力システム。
【請求項１５】
前記表示入力装置の姿勢の変化を検出する姿勢変化検出部をさらに備え、前記信号判定部は、前記姿勢変化検出部により検出される前記姿勢の変化を加味して前記入力データを判定することを特徴とする請求項１０〜１２のいずれか１つに記載の表示入力システム。
【請求項１６】
前記形状変化検出部は、前記表示部の表示面に近接して延在していることを特徴とする請求項１０〜１２のいずれか１つに記載の表示入力システム。
【発明の詳細な説明】
【０００１】
【発明の属する技術分野】
本発明は、表示入力装置及び表示入力システムに関し、特に、形状変化に対して柔軟性を有する表示部と形状変化を検知できる入力部とを組み合わせることによりデジタル情報のみならずアナログ情報またはベクトル情報も情報を入力することが可能な表示入力装置及びこれを備えた表示入力システムに関する。
【０００２】
【従来の技術】
表示装置と組み合わされる入力装置として現在広く用いられているものとしては、例えば、「タッチパネル」を挙げることができる。これは、例えば、表示画面上にマトリックス状の信号入力機構を形成し、信号入力の有無とその座標位置とを検知することにより信号入力を行うものである。すなわち、使用者は、表示装置側にボタン表示などに対応した位置の検出部に接触することによって、機器側は、その位置情報と入力の有無とを検知することができるようになっている。
【０００３】
このような入力方法では、座標位置は検知可能であるが、その信号は、実質的にオン／オフの２値信号に限られる。使用者が押圧力まで精密に制御しつつ接触することは、容易でないからである。このため、多値情報やアナログ情報を入力する際には、例えば、そのボタン表示位置に対応する信号量として、別途、数値選択型入力やテンキー入力などの手法を組み合わせる必要がある。つまり、使用者側の立場からみると、多値あるいはアナログ値入力の場合は、入力項目の選択とアナログ値の入力とを別途に行う必要がある。
【０００４】
また一方、近年、紙を意識した電子ペーパーとよばれる紙と電子ディスプレイの長所をあわせ持つ表示部材の研究・開発が行われるようになり（例えば、特許文献１）、製品化にはまだ及ばないものの、試作レベルの装置が見られるようになってきている。
【０００５】
【特許文献１】
特開２００２−７２２５７号公報
【０００６】
【発明が解決しようとする課題】
しかしながら、特に、携帯性を重視した機器などの場合、その使用形態の観点から、できるだけ簡単な操作で多くの情報を入力できることが望ましい。このような携帯機器としては、例えば、現在、開発が進められている「電子ブック」を挙げることができる。電子ブックを用いて、小説や雑誌あるいは新聞などのコンテンツを再生する場合には、ページをめくり、あるいは表示画面をスクロールすることが主要な動作となる。この動作のために、従来例のようなタッチパネル式入力方法を用いることも可能ではある。しかし、雑誌や新聞のようなコンテンツの場合には、内容が多岐にわたり離散的であるため、数ページや数十ページを飛び越えたランダムアクセスが求められることになり、ページ数あるいはスクロール量といったような多値またはアナログ値入力機能が必要となる。このとき、従来のテンキー入力や数値選択型入力では、その操作性も携帯性も制限されることになる。
【０００７】
また、地図のように広い面積に表示される情報においては、表示装置の面積や精細度の観点からその一部が表示され、スクロール機能などによって使用者が得たい位置を検索する方法が広く用いられている。このとき、マウスやポインティングデバイスによる入力デバイスを具備する機器では、そのスクロール方向とその移動量をアナログ入力することができる。しかし、携帯機器においては、タッチパネルを主として入力デバイスとして用いているため、任意の画面スクロール方向とその移動量を容易に入力することが難しい。
【０００８】
このように、従来の表示装置に付加させた入力装置では、アナログ値としての信号量を入力する簡易的な方法がないため、例えば、数十ページに渡りページを越えて表示を切り換える場合には、入力の際に両手が必要なことや多くの操作を使用者側に要求することになり、使用者側の負担が増大している。
【０００９】
本発明は、かかる課題の認識に基づいてなされたものであり、その目的は、独自の発想に基づき、アナログデータやベクトルデータの入力を簡単且つ直感的な操作によって行うことができる表示入力装置及びこれを備えた表示入力システムを提供することにある。
【課題を解決するための手段】
上記目的を達成するため、本発明の表紙入力装置は、柔軟性を有する表示部と、　前記柔軟性に起因した変位を電気的な特性の変化として検出可能な第１の形状変化検出部と、を備えたことを特徴とする。
【００１０】
上記構成によれば、アナログデータやベクトルデータの入力を簡単且つ直感的な操作によって行うことができる表示入力装置を提供することができる。
【００１１】
ここで、前記第１の形状変化検出部は、前記表示部に積層されたものとするとができる。
また、前記第１の形状変化検出部は、前記表示部の表示面に近接して延在しているものとすることができる。
また、前記電気的な特性の変化は、前記変位の量に依存するものとすることができる。
また、前記第１の形状変化検出部は、一対の導電層と、それらの間に設けられた感知層と、を有し、前記変位が加えられた時に前記一対の導電層の間の抵抗が変化するものとすることができる。
前記第１の形状変化検出部は、複数の分割領域からなり、それら分割領域のそれぞれは、前記変位を独立に検出可能であるものとすることができる。
【００１２】
また、前記第１の形状変化検出部または前記表示部に積層された第２の形状変化検出部をさらに備えたものとすることができる。
また、前記表示部は、柔軟性を有する材料からなる一対の基板を有し、前記形状変化検出部は、柔軟性を有する材料からなる一対の基板を有し、前記表示部と前記形状変化検出部とが接着されてなるものとすることができる。
【００１３】
また、前記表示部は、柔軟性を有する材料からなる一対の基板を有し、前記形状変化検出部は、前記一対の基板の間に設けられたものとすることができる。
【００１４】
一方、本発明の第１の表示入力システムは、前記第１の表示入力装置と、前記表示部に画像表示信号を与える表示駆動部と、前記第１の形状変化検出部における前記電気的な特性の変化に基づいて、前記変位に対応した入力データを判定する信号判定部と、を備え、前記表示入力装置に対して前記変位を加えることにより第１のデータの入力を可能としたことを特徴とする。
【００１５】
上記構成によっても、アナログデータやベクトルデータの入力を簡単且つ直感的な操作によって行うことができる表示入力システムを提供することができる。
【００１６】
また、このシステムにおいても、前記電気的な特性の変化は、前記変位の量に依存するものとすることができる。
【００１７】
また、このシステムにおいても、前記第１の形状変化検出部または前記表示部に積層された第２の形状変化検出部をさらに備えたものとし、前記変位を加えることにより、前記第１の形状変化検出部と前記第２の形状変化検出部の電気的な特性の変化の違いに依存した第１のデータの入力を可能とすることができる。
【００１８】
ここで、前記信号判定部は、前記変位の速度または加速度に基づいて前記入力データを判定するものとすることができる。
【００１９】
また、使用者の操作により第２のデータの入力が可能なデータ入力部をさらに備え、前記データ入力部に入力される前記第２のデータに基づいて、前記第１のデータの入力の可否を決定するものとすることができる。
【００２０】
また、前記表示入力装置の姿勢の変化を検出する姿勢変化検出部をさらに備え、前記信号判定部は、前記姿勢変化検出部により検出される前記姿勢の変化を加味して前記入力データを判定するものとすることができる。
【００２１】
また、前記形状変化検出部は、前記表示部の表示面に近接して延在しているものとすることができる。
【００２２】
なお、本願明細書において、「柔軟性に起因した変位」とは、「曲げ」、「丸め」、「めくり」、「ねじり」などの形状変化に伴う変位をいうものとする。従来のタッチパネル式センサのように、センサ面に接触することによりデータ入力を行うものの場合には、センサ面を強く押圧することにより、僅かに凹む場合がありうる。しかし、このような僅かな凹みなどは、本願明細書における「柔軟性に起因した変位」には含まれない。
【００２３】
【発明の実施の形態】
以下、図面を参照しつつ、本発明の実施の形態について詳細に説明する。
【００２４】
図１は、本発明の実施の形態にかかる表示入力システムを表す概念図である。すなわち、本実施形態の表示入力システムは、表示入力装置１０と、駆動判定部１２とを有する。
【００２５】
表示入力装置１０は、例えば、表示部２０と、形状変化検出部３０と、が積層された構造を有する。表示部２０の表示方式としては、例えば、液晶を用いるものや、ＥＬ（ｅｌｃｔｒｏｌｕｍｉｎｅｓｃｅｎｃｅ）を用いるもの、あるいはＥＣＤ（ｅｌｅｃｔｒｏｃｈｒｏｍｉｃ　ｄｅｖｉｃｅ）方式を始めとする各種の方式を用いることが可能である。また、各表示部の駆動方式についても、単純マトリクス方式、２端子素子を用いたアクティブマトリクス方式、３端子素子を用いたアクティブマトリクス方式などの各種の駆動方式を用いることが可能である。
【００２６】
一方、形状変化検出部３０は、例えば、一対の電極層の間に印加された応力により抵抗値が変化するような感知層が挿入された構造を有する。そして、柔軟性を有する表示入力装置１０に対して「曲げ」や「丸め」、「めくり」、「ねじり」などの変形が加えられると、形状変化検出部３０は、このような変形を電気的な特性の変化として検出することができる。
【００２７】
なお、後に詳述するように、これら表示部２０と形状変化検出部３０とは、その一部を共通化したり、あるいは表示部２０の中に形状変化検出部３０を組み込んだり、逆に形状変化検出部３０の中に表示部２０を組み込んだりしてもよい。
【００２８】
またさらに、表示部２０と形状変化検出部３０とは、図１の如くそれらの全体が完全に積層されている必要はない。後に図１４などに関して説明するように、表示部２０の一部のみに形状変化検出部３０が積層されていてもよい。また、図５１などに関して説明するように、表示部２０と形状変化検出部３０とが積層されておらず、近接して配置されていてもよい。
【００２９】
一方、駆動判定部１２は、表示駆動部１２０と信号判定部１３０とを有する。表示駆動部１２０は、表示部２０に画像表示信号を出力して所定の画像を表示させる役割を有する。一方、信号判定部１３０は、形状変化検出部３０から受けとる信号に基づき、入力された情報を判定する。これら表示駆動部１２０や信号判定部１３０は、表示入力装置１０の一部として一体的に組み込まれていてもよいし、別体の要素として表示入力装置１０の外部に設けてもよい。
【００３０】
表示部２０と形状変化検出部３０は、「曲げ」に対する柔軟性を有する。そして、本発明においては、所定のデータを入力するために、この表示入力装置１０に対して外部から応力を加えて、「曲げ」Ｂのような変形を加える。すると、形状変化検出部３０がこの「曲げ」Ｂを検知し、その方向や応力量に関する信号を出力する。すなわち、「曲げ」の量に応じたアナログ出力を与える。信号判定部１３０は、このアナログ信号を、例えば電圧値など外部機器への出力に適した信号に変換して出力することにより、入力されたデータを判定する。
【００３１】
ここで、「曲げ」Ｂが加えられる場所は、表示部２０のうちの画像表示領域（図示せず）であってもよく、または、画像表示部以外の領域であってもよい。但し、後に詳述するように、画像表示領域において「曲げ」Ｂを検出できるようにすれば、画像表示とデータ入力の位置とを連動させた各種のデータ入力が可能となる。
【００３２】
また、「曲げ」Ｂを加える場所は、表示入力装置の中央付近であってもよい。またあるいは、表示入力装置１０の全体に亘って凹状あるいは凸状となるような「曲げ」を加えてもよい。
【００３３】
表示部２０及び形状変化検出部３０の支持基板として、プラスチックフィルムなどの有機材料からなる基板を用いると、軽量化や対衝撃性の向上だけでなく、「曲げ」に対する柔軟性も優れたものとなる。つまり、外部からの応力を印加することにより、形状変化検出部３０に「曲げ」を加えて変形することが可能となる。表示入力装置の使用者は、片手あるいは両手で表示入力装置１０を保持し、「曲げ」を加える位置や、曲げ具合、曲げる面積などを任意量調整することができる。
【００３４】
例えば、使用者が、Ａ４サイズのフィルム状の表示入力装置１０を左手で保持した場合を例に挙げると、フィルムの向かって左側の上端付近に「曲げ」を加えるのかそれとも下端付近に「曲げ」を加えるのか、また、「曲げ」を加える際の力の入れ具合、曲げる際の曲率、曲げる際の速度または加速度などとして、アナログ的に入力することができる。これらの情報を、形状変化検出部３０の電気信号変換可能な機能により検知し、信号判定部１３０において信号処理することにより、使用者が左手で入力した情報を判定できる。
【００３５】
図２は、本発明の表示入力装置の基本的な断面構成を例示する模式図である。すなわち、同図（ａ）に例示した如く、使用者２００から見て、表示部２０の裏面側に形状変化検出部３０を積層させることができる。この場合、例えば表示部２０に反射型液晶モードなどを用いると、形状変化検出部３０は透光性を有する必要がなくなるので、遮光性の材料により形成することができる。
【００３６】
一方、図２（ｂ）に例示したように、使用者２００から見て、表示部２０の表面側に形状変化検出部３０を積層させてもよい。この場合は、表示部２０の表示を遮ることがないよう、形状変化検出部３０は所定の透光性を有することが必要になる。
【００３７】
図３は、本発明においてアナログ的に入力を行う原理を表す模式図である。すなわち、同図は、本発明の表示入力装置の一端を表す斜視図である。
【００３８】
「曲げ」を加えない状態において、表示入力装置（形状変化検出部３０）は、略平坦な状態３０Ａにあるものとする。この状態から、下方に向けて矢印−ａにより表される大きさの応力を印加すると、所定量の「曲げ」が加えられた状態３０Ｂとなる。一方、やはり下方に向けて矢印−ｂにより表される大きさの応力を印加すると、さらに大きな「曲げ」が加えられた状態３０Ｃが形成される。本発明においては、例えば、この「曲げ」に伴う変位量の大きさやその面積、またはそれらの積により、それに対応したアナログ的な情報の入力が可能となる。
【００３９】
また一方、本発明においては、「曲げ」に伴う変位量とは別に、「曲げ」の速度または加速度により、情報を入力することも可能である。例えば、図４に表したように、初期状態３０Ａから最終状態３０Ｃにまで「曲げ」を加える場合において、長い時間をかけてゆっくり「曲げ」を加えた場合（矢印−ｂ１）と、短時間に迅速に「曲げ」を加えた場合とで、情報の入力量を変えることができる。具体的には、例えば、迅速に「曲げ」を加えた場合（矢印−ｂ２）には、入力量を大きくするようにしてもよい。
【００４０】
このような「曲げ」の速度または加速度は、変位量の時間変化を調べることにより検出することができる。
【００４１】
図５は、本発明において「曲げ」の方向により入力を区別する原理を表す模式図である。すなわち、同図も、本発明の表示入力装置の一端を表す斜視図である。
【００４２】
同図に例示したように、表示入力装置１０の端部に「曲げ」を加える場合、矢印＋ａの方向すなわち上方に曲げる（３０Ｂ）こともできるし、矢印−ａの方向すなわち下方に曲げる（３０Ｃ）こともできる。そして、このように「曲げ」の方向に応じて、入力するデータの符号を区別したり、範囲を拡げたり、あるいは種類を増やしたりするとができる。
【００４３】
例えば、矢印＋ａの方向に曲げた場合にはプラスのデータ、矢印−ａの方向に曲げた場合にはマイナスのデータと識別し、それらの絶対値は「曲げ」の量に応じて決定することができる。
【００４４】
また、使用者が任意に選択可能なデータの範囲を矢印＋ａから矢印−ａに亘って連続的に対応づけてもよい。
【００４５】
また、矢印＋ａの方向に曲げた場合を、使用者が選択できる第１のデータ範囲に対応させ、矢印−ａの方向に曲げた場合を、第１のデータ範囲とは異なる第２のデータ範囲に対応させてもよい。
【００４６】
なお、このような「曲げ」の方向を識別する方法しては、後に詳述するように、例えば２枚の形状変化検出部３０を積層させればよい。複数の形状変化検出部３０を積層させて「曲げ」を加えた場合、上下それぞの形状変化検出部において曲率、応力、変位量などが異なる。従って、信号判定部１３０（図１参照）において、上下の形状変化検出部３０の間でのこれらのパラメータの差を検出することにより、「曲げ」の方向を判定することができる。
【００４７】
図６は、形状変化検出部３０の構造を例示する概念図である。すなわち、柔軟性を有する一対の基板３１、３２の内側表面には、電極パターン３３、３４がそれぞれ形成されている。そして、これら電極パターンの間に感知層３５が設けられている。感知層３５は、応力または変位の少なくともいずれかによって電気的な物性が変化する性質を有する層である。この性質を利用することにより、上下の電極パターン３３、３４によってマトリクス状に分割された各領域において、印加された応力あるいは変位量を検知することができる。
【００４８】
基板３１、３２としては、柔軟性を有する樹脂などからなる板またはフィルムを用いることができる。電極パターン３３、３４としては、金属あるいは導電性材料を印刷、メッキ、スパッタリング、蒸着などの方法により成膜を行い、フォトエッチングプロセスなどを用いて形状加工すればよい。
【００４９】
感知層３５としては、例えば、圧力により抵抗率が可変な有機材料、無機材料、半導体材料や、体積変化により抵抗値が可変な有機材料、無機材料、半導体材料などを適宜選択して用いることができる。または、圧電性の材料や、誘電性の材料を用いてもよい。抵抗性の材料としては、具体的には、ポリフッ化ビニリデン（ＰＶＤＦ）を用いたり、あるいは液体状のポリビニルアルコールを封止してもよい。または、スペーサを介して電極パターン同士を所定の距離だけ離した状態で保持してもよい。
【００５０】
また、感知層３５は、必ずしもマトリクスの分割領域毎に分離して設ける必要はなく、基板３１、３２の間に連続的に形成してもよい。例えば、感知層３５を抵抗膜により形成する場合、一般的に、縦方向（膜厚方向）に比べて横方向（基板３１の面内方向）の抵抗値がはるかに高いため、横方向のリークは無視しうるからである。
【００５１】
図７は、抵抗性材料を用いた感知層３５の作用を説明する模式図である。すなわち、同図（ａ）に例示した如く、基板３１、３２の間に、図示しない電極を介して抵抗性の感知層３５を設けた場合、このセルは、電気的に見て、同図（ｂ）に表した可変抵抗と等価である。そして、その抵抗量は、感知層３５の膜厚方向に印加される応力（圧力）Ｐに依存して変化する。
【００５２】
図８は、図７に表したセルの応答特性を例示するグラフである。すなわち、同図の横軸は感知層３５の膜厚方向に印加される応力、縦軸は電極３３と３４との間に定電圧を印加した状態で流れる電流をそれぞれ表す。このように、感知層３５に対して、圧縮方向の応力が印加されると電極間の電流が増加、すわなち抵抗が減少する。このような抵抗変化を検知することにより、印加されている応力あるいは変位量を検出することができる。
【００５３】
またさらに、このような抵抗変化の時間一次微分およびその２次微分を調べることにより、図４に前述したような「曲げ」の速度または加速度が分かる。
【００５４】
なお、図８においては、応力あるいは変位量の大きさに依存して電流が連続的に変化する場合を例示したが、本発明はこれには限定されない。例えば、感知層３５の物性によっては、応力あるいは変位量を連続的に変化させた場合でも、物性の変化は離散的に生ずるものもあり得る。このようなものも本発明に含めることができ、本願においては、「アナログ的」と称することとする。
【００５５】
図９は、形状変化検出部３０に「曲げ」が加えられた状態を説明する概念図である。すなわち、同図（ａ）に表したように、形状変化検出部３０が平坦な状態においては、マトリクス状に設けられた感知層３５のそれぞれは、ほぼ均一な状態とされている。
【００５６】
これに対して、図９（ｂ）に例示したように「曲げ」が加えられると、変形部分の感知層３５Ａに応力が付加されて、抵抗値などの物性が変化する。この変化を検出することにより、「曲げ」を検知することができる。
【００５７】
例えば、「曲げ」が加えられた部分において、感知層３５Ａに膜厚方向の圧縮応力が付加されると、抵抗性材料の場合には、図８に例示した如く対向する電極間の抵抗が低下する。この低下量は、変形量と相関を有するので、変化を示した感知層３５Ａのうちでも、最も変形量が大きい感知層３５Ａが最も大きな抵抗の減少を示す。
【００５８】
そして、図９（ｃ）に例示したように、さらに大きな「曲げ」が加えられると、変位部分は拡大し、より多くの感知層３５Ａが変化を示すようになる。また、これらの感知層３５Ａが示す変化量も、さらに大きくなる。
【００５９】
このように、「曲げ」の量は、変化を示す感知層３５の数やそれらの変化量により定量的に検出することができる。また、この物性値の変化の時間微分を調べることにより、図４に関して前述したような「曲げ」の速度または加速度を得ることもできる。
【００６０】
但し、本発明においては、図９に表した複数の感知層３５のそれぞれが、いわゆる「デジタル的」な反応を示すものであってもよい。つまり、感知層３５のそれぞれは、あるレベル以上の応力あるいは変位が与えられると物性量が離散的に変化するようなものでもよい。この時、それぞれの感知層３５の応答特性としては、ひとつのしきい値に対して２値的な反応を示すものでもよいし、応力レベルに応じて、多値的に変化するものでもよい。
【００６１】
また、操作時の微少な変化を信号として検知しないようにするために、ある一定の信号量未満については、信号入力とみなさず、これ以上をアナログ信号として出力するものであってもよい。
【００６２】
このような感知層３５を用いた場合、図９から分かるように、「曲げ」の量に応じて、変化する感知層３５の数が異なってくる。つまり、これらを合計した形状変化検出部３０からの信号は、「曲げ」の量を連続的に変化させた場合でも、連続的ではなく、離散的な信号となる。
【００６３】
本発明は、このようなものも含むものとし、本願においては「アナログ的」な入力と称することとする。
【００６４】
図１０は、形状変化検出部３０の回路構成を例示する模式図である。すなわち、本具体例の場合、縦横マトリクス状に配線された電極３３、３４のそれぞれは、走査回路３３Ｓ、３４Ｓにより、電極線毎に切り替え可能とされている。このように、上下の電極線を順次走査可能とすれば、対向する電極間のうちの、どの感知層３５に応力が印加されているかを検出し、その変化量や変化速度も定量的に検出することが可能である。
【００６５】
図１１は、形状変化検出部３０の別の回路構成を例示する模式図である。すなわち、この具体例の場合、縦横マトリクス状に配線された電極３３、３４のそれぞれは、共通接続され、電圧源Ｖにより電極間に電圧が印加されて電流が測定される。このように、上下の電極３３、３４を共通接続した場合には、形状変化検出部３０に加えられた「曲げ」の位置を検出することは困難であるが、その量や「曲げ」の速度または加速度を定量的に検出することは容易である。また、電極３３、３４の周囲に図１０に表したような走査回路３３Ｓ、３４Ｓを設ける必要もないため、フィルム状などの基板に形状変化検出部３０を形成することが極めて容易となる。
【００６６】
図１２は、形状変化検出部３０の別の構成を表す模式図である。すなわち、形状変化検出部３０を構成する電極３３、３４は、必ずしもストライプ状などにパターニングされている必要はなく、基板３１、３２の上の全面に形成してもよい。そして、このよな全面電極３３、３４の間に、連続的に感知層３５を挿入してもよい。
【００６７】
つまり、本発明においては、形状変化検出部３０が「曲げ」の量やその速度および加速度だけを検出し、その位置は検出しなくてもよい場合もある。このような場合には、形状変化検出部３０において、いわゆるマトリクス構造を採用する必要はない。
【００６８】
図１３は、形状変化検出部３０を分割して設けた表示入力装置を表す模式図である。すなわち、本具体例の場合、形状変化検出部３０は、平面的に見て、４つの分割領域３０Ａ〜３０Ｄよりなる。これら分割領域のそれぞれは、例えば、図１１に例示したように、上下の電極３３、３４のそれぞれが共通接続された構造とすることができる。または、これら分割領域のそれぞれは、図１２に例示した如く、電極３３、３４も感知層３５も分割パターニングされていない構造とすることもできる。
【００６９】
図１１あるいは図１２の構造の形状変化検出部を採用した場合、分割領域３０Ａ〜３０Ｄのそれぞれの中においては、「曲げ」の位置を特定することは困難である。しかし、どの分割領域において「曲げ」が加えられたかは分かるので、実用上は、これで十分な場合が多い。
【００７０】
例えば、分割領域３０Ａ〜３０Ｄに対応させて、表示部２０に適宜、選択画面を表示し、それに対して表示入力装置の右上、右下、左上、左下の四隅のうちのいずれの分割領域に「曲げ」を加えたかによって、４種類のデータアイテムのうちのいずれかを選択し、同時のその「曲げ」の量または変化速度に応じてアナログ的に入力することが可能である。そして、四隅のいずれか２つ以上を同時に曲げることにより、異なるアイテムのデータを同時に入力することも可能となる。
【００７１】
このような機能は、例えば、画面のスクロールや各種のゲームなどに応用した場合にも極めて快適な操作性が得られる。例えば、分割領域３０Ａ〜３０Ｄのうちのいずれか１つあるいは２つに所定量または所定速度の「曲げ」を加えることにより、表示部２０に表示されている表示領域を、任意の方向に任意の量あるいは速度でスクロールさせることができる。あるいは、画面上に表示されている人物や車両、航空機などのキャラクターの移動方向と移動量あるいは移動速度を簡単に入力することが可能となる。
【００７２】
なお、図１３は一例に過ぎず、形状変化検出部３０の分割領域の数は、表示入力装置の用途や目的などに応じて適宜決定することができる。つまり、分割領域の数は４には限定されず、２以上の任意の数に分割することができる。
【００７３】
図１４も、形状変化検出部３０を分割して設けた表示入力装置を表す模式図である。但し、これら具体例の場合、形状変化検出部３０は、平面的に見て、装置１０の全面を覆うようには設けられてない。
【００７４】
すなわち、図１４（ａ）に表した具体例においては、４つの分割領域３０Ａ〜３０Ｄは、表示入力装置１０の四隅付近にのみ設けられ、中央付近には形状変化検出部３０は設けられていない。データ入力のための「曲げ」を加える位置を装置の四隅のいずれかに限定した場合には、このように四隅の付近にのみ形状変化検出部３０Ａ〜３０Ｄを設けてもよい。
【００７５】
また、このように、形状変化検出部３０を装置１０の一部にのみ設けた場合、その他の部分は、「曲げ」に対する柔軟性が小さくなるようにしてもよい。つまり、表示入力装置１０のうちで、形状変化検出部３０Ａ〜３０Ｄが設けられている部分のみが「曲げ」に対する柔軟性を有し、その他の領域は機械的な剛性を高くしてもよい。このためには、例えば、強度の高い板状の補強体を設けることができる。このようにすれば、画面の表示部の中央付近は平坦状態を維持したまま、四隅の形状変化検出部のみに「曲げ」を加えることができる。
【００７６】
また一方、図図１４（ｂ）に例示したように、表示入力装置１０の中央付近にのみ形状変化検出部３０を設けてもよい。すなわち、装置の中央付近に「曲げ」を加える場合には、このように、中央付近に形状変化検出部３０を限定的に設けてもよい。この場合、「曲げ」は、中央付近にのみ局所的に与えてもよいし、装置の全体を凸状あるいは凹状に湾曲させるようにしてもよい。
【００７７】
図１５は、複数の形状変化検出部が積層された表示入力装置を例示する模式図である。すなわち、本具体例の場合、表示部２０の上下に、形状変化検出部３０Ａ、３０Ｂがそれぞれ積層されている。これら形状変化検出部３０Ａ、３０Ｂのそれぞれは、図１３に例示したように、複数の分割領域からなるものとしてもよい。
【００７８】
これら形状変化検出部３０Ａ、３０Ｂからは、図１６に例示したように、それぞれアナログ信号出力１、２を取り出すことができる。これらアナログ信号出力１、２は、例えば、加算して用いることにより、表示入力装置１０の「曲げ」に対する検出感度を高くすることができる。
【００７９】
また、図１７に例示したように、これらアナログ信号出力１、２を処理部ＳＰにおいて信号処理し、アナログ出力とデジタル出力とを得ることも可能である。例えば、図５に関して前述したように、「曲げ」の方向を判定する方法として、上下の形状変化検出部３０Ａ、３０Ｂにおける曲率、変位あるいは応力の差を検出する方法がある。つまり、表示入力装置１０の一部が上方あるいは下方に曲げられた場合、その外側よりも内側のほうが曲率が大きくなり、変位や応力が大きくなる場合が多い。
【００８０】
従って、アナログ信号出力１及び２を比較することにより、「曲げ」がいずれの方向に加えられたかを判定することができる。この方向に関する情報をデジタル出力として得ることができる。例えば、「曲げ」が上方に加えられた場合を「１」、下方に加えられた場合を「０」とする如くである。そして、「曲げ」の量に応じて、アナログ出力を決定する。
【００８１】
この場合のデジタル出力は、その後、アナログ出力されたデータの符号、すなわちプラス、マイナスを表すものとして用いてもよく、あるいは、その他の選択肢を特定するためのデータとして用いてもよい。
【００８２】
図１８は、積層型の表示入力装置の変型例を表す模式図である。すなわち、本具体例の場合、表示部２０の表面側あるいは裏面側のみに、２つの形状変化検出部３０Ａ、３０Ｂが積層されている。これら形状変化検出部３０Ａ、３０Ｂを裏面側に設けた場合、遮光性の材料を用いても表示部２０の表示を妨げないという利点が得られる。
【００８３】
本具体例の場合も、図１９に例示したように、形状変化検出部３０Ａ、３０Ｂのそれぞれから得られるアナログ信号出力１、２を処理して、アナログ出力とデジタル出力を得ることができる。これら出力の詳細は、図１７に関して前述したものと同様であるので、その説明は省略する。
【００８４】
図２０は、タッチパネルと組み合わせた本発明の表示入力装置を表す模式図である。すなわち、本具体例の場合、表示部２０の表面側にタッチパネル５０が設けられ、裏面側には形状変化検出部３０が設けられている。タッチパネル５０は、複数のスイッチ素子がマトリクス状に配列した構造とすることができる。そして、いずれのスイッチ素子がオン（あるいはオフ）とされたかを示すデジタル信号出力を与える。一方、裏面側の形状変化検出部３０は、図１乃至図１９に関して前述したように、アナログ信号出力を与える。
【００８５】
これらの出力は、図２１に例示した如く、それぞれ別々に利用することができる。つまり、使用者がタッチパネル５０の所定のスイッチを選択して、表示入力装置に「曲げ」を加えることにより、アナログ的にデータ入力することが可能となる。例えば、使用者は、タッチパネルにより入力するデータの種別を選択し、「曲げ」を加えることにより、そのデータの量を入力することができる。但し、これらタッチパネル５０への入力と、形状変化検出部３０への「曲げ」による入力と、は、必ずしも同時に行う必要はない。
【００８６】
また一方、図２２に例示した如く、タッチパネル５０からのデジタル出力と形状変化検出部３０からのアナログ出力１とを処理して、アナログ出力２を得ることもできる。この場合、タッチパネル５０からのデジタル出力は、例えば、アナログ出力１に対して符号（プラスまたはマイナス）を与えるために用いることができる。
【００８７】
または、タッチパネル５０からのデジタル出力を、アナログ出力１に対する倍数（あるいは除数）などとして用いることもできる。つまり、タッチパネル５０のいずれのスイッチ素子がオンとされたかに応じて、そのスイッチ素子に割り当てられた倍数をアナログ出力１に乗じることにより、アナログ出力２を得る。タッチパネル５０による倍数の選択肢を広範囲に設定しておけば、極めて広範囲なアナログ出力２を得ることが可能である。
【００８８】
なお、図２０乃至図２２においては、タッチパネル５０、表示部２０、形状変化検出部３０の順に積層した構成を例示したが、本発明はこれに限定されるものではない。この他にも、例えば、タッチパネル５０、形状変化検出部３０、表示部２０の順に積層してもよく、あるいは、形状変化検出部３０、タッチパネル５０、表示部２０の順に積層した構造も可能である。
【００８９】
さらに、使用者から見て、タッチパネル５０を装置の裏面側に設けてもよい。例えば、表示入力装置を両手または片手で保持し、裏面側の指によりタッチ入力するような場合には、使用者から見て、形状変化検出部２０、表示部３０、タッチパネル５０の順に積層してもよく、または、表示部３０、形状変化検出部２０、タッチパネル５０の順に積層してもよい。
【００９０】
以上、図１乃至図２２を参照しつつ、本発明の表示装置の基本的な構成例について説明した。
【００９１】
以下、実施例を参照しつつ、本発明の実施の形態についてさらに詳細に説明する。
【００９２】
（第１の実施例）
まず、本発明の第１の実施例として、図１に表した構造の表示入力装置を製作した。ここで、表示部２０としては、柔軟性ある基板上に形成した液晶表示装置を形成し、形状変化検出部３０としては、抵抗性材料からなる感知層を有するアナログ入力装置を形成した。
【００９３】
まず、液晶表示装置であるが、これは、表示入力装置の周縁部に「曲げ」を加えるための柔軟性を確保する必要がある。そこで、引出電極数を低減するため、ドライバ（駆動回路）の一部を表示部２０に導入可能なポリシリコン薄膜トランジスタを用いた液晶表示装置とした。以下、この液晶表示装置の構造について、その製造方法を参照しつつ説明する。
【００９４】
図２３乃至図２５は、本実施例において用いた液晶表示装置の製造工程の要部を表す工程断面図である。
【００９５】
まず、十分に洗浄した無アルカリガラス基板５１上に、例えばシランガスなどを原料に用いたプラズマ励起化学気相堆積法（ＰＥＣＶＤ法）などを用いて、ガラス基板からのアルカリ成分溶出などを防ぐことを目的としたアンダーコート層となるシリコン酸化膜やシリコン窒化膜５２などを堆積させた。次に、例えば、ＰＥＣＶＤ法を用いアモルファス状のシリコン膜を成長させた後、ＫｒＦなどを用いたエキシマレーザーを照射して瞬間的に溶融後結晶化させて多結晶化した。そして、例えば、フッ素系ガスによる反応性イオンエッチング法（ＲＩＥ法）を用いたフォトエッチングプロセスにより、多結晶シリコン層の素子分離を行い、島構造５３を形成した（図２３（ａ））。
【００９６】
次に、例えばプラズマ励起化学気相堆積法（ＰＥＣＶＤ法）などを用いて、ゲート用の絶縁膜５４となるシリコン酸化膜やシリコン窒化膜を成膜した。そして、例えばスパッタリング法などを用いて、アルミナ膜上にＭｏ、Ｗ、Ｔａ、またはその合金など金属膜を堆積させた。その後、金属膜上にフォトレジストを塗布し、フォトリソグラフィー法を用いてレジストパターンを形成し、例えば、溶剤に含侵させて選択的にレジストパターンのない部分の金属膜を除去する方法を用いることにより、ゲート電極５５及びゲート線群の形状を加工した（図２３（ｂ））。
【００９７】
次に、半導体層に接合面を形成するために薄膜トランジスタの不純物導入を行った（図２３（ｃ））。本実施例では、不純物としてリン（Ｐ）を用いている。このとき、ゲート電極５５をマスクとして、イオンドーピング法によりイオン濃度が１０２２ｃｍ−３程度になるように導入し、この導入されたリン（Ｐ）が活性化するように熱処理を行った。
【００９８】
次に、例えば常圧化学気相堆積法（ＡＰＣＶＤ法）により層間絶縁膜５６となるシリコン酸化膜やシリコン窒化膜を成膜した。その後、層間絶縁膜５６及びゲート絶縁膜５４を介してソース及びドレイン電極と半導体層とのコンタクトを行うためのスルーホール形成を、フォトエッチングプロセスを用いて行った（図２３（ｄ））。
【００９９】
次に、Ｍｏ、Ｔａ、Ｗ、Ａｌ、Ｎｉなどの金属、またはその合金や積層膜などを、例えばスパッタリング法などを用いて堆積させた後、ゲート電極形成時と同様にフォトエッチングプロセスを用いて、ソース電極５７と信号線群及びドレイン電極５８の形成を行った（図２３（ｅ）、２３（ａ））。
【０１００】
そして、ソース電極５７と接続されるように画素電極（図示せず）を形成した。この一連の薄膜トランジスタ及び配線形成プロセスにおいては、例えば、５００℃以上の熱工程が存在するが、本実施例で用いている無アルカリガラス基板５１においては、アクティブマトリックス構造を形成する際に問題なく使用できる。
【０１０１】
次に、このアクティブマトリックス基板をプラスチック基板などの柔軟性がある基板に移す工程を開始する。
【０１０２】
すなわち、まず、このようにして得られた形成体の表面に、例えば紫外線光を照射すると接着力が弱まるような耐フッ酸性に優れた接着剤を隙間なく表面塗布して仮着層６１とし、この仮着層６１を挟んで無アルカリガラス基板と対向する位置に、例えば、接着面側を有機材料と接着性をよくするためにコートした耐フッ酸性に優れたフッ素系樹脂シート６２を配置した（図２４（ｂ））。
【０１０３】
次に、この積層体を、無アルカリガラス基板５１の裏面側から研磨剤を用いて、０．１ｍｍ厚程度まで、研磨剤の荒さを調整しながら研磨した。さらに、フッ酸系の溶剤に含侵させて、無アルカリガラス基板６３を約３０μｍ程度の厚さまで溶解させた（図２４（ｃ））。
【０１０４】
このとき、ガラス基板５１が薄くなった後には、例えばアンモニウムなどを加えたフッ酸系溶液とし、エッチングレートを調整したものが望ましい。そして、十分に洗浄した後、この無アルカリガラス基板５１をエッチングした面に密着性に優れた接着剤を用いて、接着層６４を全面に形成した。そして、この接着層６４の裏面側に、ラミネート技術を用いて、０．１ｍｍｔ程度のポリエーテルアミド樹脂（ＰＥＳ）フィルムを支持基板６５として接着した（図２５（ａ））。
【０１０５】
本実施例では、支持基板６５としてＰＥＳ基板を用いたが、本発明においては、その他のプラスチック基板などを用いることもできる。例えば、０．１ｍｍｔのポリエチレンテレフタレート樹脂フィルム（ＰＥＴ）でも形成可能なことを確認している。
【０１０６】
その後、樹脂シート６２側から紫外線光ＵＶを照射し、仮着層６３の接着力を弱める処理を施した（図２５（ｂ））。
【０１０７】
そして、支持基板として用いた樹脂シート６２をゆっくり剥していき、層間絶縁膜層５６などアクティブマトリックス層表面を露出させた（図２５（ｃ））。このとき、仮着層６４の成分残りが発生するため、これを、例えば、イソプノパノールなどの有機洗浄法を用いて除去して、洗浄面を露出させた。
【０１０８】
その後、このようにして形成したポリシリコンを用いた柔軟性があるアクティブマトリックス基板に、インジュウムスズなどの透明導電膜を成膜したフィルムを対向基板として、通常のフィルム液晶セルプロセスを用いて、液晶表示装置を作製した。
【０１０９】
次に、形状変化検出部３０を製作した。０．０５ｍｍｔのポリエチレンテレフタレート樹脂フィルム（ＰＥＴ）に酸化インジュウムスズ（ＩＴＯ）などの透明導電膜を成膜し格子状にパターンニングしたものを対向配置し、その層間にポリフッ化ビニリデン（ＰＶＤＦ）を配置したアナログ形状変化検出部を製作した。
【０１１０】
そして、この形状変化検出部３０を液晶表示装置に接着剤を用いて接着した。
【０１１１】
なお、従来のタッチパネルは位置検出を行うために、格子毎に検出を行う機構が付加されているが、本実施例では、対向する２フィルム間の電流量をアナログ検知することになるため、格子が連絡されている形状で問題ない。すなわち、対向する２つのフィルムからそれぞれ共通接続された電極がひとつずつ引き出されることになる。
【０１１２】
このアナログ入力機構を付加した液晶表示装置は、表示入力装置として柔軟性を有する。例えば、４隅の一端を曲げることにより、形状変化検出部３０に応力が付加され、この応力を受けた部分に関しては、フィルム間の導電率が変化するため、水平を維持している場合と比較して電流がながれやすくなる。この時、曲げ応力が大きいほど、また、曲げられている面積が大きいほどフィルム間に流れる電流量は大きくなるため、使用者は、任意の方法でアナログ的にフィルム間に流れる電流量を操作することができる。
【０１１３】
（第２の実施例）
次に、本発明の第２の実施例として、図１５に例示した積層型の表示入力装置を製作した。すなわち、本実施例では、表示部２０として柔軟性ある基板上に形成した液晶表示装置を用い、形状変化検出部３０Ａ、３０Ｂを表示部２０の両面に付与して、アナログ入力及びその方向性の信号入力を可能とした。
【０１１４】
表示入力装置の柔軟性を利用してアナログ入力を行う場合、例えば、表示面において凹となる応力を加える場合と、凸となる応力を与える場合と、の場合分けが可能になる。例えば、雑誌のようなコンテンツを見ている場合には、開いている頁から、前頁に戻りたい場合には表示面側（凹）に、後頁へ進みたい場合には表示面とは反対側（凸）に、応力を与えることにより観察者の意思を反映できることになる。
【０１１５】
本実施例において表示部２０として用いた液晶表示装置の構造及び製造方法は、第１実施例として前述したものと同様であるので、その説明は省略する。
【０１１６】
また、形状変化検出部３０Ａ、３０Ｂとしても、第１実施例と同様に、０．０５ｍｍｔのポリエチレンテレフタレート樹脂フィルム（ＰＥＴ）に酸化インジュウムスズ（ＩＴＯ）などの透明導電膜を成膜し格子状にパターンニングしたものを対向配置したものの層間に感応性樹脂を配置したものを用いた。
【０１１７】
そして、この形状変化検出部３０Ａ、３０Ｂを液晶表示装の両面、すなわち、表示部側とその対向面側に、それぞれ接着した。
【０１１８】
本実施例の表示入力装置においても、第１実施例のものと同様に表示入力装置として柔軟性を有する。例えば、４隅の一端を曲げることにより、形状変化検出部３０Ａ、３０Ｂにも応力が付加され、この応力を受けた部分において、フィルム間の導電率が変化するため、水平を維持している場合と比較して電流が流れやすくなる。この時、表示入力装置に与えられる「曲げ」により感知層に与えられる応力が大きいほど、また、曲げられている面積が大きいほどフィルム間に流れる電流量は大きくなる。この作用を利用して、使用者は、任意の方法でアナログ的にフィルム間に流れる電流量を調節することができる。
【０１１９】
さらに、本実施例では、形状変化検出部３０Ａ、３０Ｂを表示部２０の両面に付加している。このような積層構成を採用することにより、使用者が表示入力装置の表示面に対して、表示面が内側となるように曲げた場合と、表示面が外側になるように曲げた場合と、の場合分けが可能になる。
【０１２０】
例えば、表示面が内側となるように曲げた場合、表示面側に付加した形状変化検出部３０Ａと外側に付加した形状変化検出部３０Ｂとでは、曲率が異なるため、それぞれの感知層にかかる応力が異なることにより、その結果、形状変化検出部３０Ａと３０Ｂとでは検出される電流値が異なることになる。このため、両面の形状変化検出部３０Ａ、３０Ｂからの出力信号の差分をとることにより、入力方向の検出が可能になる。
【０１２１】
例えば、コンテンツとして雑誌のようなものを考えた場合、ある頁から次の興味ある頁に移動するとき、頁数をまたいで後頁の場合と前頁の場合があり得る。本実施例の表示入力装置の場合、例えば、表示面の内側を前頁側に、その反対側を後頁側に設定することにより、頁の前後の方向性と頁数のアナログ入力が可能となる。
【０１２２】
（第３の実施例）
次に、本発明の第３の本実施例として、図２０に例示したように、柔軟性を有する表示部２０の表面側にタッチパネル５０、裏面側に形状変化検出部３０を設けた表示入力装置について説明する。
【０１２３】
第１実施例として前述した表示入力装置では、アナログ信号を入力することは可能であるが、データを入力する対象の項目が多数に渡るような場合には、別途、選択の必要がある。例えば、地図のようなコンテンツをスクロールしながら見る場合には、スクロール量だけではなく、東西南北といった方向に関するデータを別途与える必要がある。この場合、表示面側のタッチパネル５０からは、スイッチ素子の選択によって方向に関するデータを入力し、形状変化検出部３０に与える「曲げ」の応力によって移動距離（スクロール量）に関するデータを入力することにより、対応が可能である。
【０１２４】
本実施例において表示部２０として用いた液晶表示装置の構造及び製造方法も、第１実施例として前述したものと同様であるので、その説明は省略する。
【０１２５】
また、形状変化検出部３０としても、第１実施例と同様に、０．０５ｍｍｔのポリエチレンテレフタレート樹脂フィルム（ＰＥＴ）に酸化インジュウムスズ（ＩＴＯ）などの透明導電膜を成膜し格子状にパターンニングしたものを対向配置したものの層間に感応性樹脂を配置したものを用いた。
【０１２６】
一方、タッチパネル５０としても、０．０５ｍｍｔのポリエチレンテレフタレート樹脂フィルム（ＰＥＴ）に酸化インジュウムスズ（ＩＴＯ）などの透明導電膜を成膜し格子状にパターンニングしたものを対向配置したものの層間に感応性樹脂を配置した構造を形成した。ただし、タッチパネル５０においては、導電膜の格子毎にセルの抵抗を検出できるようにした。
【０１２７】
本実施例の表示入力装置では、例えば、アナログ入力の必要性の選択が可能である。すなわち、表示面側のタッチパネル５０上で必要となる機能を選択し、そのアナログ入力値については、表示裏面側の形状変化検出部３０によりアナログ量を入力することができる。
【０１２８】
例えば、コンテンツとして雑誌のようなものを考えた場合、ある頁から次の興味ある頁に移動するとき、頁数をまたいで後頁の場合と前頁の場合があり得る。本実施例の表示入力装置の場合、表示面内側に前頁または後頁を選択するタッチボタンを設定し、形状変化検出部３０に与える応力により頁数のアナログ入力が可能になる。
【０１２９】
（第４の実施例）
次に、本発明の第４の実施例として、形状変化検出部３０を表示部２０の中に組み込んだ表示入力装置について説明する。
【０１３０】
図２６は、本実施例の表示入力装置の断面構造を表す模式図である。
また、図２７は、その要部の平面配置関係を表す模式図である。
【０１３１】
本実施例の場合、液晶表示装置の対向基板側に、形状変化検出部３０を組み込んでいる。すなわち、対向基板７０にストライプ状に形成したインジウムスズ膜を形成し、電極層７１とする。その上に、ポリフッ化ビニリデン（ＰＶＤＦ）層７２を塗布により均一に形成する。さらに、その上にインジウムスズ膜を電極層７１と直行する位置にストライプ状に形成し、電極層７３とする。
【０１３２】
このＰＶＤＦ層７２を挟んで位置する電極層７１と電極層７３が、形状変化検出部３０を構成する。
【０１３３】
さらに、アクリル樹脂などを用いて、層間絶縁膜７４を形成する。このとき、この層間絶縁膜７４は、対向電極７５と電極７３とのカップリング容量などを抑えるために十分な膜質であることが必要とされる。
【０１３４】
一方、支持基板７９の上には、画素電極７８、薄膜トランジスタ７７が形成され、対向基板との間に液晶層７６が封止されている。
【０１３５】
なお、液晶表示装置の表示性能に影響を与えないようにするため、電極層７１及び電極層７３は、画素電極７８を包含するような形状に形成した。すなわち、図２７に例示したように、電極７１と電極７３は、画素電極７８の幅よりも広いストライプで形成している。
【０１３６】
なお、本実施例では、電極層７１及び電極層７３への応力起因による基板の変形や膜剥がれを防止するためにストライプ形状に加工している。しかし、形状変化検出部
３０としては、インジウムスズ膜（７１、７３）はストライプ状などの形状にバニーニングされていることは必要条件ではない。また、本実施例では、抵抗膜としてＰＶＤＦ７２を用いている。しかし、抵抗膜として利用できるものならば、特に本材料に限定されるものではない。
【０１３７】
また、本実施例では、形状変化検出部３０を対向基板側に組み入れたが、例えば、薄膜トランジスタを形成する支持基板側に組み入れてもよい。
【０１３８】
（第５の実施例）
次に、本発明の第５の実施例として、本発明の表示入力装置を用いた表示入力システムの具体例について説明する。
【０１３９】
図２８は、本発明の第５の実施例に係る表示入力システムのブロック図、図２９は、同表示入力システムの外観図である。
【０１４０】
本実施例の表示入力装置は、可撓性を有し、紙のように薄型で電子的に情報の表示が可能な表示部２０と、表示部２０の形状変化、姿勢変化などの幾何学的な変化を検出することが可能な幾何変化検出部３００と、表示部２０上に使用者２００が手の指やペンなどを用いて入力した位置や内容を取得することが可能なデータ入力部５０と、幾何変化検出部３００で判別した幾何学的変化情報および／またはデータ入力部５０で取得した入力情報をもとに表示部２０の表示内容を制御する制御部１２と、情報を保持することが可能な記憶部５００と、外部連携機器１０００と通信する通信部６００とから構成されている。
【０１４１】
図２９に示すように、この表示入力システムは、全体がシート状で可撓性があり、応力が加わらない側端の縁部等に制御部１２、記憶部５００及び通信部６００や各種配線等を集約した回路部９００が形成されたものとなっている。
【０１４２】
なお、図２９のイメージ図における各部の配置はあくまでも一例であり、これに限定されるものではない。
【０１４３】
まず、表示部２０について説明する。
【０１４４】
表示部２０は、紙のように薄型・軽量で電子的に文字、図形、画像等の表示が可能なものである。好ましくは、紙のように自由に曲げ伸ばしを行うことが可能な部材によって構成される。
【０１４５】
表示部２０は、具体的には、例えば「電子ペーパー（または、フレキシブルディスプレイ）」と一般的に呼ばれるマテリアルを用いて実現される。「電子ペーパー」とは、文書や画像を自由に書き換え、表示できる電子の“紙”を実現する材料の総称で、紙と電子ディスプレイの長所をあわせ持つ次世代の表示媒体である。この「電子ペーパー」は、例えば（１）コレステリック（キラル・ネマチック）液晶、強誘電性液晶、高分子分散型液晶などによる分子配列の制御、（２）電気泳動などを用いた色材移動、（３）ロイコ染料などの化学変化、（４）有機ＥＬ（ｅｌｅｃｔｒｏｌｕｍｉｎｅｓｃｅｎｃｅ）、（５）ＥＣＤ（ｅｌｅｃｔｒｏｃｈｒｏｍｉｃ　ｄｅｖｉｃｅ）、などの各種の技術を用いて実現される。
【０１４６】
「電子ペーパー」には、上記のような様々な実現方法があるが、総じて、▲１▼表示の維持に電源が不要である（または、非常に低消費電力で維持が可能である）、▲２▼書き換えが可能である、▲３▼紙のように薄型である、などの特徴がある。また、実現方法によって、紙のように自由に曲げ伸ばしができる（フレキシブル形状である）といった特徴も実現される。
【０１４７】
なお、表示部２０は、上記で説明した実現方法に限定されるものではなく、同じ特徴を持つものならば、これ以外のマテリアル・実現技術を用いて構成してもよい。
【０１４８】
一方、形状変化検出部３０は、表示部２０に対して使用者が行なう、曲げる、丸める、めくる、引っ張る、ねじる、などの変形によって生じる表示部２０の形状変化を検出するためのものである。
【０１４９】
形状変化検出部３０は、具体的には、後に詳述するように、表示部２０の裏面に配列された、複数の曲げセンサなどから構成され、これら複数の曲げセンサから得られるセンシング結果を用いて形状変化を識別する。曲げセンサは、通常、センサ出力である抵抗値の変化により、変位、曲率を１自由度で検出することが可能である。これを表示部２０の裏面に格子状に複数配置することで、表示部２０の全面にわたる曲げ・伸ばしの判別を行うことができる。
【０１５０】
なお、以上で説明したセンシング方法はあくまでも一例であり、これに限定されるものではない。例えば、「シェイプセンサ」と呼ばれる光ファイバの曲げ伸ばし変形による光量変化を用いて変位、曲率、加速度などを検出することが可能なセンサを同様に表示部２０の裏面に配置してもよいし、別のセンシング技術を用いても構わない。また、センサの配置方法も格子状に限られるものではなく、取得したい形状変化に応じて、自由に変更することができる。例えば、形状変化を検出したい部分が限られている場合は、表示部２０の裏面の全面にセンサを配置する必要はなく、必要部分にだけ配置すればよい。また、変形の曲率などを細かく検出したい部分があれば、その部分に多めに配置するなどの工夫をすることができる。
【０１５１】
一方、姿勢変化検出部４０は、前記表示部２０に対して使用者２００が行なう、装置を保持したまま手を動かす、装置のどこか一部をつかんで持ち上げる、つかんで振るなどといった動作によって生じる表示部２０の姿勢変化を検出するためのものである。
【０１５２】
姿勢変化検出部４０は、前記表示部２０の裏面（および／または機器のその他の部位）に、配設された複数の加速度センサ、ジャイロセンサなどから構成することができ、それらセンサから得られるセンシング結果を用いて姿勢変化を識別する。これにより、「機器の右側が（左側よりも）持ち上げられている」というような使用者２００が装置を保持している際の装置の姿勢や、「装置が左右に振られている」というような使用者２００が装置に対して行っているアクションによって生じる装置の状態変化を検出することができる。
【０１５３】
なお、本実施例では、形状変化検出部３０、姿勢変化検出部４０の２つに細分できる旨を説明したが、これに限定されるものではない。形状変化、姿勢変化以外の幾何学的変化を取得可能な他の検出部を適宜追加することも可能である。
【０１５４】
次に、データ入力部５０について説明する。
【０１５５】
データ入力部５０は、表示部２０上に使用者２００が手の指やペンなどを用いて入力した位置や内容を取得するためのものである。データ入力部５０は、例えば、表示部２０上に配置された透明な感圧式のタッチパネルにより構成される。これにより、使用者２００が、前記表示部２０のどの部分を手の指で触っているか、使用者２００が保持しているペンのペン先の移動した軌跡などを取得することが可能である。すなわち、データ入力部５０は、図２０〜図２２に関して前述したようなタッチパネル５０と同様の役割を有する。
【０１５６】
なお、データ入力部５０は、タッチパネルに限定されるものではない。例えば、図２９に示されているように前記表示部２０の側縁部に配置された回路部９００から超音波など発信し、手の指などに反射して戻ってきた反射波を再び回路部９００で検出することによりその入力位置を検出するようにデータ入力部５０を構成しても良い。または、超音波を発信するペンを用いて、それから発信される超音波を複数のマイクロホンで検出し、三角測量の原理を用いて、ペンの位置を算出するようにしても良い。また、表示部２０上に磁場を発生させ、手の指やペンをその上に置くことによって生じる磁場変化から、位置を算出することも可能である。また、これらの方法を適宜組み合わせて用いることもできる。さらに、ここで用いている以外のセンシング技術を用いても構わない。
【０１５７】
次に、記憶部５００について説明する。
【０１５８】
記憶部５００は、表示部２０に表示するための内容や、本実施例における表示入力システムの内部状態などの各種の情報を蓄えるためのものである。記憶部５００は、典型的には半導体メモリを用いて構成される。また、記憶部５００は、本実施例における表示入力システムから取り外せる場合もある。この場合、メモリスティック、スマートメディア、コンパクト・フラッシュ、ＳＤカードなどといった既存の規格の半導体メモリ媒体を用いることが望ましい。記憶部５００を脱着可能とした場合、外部にある機器にこの記憶部５００を接続し、記憶部５００にデータを入出力できるという利点がある。
【０１５９】
次に、通信部６００について説明する。
【０１６０】
通信部６００は、外部連携機器１０００と通信するためのものである。通信部６００は、例えば、Ｂｌｕｅｔｏｏｔｈといった無線通信手段を用いて、外部連携機器１０００と通信する。これにより、外部連携機器１０００から本実施例における表示入力システムへのデータの入力、本実施例における表示入力システムから外部連携機器１０００へのデータの出力、後述する制御部１２から外部連携機器１０００への制御情報の送信、外部連携機器１０００から後述する制御部１２への制御情報の受信などの各種通信が可能となる。なお、通信手段は、Ｂｌｕｅｔｏｏｔｈに限定されるものではなく、ＩＥＥＥ８０２．１１ａ／ｂ／ｇなどに規定された無線ＬＡＮや、赤外線通信、ＲＦ通信、その他の無線通信方式を用いることが可能である。無線通信を用いることで、本実施例の情報機器が外部機器にケーブルによって拘束されることがなくなり、あたかも紙を持っている感覚で、自由に持ち歩くことが可能となる。
【０１６１】
なお、通信部６００は、無線通信手段を用いることが望ましいが、シリアル通信などの有線通信手段でも構わない。この場合、外部連携機器１０００と通信をする際以外のときは、通信部を本実施例の表示入力システムから取り外すことができる構成にしておくことが好ましい。こうすることで、通信時以外は外部機器に拘束されることがなくなり、通常使用時は、自由に持ち歩ける。
【０１６２】
最後に、制御部１２について説明する。
【０１６３】
制御部１２は、
（１）幾何変化検出部３００で判別した幾何学的変化情報および／または入力取得部
３で取得した入力情報をもとに表示部２０の表示内容を制御する
（２）記憶部５００に格納されたデータの読み書きを制御する
（３）通信部６００における通信内容や通信方式、タイミングなどを制御する
（４）その他、表示入力システムの所定の動作の制御を行う
ためのものである（図２８参照）。
【０１６４】
以上で説明した本実施例の表示入力システムによれば、使用者２００は、表示部２０（これは、「表示入力システム自身」と置き換えてもほぼ同意である）の形状の変形や姿勢の変化を用いて本実施例おける表示入力システムを操作することができる。また、使用者２００は、手の指の動きやペン入力などを前述の動作と適宜組み合わせて本実施例における表示入力システムを操作することができる。
【０１６５】
次に、本実施例における表示入力システムで実現される動作について、幾つかの具体例を挙げながら説明する。
【０１６６】
まず、本実施例における表示入力システムを電子ブックリーダー端末として応用する例について説明する。
【０１６７】
今、表示部２０に小説のあるページが表示されているとする。この際に、図３０に示されたように、使用者２００が、表示部２０（つまり、表示入力システム）の右側を右手で保持し、左側に「曲げ」を加えてページをめくる動作をした場合には、表示部２０に表示されている内容を１ページ分進める。逆に、図３１に示されるように、表示部２０（つまり、表示入力システム）の左側を保持し、右側に「曲げ」を加えてページをめくる動作をした場合には、表示部２０に表示されている内容を１ページ分戻す、というように制御部１２で制御することで、使用者２００は、紙の本をめくる感覚で、表示入力システムを操作することができる。
【０１６８】
この際、手で保持している位置、および、ページをめくろうとして添えられた手の位置は、データ入力部５０で検出し、めくり動作によって得られた変形状態やその際の表示入力システムの姿勢変化は、幾何変化検出部３００で検出する。これらの検出結果から、「表示部２０（つまり、表示入力システム）の右側を右手で保持し、左側をめくる動作をした」と検出された際には、前記制御部１２を介して前記記憶部５００に保持されている次のページのデータを取得し、前記表示部２０の表示内容を更新する。
【０１６９】
なお、形状変化検出部３０として、図１０に例示したようなマトリクス構造や、図１３、図１４に例示したような分割型の構造を採用すれば、どの部分に「曲げ」が加えられたかを検出することもできる。
【０１７０】
以上により、従来の表示入力システムでは、ボタンなどを用いてページ送りなどの操作を行わなければならなかったが、本実施例における表示入力システムでは、ユーザが、あたかも、本物の紙媒体（この例では、小説本）を操作している感覚で操作することが可能となる。これにより、コンピュータ機器を触ったことが無い人でも、表示入力システムの操作に違和感がなくなり、誰もが表示入力システムを直感的に操作することができるようになる。
【０１７１】
またこの時、図４に関して前述したように、「曲げ」を加える速度または加速度に応じて、ページの進み量を変化させることもできる。つまり、「曲げ」を迅速に加えた場合には、ページの進み量を大きくし、「曲げ」をゆっくり加えた場合には、ページの進み量を少なくすることができる。このようにすれば、非常に直感的な操作が可能となる。
【０１７２】
以上では、ページめくりを表示部２０（つまり、表示入力システム）の幾何学的変化を用いて実現する例を示したが、操作はこれに留まるものではない。例えば、図３２（ａ）で示されるように、表示部２０（つまり、表示入力システム）を巻き取る操作をしたり、同図（ｂ）に示すように、表示部２０を２つ折りにする操作をすると、表示入力システムの電源がＯＦＦとなり、逆に平面に伸ばすとＯＮになるといった活用も可能である。図３３のように、前記表示部２０の左上部分をちょっとめくって「曲げ」を加えたらメニューが表示されたり、右上部分に「曲げ」を加えたら、そのページにしおりが挟まれる状態（ブックマーク機能）になったり、紙媒体をいじる感覚で、あらゆる操作が可能となる。
【０１７３】
次に、本実施例に係る表示入力システムを電子メモ端末として応用する例を説明する。
【０１７４】
本実施例における表示入力システムによれば、図３４に示されたように、ペン（それ自体は、インクを出力しないもの（例えばスタイラス）を用いて手書き入力を行うことが可能である。データ入力部５０で検出されたペン先位置の軌跡は、制御部１２でストロークデータとして処理され、その内容がそのまま表示部２０に再現される。この際に、図３５に示されたように、表示部２０（つまり、表示入力システム）の一部を摘んで振る動作をした場合には、表示部２０に表示されている内容をクリアして、真っ白な表示にする、というように制御部１２で制御することで、使用者２００は、直感的に内容の消去をすることができる。
【０１７５】
この際、手で保持している位置は前記データ入力部５０で、振る動作によって得られた装置の姿勢変化は、前記幾何変化検出部３００に設けられた姿勢変化検出部４０で検出する。このように、使用者２００の表示入力システムへのある種のジェスチャ入力も自由に行うことが可能である。
【０１７６】
次に、本実施例に係る表示入力システムを電子地図ビューアーとして応用する例を説明する。すなわち、記憶部５００に地図情報を格納し、または、通信部６００を介して外部から地図情報を入手し、これら地図情報を表示部２０に表示させることにより、電子地図システムが実現できる。
【０１７７】
この場合にも、図３、図４、図５、図３０、図３１あるいは図３３などに例示した如く、表示入力システムのいずれかの部分に「曲げ」を加えることより、表示内容を所定の方向にスクロールさせることが可能である。例えば、図３０に表したように、使用者２００が左側に「曲げ」を加えた場合には、表示部２０に表示される地図を左側にシフトさせるようなことができる。
【０１７８】
また、「曲げ」を加えることにより、表示倍率を変化させることもできる。例えば、使用者２００に向かって凸状に「曲げ」を加えた場合には、地図を拡大し、一方、使用者２００に向かって凹状に「曲げ」を加えた場合には、地図を縮小する、というような操作が可能である。
【０１７９】
さらにまた、姿勢変化検出部４０と組み合わせることにより、さらに便利になる。例えば、使用者２００が表示入力システムを所定の方向に傾けると、表示内容がその方向にスクロールするようにすることができる。
【０１８０】
この場合、このようなスクロール機能が常に働くと、不用意な傾斜によって表示内容が常にスクロールしてしまい、不便である。そこで、データ入力部５０によるデータ入力と組み合わせるとよい。つまり、使用者２００が表示入力システムに設けられた所定のスイッチ部分に触れると、データ入力部５０がそれを検出して、スクロール機能をオンにする。使用者２００は、この状態で表示入力システムを所定の方向に傾斜させることにより、表示内容を所望の方向にスクロールさせることができる。またこの時、傾斜量に応じてスクロール量（またはスクロール速度）を変化させることもできる。例えば、大きく傾斜させた時には、高速でスクロールし、小さく傾斜させた時には、ゆっくりスクロールするようにすることができる。
【０１８１】
表示部２０の内容がスクロールされ、所望の地図が表示されたら、使用者２００は、所定のスイッチ部分から手を離す。すると、データ入力部５０がこれを検出して、スクロール機能をオフにする。この状態では、表示入力システムを傾斜させても、表示内容はスクロールされない。このようにすれば、スクロールさせたい時だけ、表示入力システムを所定の方向に傾斜させて簡単にスクロールさせることができる。
【０１８２】
以上説明したように、本実施例を電子地図ビューアーに応用した場合、広大な表示領域の中の所望の部分を「曲げ」や「傾斜」の操作によって、直感的且つ迅速に表示させることができる。同様の応用は、地図に限定されず、例えば、新聞の全体の中から所定の記事の部分を迅速に表示させるようなことも可能である。
【０１８３】
以上説明したように、本実施例による表示入力システムを用いることにより、使用者２００が装置自身の幾何変化、および／または手の指やペンを用いた入力、を用いて装置の電源のＯＮ／ＯＦＦ、表示内容の変更、操作内容の選択、メニュー操作、などといった装置の所定の操作を、紙媒体を触っている感覚で直感的に行うことが可能となる。
【０１８４】
（第５の実施例の変形例）
第５の実施例では、表示部２０は、紙のように自由に曲げ伸ばしを行うことが可能な（フレキシブル形状な）部材によって構成されることを前提として説明した。しかし、図３６に示したように、第１の実施形態の構成に、新たにフレックス補助部４００を追加することで、表示部２０は、フレキシブル形状でないものを用いることも可能である。
【０１８５】
フレックス補助部４００について説明する。フレックス補助部４００は、紙のように自由に曲げ伸ばしを行うことが可能な（フレキシブル形状な）部材によって構成されるもので、前記表示部２０の代わりにユーザ２００が曲げ伸ばしといった変形を行うためのものである。これを前記表示部２０の付近に配置し、上述した第１の実施形態での説明のように、幾何変形検出部２にてフレックス補助部４００の変形を検出することで、同様の動作を行う。
【０１８６】
フレックス補助部４００は、例えば、透明の薄いフィルムのようなもので構成され、表示部２０上に置かれる。そして、使用者２００は、表示部２０の上にあるフィルムに対してめくり動作などの変形動作を行うことで、表示入力システムの操作を行う。
【０１８７】
なお、フレックス補助部４００の実現方法はこれに限定されるものではない。前記の表示部２０よりも一回りおおきな不透明の薄いフィルムを、表示部２０の下にまわりがはみ出るように添付し、はみ出た部分の形状変化を用いて機器の操作を行うようにしてもよい。また、フレックス補助部４００を表示部２０の横に表示部２０と同等の大きさで配置し、その部分を用いても良い。これ以外の構成方法でも、フレックス補助部４００の変形を用いることができれば構わない。
【０１８８】
（第６の実施例）
次に、本発明の第６の実施例について説明する。
【０１８９】
図３７は、本発明の第６の実施例に係る表示入力システムの全体構成図である。
【０１９０】
本実施例の表示入力システムは、第５実施例に関して説明した表示部２０の代わりに、これと同様の機能を持つ第１の表示部２０Ａと、第２の表示部２０Ｂとを有する。また、本実施例における制御部１２は、データ入力部５０で取得した入力情報をもとに第１の表示部２０Ａの表示内容、第２の表示部２０Ｂの表示内容をそれぞれ個別に制御することが可能なものである。それ以外の、幾何変化検出部３００、データ入力部５０、制御部１２、記憶部５００、通信部６００については、第５の実施例と実質的に同様とすることができる。
【０１９１】
第１の表示部２０Ａおよび第２の表示部２０Ｂについて説明する。
【０１９２】
第１の表示部２０Ａおよび第２の表示部２０Ｂは、第５実施例に関して説明した表示部２０と同様に、それぞれ、紙のように薄型・軽量で電子情報の表示が可能なものである。好ましくは、紙のように自由に曲げ伸ばしを行うことが可能な部材によって構成される。第１の表示部２０Ａと第２の表示部２０Ｂは、典型的には、図３８に示されるように、紙の裏表の関係の位置に配置される。
【０１９３】
次に、制御部１２について説明する。
【０１９４】
制御部１２は、
（１）前記幾何変化検出部３００で判別した幾何学的変化情報、または／および、前　　　記データ入力部５０で取得した入力情報をもとに前記第１の表示部２０Ａの表示内　　　容を制御する
（２）前記幾何変化検出部３００で判別した幾何学的変化情報、または／および、前　　　記データ入力部５０で取得した入力情報をもとに前記第２の表示部２０Ｂの表示内　　　容を制御する
（３）前記記憶部５００に格納されたデータの読み書きを制御する
（４）前記通信部６００における通信内容や通信方式、タイミングなどを制御する
（５）その他、機器の所定の動作の制御を行うためのものである（図３７参照）。
【０１９５】
以上で説明した本実施例における表示入力システムによれば、使用者２００は、前記第１の表示部２０Ａ（この裏側に、前記第２の表示部２０Ｂが配置されているため、同時に前記第２の表示部２０Ｂ）の形状の変形や姿勢の変化を用いて本実施例における表示入力システムを操作することができる。また、使用者２００は、手の指の動きやペン入力などを先述の動作と適宜組み合わせて本実施例における表示入力システムを操作することができる。さらにそれに加え、第１の表示部２０Ａに表示されている情報を参照しながら、図３８に示されたような「曲げ」を加えて、紙をめくるような動作をすることで、現れた前記第２の表示部２０Ｂの一部に表示された情報をのぞき見することが可能となる。
【０１９６】
それでは、本実施例における表示入力システムで実現される動作について、幾つかの具体例を挙げながら説明する。
【０１９７】
まず、本実施例における表示入力システムを電子ブックリーダー端末として応用する例について説明する。
【０１９８】
今、前記第１の表示部２０Ａに小説のあるページが表示されているとする。この際に、小説のある単語に注がついていたとする。注は、典型的には、その章の最後にまとめられて記されていることが多いため、通常の本を読んでいる際には、数ページ、ページめくりをして、注がまとめられているページを探さなければならない。しかし、この代わりに、図３８に示されたように、めくり動作を行い、前記第２の表示部２０Ｂの一部を見えるようにした時に、その部分に注が表示されるように前記制御部１２で制御する。このようにすれば、両面印刷されている紙の裏側の情報を盗み見する感覚で、本実施例における表示入力システムを使用することができる。
【０１９９】
さらに、これを推し進めて、前記第１の表示部２０Ａに表示されている文章中のある単語の意味が分からなかったときに、その単語の表示されている部分を手の指でタッチしたり、その単語の周りをペンで囲む動作をした後に、めくり動作により、第２の表示部２０Ｂを参照すると、その部分に、先ほどの単語の意味を記した辞書の一部分が表示されたりすることが可能となる。また、前記第１の表示部２０Ａの文章を英訳したものを前記第２の表示部２０Ｂに表示することもできる。
【０２００】
この際、図３８に示されたような方向でめくり動作をした場合、第２の表示部９には第１の表示部２０Ａとは天地逆の方向で表示する必要がある。これは、この方向のめくり動作では、使用者２００から見える表示部の上下が逆転するからである。前記制御部１２では、このような状況も考慮し、このような場合には、天地逆に表示するような制御も併せて行う。
【０２０１】
次に、本実施例における表示入力システムを地図表示端末として応用する例を考える。
【０２０２】
今、前記第１の表示部２０Ａにこれから行きたい場所（例えば、レストラン）の住所を入力する。その後、図３８に示したように、下側をめくる動作を行うと、入力された住所の周囲の地図が前記第２の表示部２０Ｂのめくり部分に表示されるようなサービスを提供することができる。また、めくる方向を変えて、上からめくると、前記第２の表示部２０Ｂのめくり部分に行きたい地点までの順路を示した略地図を表示する、右からめくると、行きたい地点にあるレストランのメニュー情報や混み具合などが表示されるというように、めくり方によって、のぞき見する内容も変えることが可能である。
【０２０３】
以上で説明してきた本実施例における表示入力システムの動作をまとめる。
本実施例における表示入力システムを用いることで、使用者２００が表示入力システムの表面にある情報を参照したり、表面に情報を入力しながら、めくり動作などの表紙入力装置自身の幾何変化を伴う動作を行うことで、裏面にそれに対応した関連情報を表示し、裏面の関連情報をのぞき見することが可能となる。
【０２０４】
（第７の実施例）
次に、本発明の第７の実施例について説明する。
【０２０５】
図３９は、本発明の第７の実施例に係る表示入力システムの全体構成図であり、図４０は、本実施例に係る表示入力システムの外観図である。
【０２０６】
本実施例の表示入力システムは、表示部２０、幾何変化検出部３００、データ入力部５０を１つにまとめた入出力部１０を複数個と（図３９における１０ａ、１０ｂ…）、本実施例で新たに追加された、前記入出力部１０の位置変化や、複数の入出力部１０間のそれぞれの位置関係を検出することが可能な位置変化検出部７００、および、第５、第６の実施例に関して既に説明している制御部１２、記憶部５００、通信部６００とから構成される。
【０２０７】
制御部１２、記憶部５００、通信部６００については、基本的には第５実施例と同様の機能を持つものであるが、複数の入出力部１０ａ、１０ｂ、…からの入出力があるという点が異なる。
【０２０８】
前記制御部１２、記憶部５００、通信部６００は、図４０に示されたように、例えば、単語帳を束ねているのと同様のリング７１０の内部で１つにまとめられており、前記の複数の入出力部１０ａ、１０ｂ、…を束ねている。
まず、位置変化検出部７００について説明する。
【０２０９】
通常、紙の単語帳を操作する際には、図４１に示されたように、現在一番上に存在する紙をめくり、リング７１０に沿って一周させた後、一番下側に持ってくることで、ページめくりが行われる。ページを戻す際には、この逆の動作、つまり、一番下の紙を先ほど逆の方向にリング７１０に沿って動かすことで、一番上に持ってくる。また、重なっている部分の紙を参照する際には、重なっている紙をずらし、目的の紙部分を露出させる。位置変化検出部７００は、以上と同様の概念の操作を、本実施例における前記入出力部１０ａ、１０ｂ、…で行うことが可能なものである。
【０２１０】
位置変化検出部７００は、具体的には、前記入出力部１０ａ、１０ｂ、…が通過する部分にセンサを付け、前記入出力部１０ａ、１０ｂ、…が通過したか否か、通過した方向、通過速度を検出したり、前記入出力部１０ａ、１０ｂ、…の相対的な位置関係を検出したりする。
【０２１１】
センサは、例えば、ＬＥＤとフォトダイオードの組み合わせによって実現することができる。これは、近赤外光をＬＥＤで照射し、その反射光をフォトダイオードで取得するもので、センサ上に何もない場合には、反射光が返ってこないため、フォトダイオードでは何も取得されず、センサ上に前記入出力部１０が通過した瞬間に、前記入出力部１０に対する反射光が取得されるため、これを用いて検出することができる。また、このセンサを複数用いて、センサ間の検出の時間差を用いることで通過方向や速度なども知ることができる。
【０２１２】
また、前記入出力部１０ａ、１０ｂ、…にＩＲタグなどの識別タグを添付し、それらを検出することでも同様に、位置変化検出部７００を実現することができる。これらは、あくまでも実現のための一手法を説明したのみで、これに限定されるものではない。例えば、上記実施形態では、入出力部１０ａ、１０ｂ、…を束ねる手段としてリング７１０を使用したが、束ねる形状はリング状に限定されるものではない。
【０２１３】
次に、制御部１２について説明する。
【０２１４】
制御部１２は、
（１）前記入出力部１０ａ、１０ｂ、…からの出力として得られたそれぞれの幾何学的変化情報、または／および、入力情報をもとに前記入出力部１０ａ、１０ｂ、…内のそれぞれの表示部の表示内容を制御する
（２）前記位置変化検出部７００での検出結果をもとに、前記入出力部１０ａ、１０ｂ、…内のそれぞれの表示部の表示内容を制御する
（３）前記記憶部５００に格納されたデータの読み書きを制御する
（４）前記通信部６００における通信内容や通信方式、タイミングなどを制御する
（５）その他、機器の所定の動作の制御を行うためのものである（図３９参照）。
【０２１５】
制御部１２では、上述した、第５、第６実施例に関して説明した機能に加え、前記位置変化検出部７００での検出結果をもとに、前記入出力部１０ａ、１０ｂ、…内のそれぞれの表示部の表示内容を制御する。具体的には、前記位置変化検出部７００で検出したページめくりの結果に従って、現在一番上部にある前記入出力部の表示を更新するなどといったことを行う。
【０２１６】
以上で説明した本実施例における表示入力システムによれば、使用者２００は、実在する紙の単語帳を操作するのと同様の感覚で、本実施例における表示入力システムを操作することができる。つまり、従来のコンピュータの概念（ＷＩＭＰメタファー）を知らない人であっても、表示入力システムをあたかも紙の単語帳を触る感覚で直感的に操作することが可能となる。
【０２１７】
（第７の実施例の変形例）
上述した第７の実施例では、図３９に示されたように、幾何変化検出部３００、データ入力部５０を前記入出力部１０の内部にそれぞれ個別に持っていたが、これらを前記制御部１２、記憶部５００、通信部６００と同様に外部に持つように変更し、１つの幾何変化検出部３００、データ入力部５０で複数の前記入出力部１０ａ、１０ｂ、…、の幾何変化の検出、入力情報の取得を取得するように変形してもよい。
【０２１８】
（第８の実施例）
次に、本発明の第８の実施例について説明する。
【０２１９】
図４２は、本実施例に係る表示入力システムの全体構成図である。
【０２２０】
本実施例の表示入力システムは、第５実施例に、位置管理部８０２と、位置提示部８０４と、フィードバック部８０６が追加された構成を有する。位置管理部８０２は、表示部２０に提示されている情報の位置を管理する。位置提示部８０４は、位置管理部８０２で管理されている位置を提示する役割を有する。フィードバック部８０６は、前記位置提示部８０４上を手などで触ったときに、音や振動でフィードバックを行う役割を有する。
【０２２１】
以降、本実施例で追加された位置管理部８０２、位置提示部８０４、フィードバック部８０６について説明する。
【０２２２】
まず、位置管理部８０２について説明する。
【０２２３】
位置管理部８０２は、表示部２０に表示すべき全情報のうちで、現在、表示部２０に表示されている情報の位置を管理するものである。例えば、表示部２０に９ページから構成される小説の４ページ目が表示されているとする。この場合、全ページ数は９である、現在の位置は４ページ目である、これは全体の４／９である、などというように管理する。
【０２２４】
次に、位置提示部８０４について説明する。
【０２２５】
位置提示部８０４では、前記位置管理部８０２で管理されている位置を前記表示部２０上に提示するものである。位置提示部８０４は、例えば、前記表示部２０の下部を利用し、図４３（ａ）に示されたように、ページをタブ状に表現し、全ページ数と現在のページ位置、他のページの存在、などを使用者２００に直感的にイメージできるような形式で提示する。また、図４３（ｂ）に示されたように、表示部２０の左側に紙の累積のイメージ（図４４もあわせて参照のこと）を与えるようなものでもよい。いずれにせよ、位置提示部８０４では、使用者２００が実際の書籍などをイメージしやすいような方法で、使用者２００に全ページ数、現在のページ位置、他のページの存在など、前記表示部２０に表示されている情報の位置を視覚的に提示する。
【０２２６】
次に、フィードバック部８０６について説明する。
【０２２７】
フィードバック部８０６は、前記位置提示部８０４上を手などで触ったときに、音や振動でフィードバックを行い、使用者２００が前記位置提示部８０４によって提示された内容を触覚や聴覚などで直感的に理解するものである。
【０２２８】
以降、振動によるフィードバックを例として説明するが、フィードバックはこれに限定されたものではない。
【０２２９】
実際の書籍のページをめくる際、通常、図４４に示されたように、手の指を紙の端部分で滑らせることで、ぱらぱらとページめくりを行うことが多い。この際、手の指には、ページがめくり動作によって通過する際の摩擦により、１枚毎に触覚的なフィードバックがされることで、現在、どのくらいページをめくったかを直感的に知ることができる。フィードバック部８０６は、この感覚を本実施例に係る紙型の電子機器に導入するためのものである。
【０２３０】
具体的には、図４５に示したように、前記位置提示部８０４上で手の指を滑らした時に、前記位置提示部８０４が示すページ境界上を通過した際に、振動を発生させる。図４６Ａ示したように、使用者２００が触れるページの位置に応じて、図４６Ｂに例示したように振動の量を変えると効果的である。例えば、現在、手の指が１と２ページの境界にあるときには、小さな振動を、このページ位置が増えていくに従って徐々に大きな振動を与えるようにすることで、現在、手の指がある位置に対応するページ位置を直感的に知ることができる。また、現在のページを中心に、このページから離れるほど振動を大きくすることで、現在のページから、手の指がある位置に対応するページまでの距離を直感的に知ることができる。
【０２３１】
そして、手の指を離したときに、その位置に対応したページを前記表示部２０で表示するように、前記制御部１２で制御することで、ページめくりを直感的に、簡単に行うことが可能となる。
【０２３２】
以上で説明した本実施例における表示入力システムによれば、使用者２００は、実在する書籍を手の指でめくるのと同様の感覚で、本実施例における表示入力システムに表示された情報の位置を変更する操作することができる。具体的には、電子ブックリーダーなど本実施例における表示入力システムを応用した際に、そのページめくりを手の指を用いて行うことができる。この際に、振動などのフィードバックも実際の書籍から得られるのと同様の感覚で得ることができる。これにより、従来のコンピュータの概念（ＷＩＭＰメタファー）を知らない人であっても、表示入力システムをあたかも紙の書籍を触る感覚で直感的に操作することが可能となる。
【０２３３】
（第９の実施例）
次に、本発明の第９の実施例について説明する。
【０２３４】
図４７は、本実施例に係る表示入力システムの全体構成図である。
【０２３５】
本実施例の表示入力システムは、第５実施例に関して説明した表示部２０の代わりに、同様の機能を持つ第１の表示部２０Ａと、第２の表示部２０Ｂとを有する。また、本実施例における制御部１２は、データ入力部５０で取得した入力情報をもとに第１の表示部２０Ａの表示内容、第２の表示部２０Ｂの表示内容をそれぞれ個別に制御することが可能なものである。さらに、第１の表示部２０Ａと、第２の表示部２０Ｂに提示されている情報の位置を管理する位置管理部８２０と、前記位置管理部８２０で管理されている位置に基づき、第１の表示部２０Ａおよび第２の表示部２０Ｂの重量配分を制御する重量配分制御部８２２が追加された構成となっている。
【０２３６】
それ以外の、幾何変化検出部３００、データ入力部５０、制御部１２、記憶部５００、通信部６００については、第５の実施例と実質的に同様とすることができる。
【０２３７】
まず、第１の表示部２０Ａおよび第２の表示部２０Ｂについて説明する。
【０２３８】
図４８は、これら表示部の配置関係を例示する平面図である。第１の表示部２０Ａおよび第２の表示部２０Ｂは、第６実施例に関して説明したものと同様であるがその配置される位置関係が異なっている。すなわち、第１の表示部２０Ａと第２の表示部２０Ｂとは、典型的には、書籍の見開きの２ページのように、左右の関係の位置に配置される。
【０２３９】
次に、位置管理部８２０について説明する。
【０２４０】
位置管理部８２０は、第８実施例に関して前述したものと同様に、前記第１の表示部２０Ａおよび第２の表示部２０Ｂに表示されている情報の位置を管理するものである。
【０２４１】
次に、重量配分制御部８２２について説明する。
【０２４２】
重量配分制御部８２２は、前記位置管理部８２０で管理されている位置に基づき、前記第１の表示部２０Ａおよび第２の表示部２０Ｂの重量配分を制御するものである。これは、具体的には、前記第１の表示部２０Ａ、第２の表示部２０Ｂの両方に渡って移動可能な球状のおもりを用意し、これの位置を制御することで、前記第１の表示部２０Ａ、第２の表示部２０Ｂにおける重量配分を変更する。なお、重量配分の変更方法はあくまでも一手法であり、これに限定されるものではない。
【０２４３】
以上で説明した重量配分の変更により、前記第１の表示部２０Ａの側を、第２の表示部２０Ｂの側よりも何％重くするなどといった制御が可能となる。
【０２４４】
図４９に示したように、実際の書籍を読んでいる状況を考える。この際、書籍を読み始めた初期の段階では、あるいは、書籍の比較的始めの方にある文章を読んでいる際には、図４９（ａ）に示すように、左側ページの方がページ数が少ないため軽く、右側ページの方が重い。
【０２４５】
逆に、書籍の文書を読み進めていくと、あるいは書籍の終わりの方にある文章を参照すると、左側ページの方が軽くなってゆき、右側ページの方が重くなっていく（図４９（ｂ）参照）。このように、書籍を読んでいる際に、読者は、その重量配分を知らず知らずのうちに感じている。小説を読む場合、読み進めていくことによって、ページ数が減っていくという視覚的な情報だけでなく、ページ数の減少に伴う重量の軽減を感覚的に感じている訳である。また、辞書などの任意の情報にアクセスする際に、その左右の重量配分を直感的に感じて、「確か、もっと左ページが重かったはず」といったことを無意識に行っていると考えられる。
【０２４６】
このように、書籍の重量変化も、使用者２００に情報に直感的にアクセスするための重要な情報の一つと考えられる。本実施例における表示入力システムは、この重量変化の感覚を使用者２００に直感的に与えるものである。以上で説明した本実施例における表示入力システムによれば、使用者２００は、情報の提示位置によって機器から与えられる前記第１および第２の表示手段の重量配分の変化によって、使用者２００が現在アクセスしている情報の位置を直感的に知ることができる。
【０２４７】
（第９の実施例の変形例）
第９の実施例では、本の見開きの２ページのように左右に配置された第１の表示部２０５と、第２の表示部２０６とから構成されるとした。これを第５実施例に関して説明したような表示部２０の１つのみから構成されるように変更することもできる。
【０２４８】
図５０は、本変型例の表示入力システムにおける表示部５０を例示する平面図である。
【０２４９】
この場合、前記表示部２０の表示領域を２分割し、前記第１の表示部２０Ａと、第２の表示部２０Ｂにそれぞれ分割されて表示されている２ページ分の情報を、前記表示部２０内に全て表示するようにすればよい。そして、前記重量配分制御部８２２によって、前記表示部２０内の重量配分を変更するように制御するようにすればよい。
【０２５０】
（第１０の実施例）
次に、本発明の第１０の実施例について説明する。
【０２５１】
図５１は、本実施例にかかる表示入力システムの全体構成を表す概念図である。
【０２５２】
また、図５２〜図５４は、その使用状態を表す模式図である。
【０２５３】
すなわち、本実施例の表示入力装置１０も、表示部２０と、形状変化検出部３０と、を有する。ただし、形状変化検出部３０は、表示部２０の全面をカバーしている訳ではなく、表示部２０よりも下側に選択的に設けられている。この形状変化検出部３０は、表示入力装置１０に加えられた「曲げ」を検出して表示を切り替える役割を有する。
【０２５４】
またさらに、第１及び第２のデータ入力部５０Ａ、５０Ｂを有する。第１のデータ入力部５０Ａは、表示切り替え機能のＯＮ／ＯＦＦを制御するために用いられる。また、第２データ入力部５０Ｂは、表示切り替え後に状態を選択するために用いられる。
【０２５５】
本実施例の表示入力システムは、例えば、Ａ４サイズ程度の縦置き書面が一目で見られるサイズを有する。そして、使用者２００は、表示入力装置１０の下側の中央部を挟んで支えながら、親指でボタンを操作するよう設計されている。図５１、図５２には表されていないが、この表示入力装置１０も、制御部１２や記憶部５００、通信部６００などを必要に応じて有する。第１及び第２のデータ入力部５０Ａ、５０Ｂは、その使い勝手に応じて、上下左右方向に適宜移動させて設けてもよい。
【０２５６】
そして、使用者２００は、第１のデータ入力部５０Ａを押しながら、図５２Ａ、図５２Ｂ、図５２Ａの順に変型させ、表示入力装置１０を一時的に曲げる。この「曲げ」は、形状変化検出部３０により検出される。すると、表示部２０の表示が、図５３Ａ〜図５３Ｄに表したいずれかの表示に切り替わる。例えば、図５２Ａは選択肢Ａがアクティブになった状態、図５２Ｂは選択肢Ｂがアクティブになった状態をそれぞれ表す。図５２Ａ及び図５２Ｂに表したように、「曲げ」を一回加えて元に戻す操作によって、アクティブな選択肢が切り替わるようにすることができる。なお、図５２においては、簡単のために４つの選択肢Ａ〜Ｄが用意された場合を例示したが、選択肢の数や配置、アクティブ時の表示体裁は種々変えることができる。
【０２５７】
図５２に表したように一時的に「曲げ」を加える操作の繰り返すことにより、メニューをスクロールさせ、所望の選択肢をアクティブにした後、図５４に表したように、第２のデータ入力部５０Ｂを押すことによりアクティブにされている選択肢を選択する。以上の操作は、全て片手で行うことが可能である。また、多段階に選択することにより、階層型メニューにも対応可能である。
【０２５８】
本実施例によれば、第１のデータ入力部５０Ａを押している間だけ、「曲げ」による入力が可能となるので、誤操作を回避できる。またさらに、第２のデータ入力部５０Ｂを押すことによって、アクティブな選択肢を選択することができる。
【０２５９】
つまり、メニュースクロール時はボタン位置を気にせずにおおまかな感覚で操作でき、選択肢を決定する時のみ意識付けされるため、簡便ながら正確な操作を促すユーザインタフェースを提供できる。
また、図５２Ｂに表したように「曲げ」を加えた後に、図５２Ａに表したように、フラットに戻した状態において、装置全体が軽く曲がってもよい。特に、図５２Ｂに例示したように、表示部２０の長軸の周りに曲げ変形を軽く加えておくと、これとは垂直な方向の（長軸に沿った）曲げ変形が抑制される。このため、第１及び第２のデータ入力部５０Ａ、５０Ｂを押す際などに動作が安定する。
【０２６０】
（第１１の実施例）
次に、本発明の第１１の実施例について説明する。
【０２６１】
図５５は、本発明に係る別の表示入力システムを表す模式図である。
【０２６２】
また、図５６〜図５８は、その操作手順を表す概念図である。
【０２６３】
すなわち、本実施例の表示入力装置１０も、第１０実施例のものと類似した構造を有する。しかし、第２のデータ入力部５０Ｂとして、タッチパネルが設けられている。すなわち、タッチパネル５０Ｂは、表示部２０の上に積層され、アクティブにされた選択肢を決定するために用いることができる。
【０２６４】
本実施例おいても、第１のデータ入力部５０Ａを押しながら、片手保持状態で図５６に表したように「曲げ」を加える。すると、「曲げ」を加えたたびに、選択肢Ａ〜Ｄのいずれかが順にアクティブになる。例えば、図５７Ａは、選択肢Ａがアクティブにされた状態を表し、図５７Ｂは、選択肢Ｂがアクティブにされた状態を表す。
【０２６５】
このように、表示入力装置１０を一時的に曲げる操作を繰り返すことにより、メニューバー上の選択肢Ａ〜Ｄをスクロールする。そして、所望の選択肢をアクティブにした後、図５８に表したように、指示手段２１０によって、その選択肢の中の小項目を選択する。この時に、タッチパネル５０Ｂに入力する。ここでの、指示手段２１０はペン型スタイラスには限定されず、直接指で触れてもよい。また、タッチパネルの代わりに、視線検知方式により入力してもよい。
【０２６６】
一連の操作の大部分は片手でできるため、揺れの激しい電車やバスなどの車両内での使用時等、常に両手があかない環境下での操作性が向上する。
【０２６７】
（第１２の実施例）
次に、本発明の第１２の実施例について説明する。
【０２６８】
図５９は、本実施例に係る表示入力システムを表す模式図である。
【０２６９】
また、図６０は、その操作手順を表す概念図である。
【０２７０】
本実施例の表示入力装置１０は、掌に収まるサイズで、形状変化検出部３０と、ジョグホイール式のデータ入力部５０とが設けられている。データ入力部５０は、曲げ検知のＯＮ／ＯＦＦ切り替えと、選択ボタンとを兼ねる。すなわち、データ入力部５０を押している間は、曲げ入力機能がＯＮにされる。また、データ入力部５０を押すことにより、アクティブな選択肢を選択することもできる。また一方、データ入力部５０のホイールを回転させることで、選択項目や表示画面のスクロールを行うことができる。
【０２７１】
図面には、左の掌で挟んで支持しながら、親指でジョグホイール状のデータ入力部５０を操作する場合を例示したが、これとは逆に、右掌の上で操作できるようにしてもよい。
【０２７２】
本実施例の表示入力装置１０を操作する場合、使用者２００は、データ入力部５０を押しながら、片手保持状態で、図６０Ａ→図６０Ｂ→図６０Ａの如く、表示入力装置１０を一時的に曲げることで、メニュー表示に切り替える。
【０２７３】
その後、データ入力部５０のホイールを回転させることにより、選択肢のいずれかをアクティブにする。しかる後に、データ入力部５０を再び押すことにより、アクティブにされている選択肢を選択することができる。
【０２７４】
（第１３の実施例）
次に、本発明の第１３の実施例について説明する。
【０２７５】
図６１は、本実施例に係る表示入力システムを表す模式図である。
【０２７６】
また、図６２及び図６３は、その操作手順を表す概念図である。
【０２７７】
本実施例の表示入力装置１０も、第１２実施例と同様に、掌に収まるサイズの装置である。そして、第１のデータ入力部５０Ａが装置の脇に設けられ、第２のデータ入力部５０Ｂは装置の背面に設けられている。
【０２７８】
第１のデータ入力部５０Ａは、「曲げ」検知機能のＯＮ／ＯＦＦスイッチである。また、第２のデータ入力部５０Ｂは、最終的な状態を選択するためのボタン式スイッチである。これらは、それぞれ別の指で押して操作できる。
【０２７９】
なお、第２のデータ入力部５０Ｂは、単なる押圧ボタンではなく、押圧方向に指向性のあるボタン、ジョグダイヤル、ジョグホイールやトラッキングパッド等で構成してもよい。
【０２８０】
使用者２００は、第１のデータ入力部５０Ａを押しながら、片手保持状態で、図６２に表したように、表示入力装置１０に一時的な「曲げ」を加えることにより、表示部２０の表示を切り替えることができる。例えば、「曲げ」を加えるたびに、図６３に表したような選択肢Ａ〜Ｄが順にアクティブにされる。なお、図６３は、選択肢Ｂがアクティブにされた状態を例示する。
【０２８１】
この状態において、第２のデータ入力部５０Ｂを押すことにより、アクティブな選択肢を選択することができる。
【０２８２】
（第１４の実施例）
次に、本発明の第１４の実施例について説明する。
【０２８３】
図６４は、本実施例に係る表示入力システムを表す模式図である。本実施例の表示入力装置１０は、その上端の両側に姿勢変化検出部４０を有する。この表示入力装置１０は、例えば、多ページにわたる書籍コンテンツを高速に閲覧できる電子ビューアーとして用いることができる。表示部２０の下には、第１のデータ入力部５０Ａと第２のデータ入力部５０Ｂが設けられている。また、その内部には、形状変化検出部３０が設けられている。
【０２８４】
使用者２００は、例えば、第１のデータ入力部５０Ａを押しながら、図６４Ｂに例示した如く表示入力装置１０に一時的な「曲げ」を加えることで、ページめくり操作を実行できる。
【０２８５】
また、このように、第１のデータ入力部５０Ａを押しながら「曲げ」を加えた状態において、図６５Ａように全体を傾ける。すると、姿勢変化検出部４０がこの傾斜を検出し、表示部２０において右から左へページがめくれる。
【０２８６】
また、これとは逆に、図６５Ｂのように全体を傾けると、左から右へページがめくれる。
【０２８７】
姿勢変化検出部４０は、傾斜の絶対値を検出してもよいし、また、傾斜の速度または加速度を検出するようにしてもよい。また、姿勢変化検出部４０は、ひとつのみ設けてもよい。但し、姿勢変化検出部４０として加速度センサなどを用いる場合、装置１０の左右にそれぞれ設けることによって、左右方向の傾斜を高い感度で検出することが可能となる。
【０２８８】
姿勢変化検出部４０から得られる検出信号のレベルに応じて、閾値未満（ページめくり停止）から上限値超の高速ページめくりモードまで、段階的な操作が可能である。また、高速ページめくりモードから瞬時に停止状態へ遷移できるよう、第１のデータ入力部５０Ａのボタンを離すと強制的にページめくりを停止するようにしてもよい。
【０２８９】
また、第２のデータ入力部５０Ｂを用いて、コンテンツ入れ替え等の操作選択を行うことができる。
【０２９０】
（第１５の実施例）
次に、本発明の第１５の実施例について説明する。
【０２９１】
図６６は、本実施例に係る表示入力システムを表す模式図である。本実施例の表示入力装置１０は、第１４実施例における姿勢変化検出部４０の位置を変えたものである。
【０２９２】
すなわち、本実施例においては、図６７に表したように、装置１０を前後に傾斜させることで上下方向のページめくり（日めくりカレンダーで行うのに類似の操作）を行えるようにした。その他の操作方法は、第１４の実施例などと概略同様とすることができる。
【０２９３】
また、本実施例においても、姿勢変化検出部４０は、傾斜の絶対値を検出してもよいし、また、傾斜の速度または加速度を検出するようにしてもよい。また、姿勢変化検出部４０は、ひとつのみ設けてもよい。但し、姿勢変化検出部４０として加速度センサなどを用いる場合、装置１０の上下にそれぞれ設けることによって、上下方向の傾斜を高い感度で検出することが可能となる。
【０２９４】
以上、具体例を参照しつつ本発明の実施の形態について説明した。しかし、本発明は、上述した各具体例に限定されるものではない。
【０２９５】
例えば、本発明において用いる表示部２０、形状変化検出部３０の構造は、前述した具体例には限定されず、その各要素の形状、材料、寸法、導電型などに関しては、当業者が適宜設計変更したものも、本発明の特徴を有する限り本発明の範囲に包含される。
【０２９６】
例えば、本発明において用いる半導体層は、アモルファスシリコンすなわち非結晶性のシリコンにより形成することもできる。
【０２９７】
また、本発明における表示部２０として用いることができるものは、前述の如く液晶表示装置以外にも、ＥＬをはじめとする各種の自発光タイプの表示装置やその他、柔軟性を与えることが可能な各種の表示装置を挙げることができる。
【０２９８】
また、本発明において用いるタッチパネルについても、上述した具体例には限定されず、当業者が適宜選択しうるあらゆる構造のタッチパネルを同様に用いることができる。
【０２９９】
以上の各実施形態やその変形例は、適宜組み合わせて実施することが可能である。また、上記の各実施形態では、表示部を有する表示入力装置または表示入力システムの例として説明したが、これらは表示内容の制御に止まらず、システム自体のＯＮ／ＯＦＦ等の操作をも含むものであり、これらは新規なマンマシン・インタフェース装置としての応用が可能である。
【０３００】
本願発明の実施形態で使用された各種処理をコンピュータで実行可能なプログラムで実現し、このプログラムをコンピュータで読みとり可能な記憶媒体に記憶して提供することも可能である。
【０３０１】
なお、本願発明における記憶部としては、磁気ディスク、フレキシブルディスク、ハードディスク、光ディスク（ＣＤ−ＲＯＭ、ＣＤ−Ｒ、ＤＶＤ等）、光磁気ディスク（ＭＯ等）、半導体メモリ等、プログラムを記憶でき、かつコンピュータまたは組み込みシステムが読みとり可能な記憶部であれば、その記憶形式は何れの形態であってもよい。
【０３０２】
また、記憶部からコンピュータや組み込みシステムにインストールされたプログラムの指示に基づきコンピュータ上で稼働しているＯＳ（オペレーションシステム）や、データベース管理ソフト、ネットワーク等のＭＷ（ミドルウェア）等が本実施例を実現するための各処理の一部を実行してもよい。
【０３０３】
さらに、本願発明における記憶部は、コンピュータあるいは組み込みシステムと独立した媒体に限らず、ＬＡＮやインターネット等により伝達されたプログラムをダウンロードして記憶または一時記憶した記憶部も含まれる。
【０３０４】
また、記憶部は１つに限られず、複数の記憶部から本実施例における処理が実行される場合も、本実施例における記憶部に含まれ、媒体の構成は何れの構成であってもよい。
【０３０５】
なお、本願発明におけるコンピュータまたは組み込みシステムは、記憶部に記憶されたプログラムに基づき、本実施例における各処理を実行するためのものであって、パソコン、マイコン等の１つからなる装置、複数の装置がネットワーク接続されたシステム等の何れの構成であってもよい。
【０３０６】
また、本願発明におけるコンピュータとは、パソコンに限らず、情報処理機器に含まれる演算処理装置、マイコン等も含み、プログラムによって本願発明の機能を実現することが可能な機器、装置を総称している。
【０３０７】
なお、本発明は、上記実施形態に限定されるものではなく、実施段階ではその要旨を逸脱しない範囲で種々に変形することが可能である。さらに、上記実施形態には種々の段階の発明は含まれており、開示される複数の構成要件における適宜な組み合わせにより、種々の発明が抽出され得る。例えば、実施形態に示される全構成要件からいくつかの構成要件が削除されても、発明が解決しようとする課題の欄で述べた課題（の少なくとも１つ）が解決でき、発明の効果の欄で述べられている効果（の少なくとも１つ）が得られる場合には、この構成要件が削除された構成が発明として抽出され得る。
【０３０８】
すなわち、本発明は各具体例に限定されるものではなく、その要旨を逸脱しない範囲で、種々変形して実施することが可能であり、これらすべては本発明の範囲に包含される。
【０３０９】
【発明の効果】
以上詳述したように、本発明によれば、従来とは全く異なる発想に基づき、アナログ的なデータの入力を簡単且つ直感的な操作によって行うことができる表示入力装置及びこれを備えた表示入力システムを提供することができ、産業上のメリットは多大である。
【図面の簡単な説明】
【図１】本発明の表示入力システムを表す概念図である。
【図２】本発明の表示入力装置の基本的な断面構成を例示する模式図である。
【図３】本発明においてアナログ的に入力する原理を表す模式図である。
【図４】「曲げ」の速度を変えた場合を表す模式図である。
【図５】本発明において「曲げ」の方向により入力を区別する原理を表す模式図である。
【図６】形状変化検出部３０の構造を例示する概念図である。
【図７】抵抗性材料を用いた感知層３５の作用を説明する模式図である。
【図８】図７に表したセルの応答特性を例示するグラフである。
【図９】形状変化検出部３０に「曲げ」が加えられた状態を説明する概念図である。
【図１０】形状変化検出部３０の回路構成を例示する模式図である。
【図１１】形状変化検出部３０の別の回路構成を例示する模式図である。
【図１２】形状変化検出部３０の別の構成を表す模式図である。
【図１３】形状変化検出部３０を分割して設けた表示入力装置を表す模式図である。
【図１４】形状変化検出部３０を分割して設けた表示入力装置を表す模式図である。
【図１５】複数の形状変化検出部が積層された表示入力装置を例示する模式図である。
【図１６】アナログ信号出力１、２を取り出す実施形態を表す模式図である。
【図１７】アナログ信号出力１、２を処理部ＳＰにおいて信号処理し、アナログ出力とデジタル出力とを得る実施形態を表す模式図である。
【図１８】積層型の表示入力装置の変型例を表す模式図である。
【図１９】アナログ信号出力１、２を処理して、アナログ出力とデジタル出力を得る実施形態を表す模式図である。
【図２０】タッチパネルと組み合わせた本発明の表示入力装置を表す模式図である。
【図２１】タッチパネルと形状変化検出部からの出力をそれぞれ別々に利用する実施形態に表す模式図である。
【図２２】タッチパネル５０からのデジタル出力と形状変化検出部３０からのアナログ出力１とを処理して、アナログ出力２を得る実施形態を表す模式図である。
【図２３】本発明の実施例において用いた液晶表示装置の製造工程の要部を表す工程断面図である。
【図２４】本発明の実施例において用いた液晶表示装置の製造工程の要部を表す工程断面図である。
【図２５】本発明の実施例において用いた液晶表示装置の製造工程の要部を表す工程断面図である。
【図２６】本発明の実施例の表示入力装置の断面構造を表す模式図である。
【図２７】本発明の実施例の表示入力装置の要部の平面配置関係を表す模式図である。
【図２８】本発明の第５の実施例に係る表示入力システムの構成例を概略的に示すブロック図である。
【図２９】本発明の第５の実施例に係る表示入力システムのイメージを説明するための外観図である。
【図３０】表示部の形状変化を説明するための図である。
【図３１】表示部の形状変化を説明するための図である。
【図３２】表示部の形状変化を説明するための図である。
【図３３】表示部の形状変化を説明するための図である。
【図３４】手書き入力について説明するための図である。
【図３５】表示部の姿勢変化を説明するための図である。
【図３６】本発明の第５の実施例の変形例に係る表示入力システムの構成例を概略的に示すブロック図である。
【図３７】本発明の第６の実施例に係る表示入力システムの構成例を概略的に示すブロック図である。
【図３８】めくり動作を説明するための図である。
【図３９】本発明の第７の実施例に係る表示入力システムの構成例を概略的に示すブロック図である。
【図４０】本発明の第７の実施例に係る表示入力システムのイメージを説明するための外観図である。
【図４１】単語帳での動作を説明するための図である。
【図４２】本発明の第８の実施例に係る表示入力システムの構成例を概略的に示すブロック図である。
【図４３】位置提示部について説明するための外観図である。
【図４４】書籍のページめくり動作を説明するための図である。
【図４５】手の指でのページめくり動作を説明するための図である。
【図４６】フィードバックの方法を説明するための図である。
【図４７】本発明の第９の実施例に係る表示入力システムの構成例を概略的に示すブロック図である。
【図４８】本発明の第９の実施例に係る表示入力システムの外観の概略図である。
【図４９】書籍における重量配分変化を説明するための図である。
【図５０】本発明の第９の実施例の変型例に係る表示入力システムの外観の概略図である。
【図５１】本発明の第１０の実施例にかかる表示入力システムの全体構成を表す概念図である。
【図５２】本発明の第１０の実施例にかかる表示入力システムの使用状態を表す模式図である。
【図５３】本発明の第１０の実施例にかかる表示入力システムの使用状態を表す模式図である。
【図５４】本発明の第１０の実施例にかかる表示入力システムの使用状態を表す模式図である。
【図５５】本発明の第１１の実施例にかかる表示入力システムを表す模式図である。
【図５６】本発明の第１１の実施例にかかる表示入力システムの操作手順を表す概念図である。
【図５７】本発明の第１１の実施例にかかる表示入力システムの操作手順を表す概念図である。
【図５８】本発明の第１１の実施例にかかる表示入力システムの操作手順を表す概念図である。
【図５９】本発明の第１２の実施例にかかる表示入力システムを表す模式図である。
【図６０】本発明の第１２の実施例にかかる表示入力システムの操作手順を表す概念図である。
【図６１】本発明の第１３の実施例にかかる表示入力システムを表す模式図である。
【図６２】本発明の第１３の実施例にかかる表示入力システムの操作手順を表す概念図である。
【図６３】本発明の第１３の実施例にかかる表示入力システムの操作手順を表す概念図である。
【図６４】本発明の第１４の実施例にかかる表示入力システムを表す模式図である。
【図６５】本発明の第１４の実施例にかかる表示入力システムの操作手順を表す概念図である。
【図６６】本発明の第１５の実施例にかかる表示入力システムを表す模式図である。
【図６７】本発明の第１５の実施例にかかる表示入力システムの操作手順を表す概念図である。
【符号の説明】
１０　表示入力装置
１２　制御判定部
２０、２０Ａ、２０Ｂ　表示部
３０　形状変化入力部
３０Ａ　形状変化検出部
３３　電極
３３Ｓ　走査回路
３５　感知層
４０　姿勢変化検出部
５０　データ入力部
５１　ガラス基板
５２　シリコン窒化膜
５３　島構造
５４、５５　絶縁膜
５６　層間絶縁膜
５７　ソース電極
５８　ドレイン電極
６１　仮着層
６２　樹脂シート
６３　仮着層
６４　接着層
６５　支持基板
７０　対向基板
７１　電極
７２　層
７３　電極
７４　層間絶縁膜
７５　対向電極
７６　液晶層
７７　薄膜トランジスタ
７８　画素電極
７９　支持基板
１０００　外部連携機器
１２０　表示駆動部
１３０　信号判定部
２００　ユーザ
２０５、２０６　表示部
２１０　指示手段
３００　幾何変化検出部
４００　フレックス補助部
５００　記憶部
６００　通信部
７００　位置変化検出部
７１０　リング
８０２　位置管理部
８０２　前記位置管理部
８０４　位置提示部
８０６　フィードバック部
８２０　位置管理部
８２２　重量配分制御部
９００　回路部
ＳＰ　処理部
ＵＶ　紫外線光
Ｖ　電圧源
【図１】
2004046792.tif 000003
【図２】
2004046792.tif 000004
【図３】
2004046792.tif 000005
【図４】
2004046792.tif 000006
【図５】
2004046792.tif 000007
【図６】
2004046792.tif 000008
【図７】
2004046792.tif 000009
【図８】
2004046792.tif 000010
【図９】
2004046792.tif 000011
【図１０】
2004046792.tif 000012
【図１１】
2004046792.tif 000013
【図１２】
2004046792.tif 000014
【図１３】
2004046792.tif 000015
【図１４】
2004046792.tif 000016
【図１５】
2004046792.tif 000017
【図１６】
2004046792.tif 000018
【図１７】
2004046792.tif 000019
【図１８】
2004046792.tif 000020
【図１９】
2004046792.tif 000021
【図２０】
2004046792.tif 000022
【図２１】
2004046792.tif 000023
【図２２】
2004046792.tif 000024
【図２３】
2004046792.tif 000025
【図２４】
2004046792.tif 000026
【図２５】
2004046792.tif 000027
【図２６】
2004046792.tif 000028
【図２７】
2004046792.tif 000029
【図２８】
2004046792.tif 000030
【図２９】
2004046792.tif 000031
【図３０】
2004046792.tif 000032
【図３１】
2004046792.tif 000033
【図３２】
2004046792.tif 000034
【図３３】
2004046792.tif 000035
【図３４】
2004046792.tif 000036
【図３５】
2004046792.tif 000037
【図３６】
2004046792.tif 000038
【図３７】
2004046792.tif 000039
【図３８】
2004046792.tif 000040
【図３９】
2004046792.tif 000041
【図４０】
2004046792.tif 000042
【図４１】
2004046792.tif 000043
【図４２】
2004046792.tif 000044
【図４３】
2004046792.tif 000045
【図４４】
2004046792.tif 000046
【図４５】
2004046792.tif 000047
【図４６】
2004046792.tif 000048
【図４７】
2004046792.tif 000049
【図４８】
2004046792.tif 000050
【図４９】
2004046792.tif 000051
【図５０】
2004046792.tif 000052
【図５１】
2004046792.tif 000053
【図５２】
2004046792.tif 000054
【図５３】
2004046792.tif 000055
【図５４】
2004046792.tif 000056
【図５５】
2004046792.tif 000057
【図５６】
2004046792.tif 000058
【図５７】
2004046792.tif 000059
【図５８】
2004046792.tif 000060
【図５９】
2004046792.tif 000061
【図６０】
2004046792.tif 000062
【図６１】
2004046792.tif 000063
【図６２】
2004046792.tif 000064
【図６３】
2004046792.tif 000065
【図６４】
2004046792.tif 000066
【図６５】
2004046792.tif 000067
【図６６】
2004046792.tif 000068
【図６７】
2004046792.tif 000069
【手続補正書】
【提出日】平成15年7月8日(2003.7.8)
【手続補正３】
【補正対象書類名】明細書
【補正対象項目名】全文
【補正方法】変更
【補正の内容】
【発明の詳細な説明】
【特許請求の範囲】
【請求項１】柔軟性を有する表示部と、
前記柔軟性に起因した変位を電気的な特性の変化として検出可能な第１の形状変化検出部と、
を備えたことを特徴とする表示入力装置。
【請求項２】前記第１の形状変化検出部は、前記表示部に積層されたことを特徴とする請求項１記載の表示入力装置。
【請求項３】前記第１の形状変化検出部は、前記表示部の表示面に近接して延在していることを特徴とする請求項１記載の表示入力装置。
【請求項４】前記電気的な特性の変化は、前記変位の量に依存することを特徴とする請求項１〜３のいずれか１つに記載の表示入力装置。
【請求項５】前記第１の形状変化検出部は、一対の導電層と、それらの間に設けられた感知層と、を有し、前記変位が加えられた時に前記一対の導電層の間の抵抗が変化することを特徴とする請求項１〜４のいずれか１つに記載の表示入力装置。
【請求項６】前記第１の形状変化検出部は、複数の分割領域からなり、それら分割領域のそれぞれは、前記変位を独立に検出可能であることを特徴とする請求項１〜５のいずれか１つに記載の表示入力装置。
【請求項７】前記第１の形状変化検出部または前記表示部に積層された第２の形状変化検出部をさらに備えたことを特徴とする請求項１〜６のいずれか１つに記載の表示入力装置。
【請求項８】前記表示部は、柔軟性を有する材料からなる一対の基板を有し、
前記形状変化検出部は、柔軟性を有する材料からなる一対の基板を有し、
前記表示部と前記形状変化検出部とが接着されてなることを特徴とする請求項１〜７のいずれか１つに記載の表示入力装置。
【請求項９】前記表示部は、柔軟性を有する材料からなる一対の基板を有し、
前記形状変化検出部は、前記一対の基板の間に設けられたことを特徴とする請求項１〜７のいずれか１つに記載の表示入力装置。
【請求項１０】請求項１記載の表示入力装置と、
前記表示部に画像表示信号を与える表示駆動部と、
前記第１の形状変化検出部における前記電気的な特性の変化に基づいて、前記変位に対応した入力データを判定する信号判定部と、
を備え、
前記表示入力装置に対して前記変位を加えることにより第１のデータの入力を可能としたことを特徴とする表示入力システム。
【請求項１１】請求項４記載の表示入力装置と、
前記表示部に画像表示信号を与える表示駆動部と、
前記第１の形状変化検出部における前記電気的な特性の変化に基づいて、前記変位に対応した入力データを判定する信号判定部と、
を備え、
前記変位の量に応じて連続的に変化する前記電気的な特性を数値変換して第１のデータとすることを特徴とする表示入力システム。
【請求項１２】請求項７記載の表示入力装置と、
前記表示部に画像表示信号を与える表示駆動部と、
前記第１の形状変化検出部及び第２の形状変化検出部における前記電気的な特性の変化に基づいて、前記変位に対応した入力データを判定する信号判定部と、
を備え、
前記変位を加えることにより、前記第１の形状変化検出部と前記第２の形状変化検出部の電気的な特性の変化の違いに依存した第１のデータの入力を可能としたことを特徴とする表示入力システム。
【請求項１３】前記信号判定部は、前記変位の速度または加速度に基づいて前記入力データを判定することを特徴とする請求項１０〜１２のいずれか１つに記載の表示入力システム。
【請求項１４】使用者の操作により第２のデータの入力が可能なデータ入力部をさらに備え、前記データ入力部に入力される前記第２のデータに基づいて、前記第１のデータの入力の可否を決定することを特徴とする請求項１０〜１２のいずれか１つに記載の表示入力システム。
【請求項１５】前記表示入力装置の姿勢の変化を検出する姿勢変化検出部をさらに備え、
前記信号判定部は、前記姿勢変化検出部により検出される前記姿勢の変化を加味して前記入力データを判定することを特徴とする請求項１０〜１２のいずれか１つに記載の表示入力システム。
【請求項１６】前記形状変化検出部は、前記表示部の表示面に近接して延在していることを特徴とする請求項１０〜１２のいずれか１つに記載の表示入力システム。
【請求項１７】可撓性を有するシート状の表示入力システムであって、
電子的に情報表示が可能なシート状の表示手段と、
前記表示手段の形状変化及び姿勢変化の少なくとも一方を幾何学変化として検出する幾何変化検出手段と、
前記幾何変化検出手段で検出した幾何学変化に基づいて前記表示手段の表示内容を制御する表示制御手段と
を具備してなることを特徴とする表示入力システム。
【請求項１８】可撓性を有し電子的に情報表示が可能で、互いに表裏の関係
で配置されたシート状の第１及び第２の表示手段と、
前記第１及び第２の表示手段の形状変化及び姿勢変化を幾何学変化として検出する幾何変化検出手段と、
使用者が前記第１及び第２の表示手段の一方を参照している状態で前記幾何変化検出手段で前記第１及び第２の表示手段に対する幾何学変化が検出されたときに、前記検出された幾何学変化に基づいて前記第１及び第２の表示手段のうちの参照していない方の表示内容を制御する表示制御手段と
を具備してなることを特徴とするシート状の表示入力システム。
【請求項１９】可撓性を有し電子的に情報表示が可能な複数枚のシート状の表示手段と、
前記複数枚の表示手段を１つに束ねる手段と、
前記表示手段が前記束ねる手段の特定の部分を通過した際に、前記表示手段の通過方向、通過枚数を判別する通過判別手段と、
前記通過判別手段で判別された結果をもとに前記表示手段の表示内容を制御する表示制御手段と、
を具備してなることを特徴とするシート状の表示入力システム。
【請求項２０】可撓性を有するシート状の表示入力システムであって、
電子的に情報表示が可能なシート状の表示手段と、
前記表示手段に表示されるべき全情報における前記表示手段に現在表示されている情報の位置を管理する位置管理手段と、
前記位置管理手段で管理されている全情報における現在表示されている情報の位置を提示する位置提示手段と、
前記表示手段の前記位置提示手段で呈示された位置に対する接触入力に応答し、前記位置管理手段で管理されている現在表示されている位置に応じた感覚的物理量をフィードバックするフィードバック手段と、
を具備してなることを特徴とするシート状の表示入力システム。
【請求項２１】可撓性を有するシート状の表示入力システムであって、
電子的に情報表示が可能で、見開きの左右のページの関係に配置された第１及び第２の表示手段と、
前記第１及び第２の表示手段に表示されるべき全情報における前記第１及び第２の表示手段に現在表示されている情報の位置を管理する位置管理手段と、
前記位置管理手段で管理されている全情報における現在表示されている情報の位置に基づき、前記第１及び第２の表示手段の重量配分を制御する重量配分制御手段と、
を具備してなることを特徴とするシート状の表示入力システム。
【請求項２２】可撓性を有するシート状部材と、
前記シート状部材に加えられた幾何学的変化を検出する幾何変化検出手段と、前記幾何変化検出手段で検出した幾何学的変化の態様に応じたオペレーションを実行する制御部と、
を備えてなることを特徴とするマンマシン・インタフェース装置。
【請求項２３】前記制御部は、前記オペレーションとして電源のオンオフ、
操作内容の選択、メニューの操作およびモードの切り替えの少なくとも１つを実行することを特徴とする請求項２２記載のマンマシン・インタフェース装置。
【請求項２４】電子的に情報表示が可能なシート状の表示手段を備えた可撓性を有するシート状情報機器の制御方法であって、
前記表示手段の形状変化及び姿勢変化の少なくとも一方を幾何学変化として検出し、検出された幾何学変化に基づいて前記表示手段の表示内容を制御することを特徴とするシート状の表示入力システムの制御方法。
【請求項２５】可撓性を有し電子的に情報表示が可能で、互いに表裏の関係で配置されたシート状の第１及び第２の表示手段を備えたシート状の表示入力システムの制御方法であって、
前記第１及び第２の表示手段の形状変化及び姿勢変化を幾何学変化として検出し、
使用者が前記第１及び第２の表示手段の一方を参照している状態で前記第１及び第２の表示手段に対する幾何学変化が検出されたときに、前記検出された幾何学変化に基づいて前記第１及び第２の表示手段のうちの参照していない方の表示内容を制御することを特徴とするシート状の表示入力システムの制御方法。
【請求項２６】可撓性を有し電子的に情報表示が可能な複数枚のシート状の表示手段と、前記複数枚の表示手段を１つに束ねる手段とを備えたシート状の表示入力システムの制御方法であって、
前記表示手段が前記束ねる手段の特定の部分を通過した際に、前記表示手段の通過方向、通過枚数を判別し、前記判別された結果をもとに前記表示手段の表示内容を制御することを特徴とするシート状の表示入力システムの制御方法。
【請求項２７】電子的に情報表示が可能なシート状の表示手段を備えた可撓性を有するシート状の表示入力システムの制御方法であって、
前記表示手段に表示されるべき全情報における前記表示手段に現在表示されている情報の位置を管理すると共に、管理されている全情報における現在表示されている情報の位置を提示し、
前記表示手段の前記呈示された位置に対する接触入力に応答し、前記管理されている現在表示されている位置に応じた感覚的物理量をフィードバックすることを特徴とするシート状の表示入力システムの制御方法。
【請求項２８】電子的に情報表示が可能な見開きの左右のページの関係に配置された第１及び第２の表示手段シート状の表示手段を備えた可撓性を有するシート状の表示入力システムの制御方法であって、
前記第１及び第２の表示手段に表示されるべき全情報における前記第１及び第２の表示手段に現在表示されている情報の位置を管理すると共に前記管理されている全情報における現在表示されている情報の位置に基づき、前記第１及び第２の表示手段の重量配分を制御する
ことを特徴とするシート状の表示入力システムの制御方法。
【発明の詳細な説明】
【０００１】
【発明の属する技術分野】
本発明は、表示入力装置、表示入力システム及びその制御方法並びにマンマシン・インタフェース装置に関し、特に、形状変化に対して柔軟性を有する表示部と形状変化を検知できる入力部とを組み合わせることによりデジタル情報のみならずアナログ情報またはベクトル情報も入力することが可能な表示入力装置、表示入力システム及びその制御方法並びにマンマシン・インタフェース装置に関する。
【０００２】
【従来の技術】
表示装置と組み合わされる入力装置として現在広く用いられているものとしては、例えば、「タッチパネル」を挙げることができる。これは、例えば、表示画面上にマトリックス状の信号入力機構を形成し、信号入力の有無とその座標位置とを検知することにより信号入力を行うものである。すなわち、使用者は、表示装置側にボタン表示などに対応した位置の検出部に接触することによって、機器側は、その位置情報と入力の有無とを検知することができるようになっている。
【０００３】
このような入力方法では、座標位置は検知可能であるが、その信号は、実質的にオン／オフの２値信号に限られる。使用者が押圧力まで精密に制御しつつ接触することは、容易でないからである。このため、多値情報やアナログ情報を入力する際には、例えば、そのボタン表示位置に対応する信号量として、別途、数値選択型入力やテンキー入力などの手法を組み合わせる必要がある。つまり、使用者側の立場からみると、多値あるいはアナログ値入力の場合は、入力項目の選択とアナログ値の入力とを別途に行う必要がある。
【０００４】
また一方、近年、紙を意識した電子ペーパーとよばれる紙と電子ディスプレイの長所をあわせ持つ表示部材の研究・開発が行われるようになり（例えば、特許文献１）、製品化にはまだ及ばないものの、試作レベルの装置が見られるようになってきている。
【０００５】
【特許文献１】
特開２００２−７２２５７号公報
【０００６】
【発明が解決しようとする課題】
しかしながら、特に、携帯性を重視した機器などの場合、その使用形態の観点から、できるだけ簡単な操作で多くの情報を入力できることが望ましい。このような携帯機器としては、例えば、現在、開発が進められている「電子ブック」を挙げることができる。電子ブックを用いて、小説や雑誌あるいは新聞などのコンテンツを再生する場合には、ページをめくり、あるいは表示画面をスクロールすることが主要な動作となる。この動作のために、従来例のようなタッチパネル式入力方法を用いることも可能ではある。しかし、雑誌や新聞のようなコンテンツの場合には、内容が多岐にわたり離散的であるため、数ページや数十ページを飛び越えたランダムアクセスが求められることになり、ページ数あるいはスクロール量といったような多値またはアナログ値入力機能が必要となる。このとき、従来のテンキー入力や数値選択型入力では、その操作性も携帯性も制限されることになる。
【０００７】
また、地図のように広い面積に表示される情報においては、表示装置の面積や精細度の観点からその一部が表示され、スクロール機能などによって使用者が得たい位置を検索する方法が広く用いられている。このとき、マウスやポインティングデバイスによる入力デバイスを具備する機器では、そのスクロール方向とその移動量をアナログ入力することができる。しかし、携帯機器においては、タッチパネルを主として入力デバイスとして用いているため、任意の画面スクロール方向とその移動量を容易に入力することが難しい。
【０００８】
このように、従来の表示装置に付加させた入力装置では、アナログ値としての信号量を入力する簡易的な方法がないため、例えば、数十ページに渡りページを越えて表示を切り換える場合には、入力の際に両手が必要なことや多くの操作を使用者側に要求することになり、使用者側の負担が増大している。
【０００９】
本発明は、かかる課題の認識に基づいてなされたものであり、その目的は、独自の発想に基づき、アナログデータやベクトルデータの入力を簡単且つ直感的な操作によって行うことができる表示入力装置、表示入力システム及びその制御方法並びにマンマシン・インタフェース装置を提供することにある。
【課題を解決するための手段】
上記目的を達成するため、本発明の表示入力装置は、柔軟性を有する表示部と、　前記柔軟性に起因した変位を電気的な特性の変化として検出可能な第１の形状変化検出部と、を備えたことを特徴とする。
【００１０】
上記構成によれば、アナログデータやベクトルデータの入力を簡単且つ直感的な操作によって行うことができる表示入力装置を提供することができる。
【００１１】
ここで、前記第１の形状変化検出部は、前記表示部に積層されたものとすることができる。
また、前記第１の形状変化検出部は、前記表示部の表示面に近接して延在しているものとすることができる。
また、前記電気的な特性の変化は、前記変位の量に依存するものとすることができる。
また、前記第１の形状変化検出部は、一対の導電層と、それらの間に設けられた感知層と、を有し、前記変位が加えられた時に前記一対の導電層の間の抵抗が変化するものとすることができる。
前記第１の形状変化検出部は、複数の分割領域からなり、それら分割領域のそれぞれは、前記変位を独立に検出可能であるものとすることができる。
【００１２】
また、前記第１の形状変化検出部または前記表示部に積層された第２の形状変化検出部をさらに備えたものとすることができる。
また、前記表示部は、柔軟性を有する材料からなる一対の基板を有し、前記形状変化検出部は、柔軟性を有する材料からなる一対の基板を有し、前記表示部と前記形状変化検出部とが接着されてなるものとすることができる。
【００１３】
また、前記表示部は、柔軟性を有する材料からなる一対の基板を有し、前記形状変化検出部は、前記一対の基板の間に設けられたものとすることができる。
【００１４】
一方、本発明の第１の表示入力システムは、前記第１の表示入力装置と、前記表示部に画像表示信号を与える表示駆動部と、前記第１の形状変化検出部における前記電気的な特性の変化に基づいて、前記変位に対応した入力データを判定する信号判定部と、を備え、前記表示入力装置に対して前記変位を加えることにより第１のデータの入力を可能としたことを特徴とする。
【００１５】
上記構成によっても、アナログデータやベクトルデータの入力を簡単且つ直感的な操作によって行うことができる表示入力システムを提供することができる。
【００１６】
また、このシステムにおいても、前記電気的な特性の変化は、前記変位の量に依存するものとすることができる。
【００１７】
また、このシステムにおいても、前記第１の形状変化検出部または前記表示部に積層された第２の形状変化検出部をさらに備えたものとし、前記変位を加えることにより、前記第１の形状変化検出部と前記第２の形状変化検出部の電気的な特性の変化の違いに依存した第１のデータの入力を可能とすることができる。
【００１８】
ここで、前記信号判定部は、前記変位の速度または加速度に基づいて前記入力データを判定するものとすることができる。
【００１９】
また、使用者の操作により第２のデータの入力が可能なデータ入力部をさらに備え、前記データ入力部に入力される前記第２のデータに基づいて、前記第１のデータの入力の可否を決定するものとすることができる。
【００２０】
また、前記表示入力装置の姿勢の変化を検出する姿勢変化検出部をさらに備え、前記信号判定部は、前記姿勢変化検出部により検出される前記姿勢の変化を加味して前記入力データを判定するものとすることができる。
【００２１】
また、前記形状変化検出部は、前記表示部の表示面に近接して延在しているものとすることができる。
【００２２】
また、本発明に係るシート状の表示入力システムは、可撓性を有するシート状の表示入力システムであって、電子的に情報表示が可能なシート状の表示手段と、前記表示手段の形状変化及び姿勢変化の少なくとも一方を幾何学変化として検出する幾何変化検出手段と、前記幾何変化検出手段で検出した幾何学変化に基づいて前記表示手段の表示内容を制御する表示制御手段とを具備してなることを特徴とする。
【００２３】
または、本発明に係るシート状の表示入力システムは、可撓性を有し電子的に情報表示が可能で、互いに表裏の関係で配置されたシート状の第１及び第２の表示手段と、前記第１及び第２の表示手段の形状変化及び姿勢変化を幾何学的変化として検出する幾何変化検出手段と、使用者が前記第１及び第２の表示手段の一方を参照している状態で前記幾何変化検出手段で前記第１及び第２の表示手段に対する幾何学変化が検出されたときに、前記検出された幾何学変化に基づいて前記第１及び第２の表示手段のうちの参照していない方の表示内容を制御する表示制御手段とを具備してなることを特徴とする。
【００２４】
または、本発明に係るシート状の表示入力システムは、可撓性を有し電子的に情報表示が可能な複数枚のシート状の表示手段と、前記複数枚の表示手段を１つに束ねる手段と、前記表示手段が前記束ねる手段の特定の部分を通過した際に、前記表示手段の通過方向、通過枚数を判別する通過判別手段と、前記通過判別手段で判別された結果をもとに前記表示手段の表示内容を制御する表示制御手段とを具備してなることを特徴とする。
【００２５】
または、本発明に係るシート状の表示入力システムは、可撓性を有するシート状の表示入力システムであって、電子的に情報表示が可能なシート状の表示手段と、前記表示手段に表示されるべき全情報における前記表示手段に現在表示されている情報の位置を管理する位置管理手段と、前記位置管理手段で管理されている全情報における現在表示されている情報の位置を提示する位置提示手段と、前記表示手段の前記位置提示手段で呈示された位置に対する接触入力に応答し、前記位置管理手段で管理されている現在表示されている位置に応じた感覚的物理量をフィードバックするフィードバック手段とを具備してなることを特徴とする。
【００２６】
または、本発明に係るシート状の表示入力システムは、可撓性を有するシート状の表示入力システムであって、電子的に情報表示が可能で、見開きの左右のページの関係に配置された第１及び第２の表示手段と、前記第１及び第２の表示手段に表示されるべき全情報における前記第１及び第２の表示手段に現在表示されている情報の位置を管理する位置管理手段と、前記位置管理手段で管理されている全情報における現在表示されている情報の位置に基づき、前記第１及び第２の表示手段の重量配分を制御する重量配分制御手段とを具備してなることを特徴とする。
【００２７】
一方、本発明に係るシート状の表示入力システムの制御方法は、電子的に情報表示が可能なシート状の表示手段を備えた可撓性を有するシート状の表示入力システムの制御方法であって、前記表示手段の形状変化及び姿勢変化の少なくとも一方を幾何学変化として検出し、検出された幾何学変化に基づいて前記表示手段の表示内容を制御することを特徴とする。
【００２８】
または、本発明に係るシート状の表示入力システムの制御方法は、可撓性を有し電子的に情報表示が可能で、互いに表裏の関係で配置されたシート状の第１及び第２の表示手段を備えたシート状の表示入力システムの制御方法であって、前記第１及び第２の表示手段の形状変化及び姿勢変化を幾何学変化として検出し、使用者が前記第１及び第２の表示手段の一方を参照している状態で前記第１及び第２の表示手段に対する幾何学変化が検出されたときに、前記検出された幾何学変化に基づいて前記第１及び第２の表示手段のうちの参照していない方の表示内容を制御することを特徴とする。
【００２９】
または、本発明に係るシート状の表示入力システムの制御方法は、可撓性を有し電子的に情報表示が可能な複数枚のシート状の表示手段と、前記複数枚の表示手段を１つに
束ねる手段とを備えたシート状の表示入力システムの制御方法であって、前記表示手段が前記束ねる手段の特定の部分を通過した際に、前記表示手段の通過方向、通過枚数を判別し、前記判別された結果をもとに前記表示手段の表示内容を制御することを特徴とする。
【００３０】
または、本発明に係るシート状の表示入力システムの制御方法は、電子的に情報表示が可能なシート状の表示手段を備えた可撓性を有するシート状の表示入力システムの制御方法であって、前記表示手段に表示されるべき全情報における前記表示手段に現在表示されている情報の位置を管理すると共に、管理されている全情報における現在表示されている情報の位置を提示し、前記表示手段の前記呈示された位置に対する接触入力に応答し、前記管理されている現在表示されている位置に応じた感覚的物理量をフィードバックすることを特徴とする。
【００３１】
または、本発明に係るシート状の表示入力システムの制御方法は、電子的に情報表示が可能な見開きの左右のページの関係に配置された第１及び第２の表示手段シート状の表示手段を備えた可撓性を有するシート状の表示入力システムの制御方法であって、前記第１及び第２の表示手段に表示されるべき全情報における前記第１及び第２の表示手段に現在表示されている情報の位置を管理すると共に前記管理されている全情報における現在表示されている情報の位置に基づき、前記第１及び第２の表示手段の重量配分を制御することを特徴とする。
【００３２】
本発明に係るシート状の表示入力システムおよびその制御方法によれば、使用者は、実際の紙媒体を使用する感覚で、機器自身の幾何学変化によって、表示内容の変更操作をすることが可能になる。
【００３３】
なお、上記の各シート状の表示入力システムにおいて、前記表示手段に対する使用者の入力操作（例えば手の指やペンなどを用いた入力操作）によって情報の入力情報を取得する入力取得部を更に備え、この入力取得部で取得された入力情報と幾何学的変化とに基づいて表示手段の表示内容を制御するようにしても良い。
【００３４】
また、本発明に係るマンマシン・インタフェース装置は、可撓性を有するシート状部材と、前記シート状部材に加えられた幾何学的変化を検出する幾何変化検出手段と、前記幾何変化検出手段で検出した幾何学的変化の態様に応じたオペレーションを実行する制御部とを備えてなることを特徴とする。
【００３５】
このマンマシン・インタフェース装置によれば、使用者は、実際の紙媒体を使用する感覚で、機器自身の幾何学変化によって、例えば機器の電源のＯＮ／ＯＦＦ、表示内容の変更、操作内容の選択、メニュー操作、モード切替などといった機器の操作をすることが可能になる。
【００３６】
なお、本願明細書において、「柔軟性に起因した変位」とは、「曲げ」、「丸め」、「めくり」、「ねじり」などの形状変化に伴う変位をいうものとする。従来のタッチパネル式センサのように、センサ面に接触することによりデータ入力を行うものの場合には、センサ面を強く押圧することにより、僅かに凹む場合がありうる。しかし、このような僅かな凹みなどは、本願明細書における「柔軟性に起因した変位」には含まれない。
【００３７】
【発明の実施の形態】
以下、図面を参照しつつ、本発明の実施の形態について詳細に説明する。
【００３８】
図１は、本発明の実施の形態にかかる表示入力システムを表す概念図である。すなわち、本実施形態の表示入力システムは、表示入力装置１０と、駆動判定部１２とを有する。
【００３９】
表示入力装置１０は、例えば、表示部２０と、形状変化検出部３０と、が積層された構造を有する。表示部２０の表示方式としては、例えば、液晶を用いるものや、ＥＬ（ｅｌｃｔｒｏｌｕｍｉｎｅｓｃｅｎｃｅ）を用いるもの、あるいはＥＣＤ（ｅｌｅｃｔｒｏｃｈｒｏｍｉｃ　ｄｅｖｉｃｅ）方式を始めとする各種の方式を用いることが可能である。また、各表示部の駆動方式についても、単純マトリクス方式、２端子素子を用いたアクティブマトリクス方式、３端子素子を用いたアクティブマトリクス方式などの各種の駆動方式を用いることが可能である。
【００４０】
一方、形状変化検出部３０は、例えば、一対の電極層の間に印加された応力により抵抗値が変化するような感知層が挿入された構造を有する。そして、柔軟性を有する表示入力装置１０に対して「曲げ」や「丸め」、「めくり」、「ねじり」などの変形が加えられると、形状変化検出部３０は、このような変形を電気的な特性の変化として検出することができる。
【００４１】
なお、後に詳述するように、これら表示部２０と形状変化検出部３０とは、その一部を共通化したり、あるいは表示部２０の中に形状変化検出部３０を組み込んだり、逆に形状変化検出部３０の中に表示部２０を組み込んだりしてもよい。
【００４２】
またさらに、表示部２０と形状変化検出部３０とは、図１の如くそれらの全体が完全に積層されている必要はない。後に図１４などに関して説明するように、表示部２０の一部のみに形状変化検出部３０が積層されていてもよい。また、図５１などに関して説明するように、表示部２０と形状変化検出部３０とが積層されておらず、近接して配置されていてもよい。
【００４３】
一方、駆動判定部１２は、表示駆動部１２０と信号判定部１３０とを有する。表示駆動部１２０は、表示部２０に画像表示信号を出力して所定の画像を表示させる役割を有する。一方、信号判定部１３０は、形状変化検出部３０から受けとる信号に基づき、入力された情報を判定する。これら表示駆動部１２０や信号判定部１３０は、表示入力装置１０の一部として一体的に組み込まれていてもよいし、別体の要素として表示入力装置１０の外部に設けてもよい。
【００４４】
表示部２０と形状変化検出部３０は、「曲げ」に対する柔軟性を有する。そして、本発明においては、所定のデータを入力するために、この表示入力装置１０に対して外部から応力を加えて、「曲げ」Ｂのような変形を加える。すると、形状変化検出部３０がこの「曲げ」Ｂを検知し、その方向や応力量に関する信号を出力する。すなわち、「曲げ」の量に応じたアナログ出力を与える。信号判定部１３０は、このアナログ信号を、例えば電圧値など外部機器への出力に適した信号に変換して出力することにより、入力されたデータを判定する。
【００４５】
ここで、「曲げ」Ｂが加えられる場所は、表示部２０のうちの画像表示領域（図示せず）であってもよく、または、画像表示部以外の領域であってもよい。但し、後に詳述するように、画像表示領域において「曲げ」Ｂを検出できるようにすれば、画像表示とデータ入力の位置とを連動させた各種のデータ入力が可能となる。
【００４６】
また、「曲げ」Ｂを加える場所は、表示入力装置の中央付近であってもよい。またあるいは、表示入力装置１０の全体に亘って凹状あるいは凸状となるような「曲げ」を加えてもよい。
【００４７】
表示部２０及び形状変化検出部３０の支持基板として、プラスチックフィルムなどの有機材料からなる基板を用いると、軽量化や対衝撃性の向上だけでなく、「曲げ」に対する柔軟性も優れたものとなる。つまり、外部からの応力を印加することにより、形状変化検出部３０に「曲げ」を加えて変形することが可能となる。表示入力装置の使用者は、片手あるいは両手で表示入力装置１０を保持し、「曲げ」を加える位置や、曲げ具合、曲げる面積などを任意量調整することができる。
【００４８】
例えば、使用者が、Ａ４サイズのフィルム状の表示入力装置１０を左手で保持した場合を例に挙げると、フィルムの向かって左側の上端付近に「曲げ」を加えるのかそれとも下端付近に「曲げ」を加えるのか、また、「曲げ」を加える際の力の入れ具合、曲げる際の曲率、曲げる際の速度または加速度などとして、アナログ的に入力することができる。これらの情報を、形状変化検出部３０の電気信号変換可能な機能により検知し、信号判定部１３０において信号処理することにより、使用者が左手で入力した情報を判定できる。
【００４９】
図２は、本発明の表示入力装置の基本的な断面構成を例示する模式図である。すなわち、同図（ａ）に例示した如く、使用者２００から見て、表示部２０の裏面側に形状変化検出部３０を積層させることができる。この場合、例えば表示部２０に反射型液晶モードなどを用いると、形状変化検出部３０は透光性を有する必要がなくなるので、遮光性の材料により形成することができる。
【００５０】
一方、図２（ｂ）に例示したように、使用者２００から見て、表示部２０の表面側に形状変化検出部３０を積層させてもよい。この場合は、表示部２０の表示を遮ることがないよう、形状変化検出部３０は所定の透光性を有することが必要になる。
【００５１】
図３は、本発明においてアナログ的に入力を行う原理を表す模式図である。すなわち、同図は、本発明の表示入力装置の一端を表す斜視図である。
【００５２】
「曲げ」を加えない状態において、表示入力装置（形状変化検出部３０）は、略平坦な状態３０Ａにあるものとする。この状態から、下方に向けて矢印−ａにより表される大きさの応力を印加すると、所定量の「曲げ」が加えられた状態３０Ｂとなる。一方、やはり下方に向けて矢印−ｂにより表される大きさの応力を印加すると、さらに大きな「曲げ」が加えられた状態３０Ｃが形成される。本発明においては、例えば、この「曲げ」に伴う変位量の大きさやその面積、またはそれらの積により、それに対応したアナログ的な情報の入力が可能となる。
【００５３】
また一方、本発明においては、「曲げ」に伴う変位量とは別に、「曲げ」の速度または加速度により、情報を入力することも可能である。例えば、図４に表したように、初期状態３０Ａから最終状態３０Ｃにまで「曲げ」を加える場合において、長い時間をかけてゆっくり「曲げ」を加えた場合（矢印−ｂ１）と、短時間に迅速に「曲げ」を加えた場合とで、情報の入力量を変えることができる。具体的には、例えば、迅速に「曲げ」を加えた場合（矢印−ｂ２）には、入力量を大きくするようにしてもよい。
【００５４】
このような「曲げ」の速度または加速度は、変位量の時間変化を調べることにより検出することができる。
【００５５】
図５は、本発明において「曲げ」の方向により入力を区別する原理を表す模式図である。すなわち、同図も、本発明の表示入力装置の一端を表す斜視図である。
【００５６】
同図に例示したように、表示入力装置１０の端部に「曲げ」を加える場合、矢印＋ａの方向すなわち上方に曲げる（３０Ｂ）こともできるし、矢印−ａの方向すなわち下方に曲げる（３０Ｃ）こともできる。そして、このように「曲げ」の方向に応じて、入力するデータの符号を区別したり、範囲を拡げたり、あるいは種類を増やしたりするとができる。
【００５７】
例えば、矢印＋ａの方向に曲げた場合にはプラスのデータ、矢印−ａの方向に曲げた場合にはマイナスのデータと識別し、それらの絶対値は「曲げ」の量に応じて決定することができる。
【００５８】
また、使用者が任意に選択可能なデータの範囲を矢印＋ａから矢印−ａに亘って連続的に対応づけてもよい。
【００５９】
また、矢印＋ａの方向に曲げた場合を、使用者が選択できる第１のデータ範囲に対応させ、矢印−ａの方向に曲げた場合を、第１のデータ範囲とは異なる第２のデータ範囲に対応させてもよい。
【００６０】
なお、このような「曲げ」の方向を識別する方法しては、後に詳述するように、例えば２枚の形状変化検出部３０を積層させればよい。複数の形状変化検出部３０を積層させて「曲げ」を加えた場合、上下それぞれの形状変化検出部において曲率、応力、変位量などが異なる。従って、信号判定部１３０（図１参照）において、上下の形状変化検出部３０の間でのこれらのパラメータの差を検出することにより、「曲げ」の方向を判定することができる。
【００６１】
図６は、形状変化検出部３０の構造を例示する概念図である。すなわち、柔軟性を有する一対の基板３１、３２の内側表面には、電極パターン３３、３４がそれぞれ形成されている。そして、これら電極パターンの間に感知層３５が設けられている。感知層３５は、応力または変位の少なくともいずれかによって電気的な物性が変化する性質を有する層である。この性質を利用することにより、上下の電極パターン３３、３４によってマトリクス状に分割された各領域において、印加された応力あるいは変位量を検知することができる。
【００６２】
基板３１、３２としては、柔軟性を有する樹脂などからなる板またはフィルムを用いることができる。電極パターン３３、３４としては、金属あるいは導電性材料を印刷、メッキ、スパッタリング、蒸着などの方法により成膜を行い、フォトエッチングプロセスなどを用いて形状加工すればよい。
【００６３】
感知層３５としては、例えば、圧力により抵抗率が可変な有機材料、無機材料、半導体材料や、体積変化により抵抗値が可変な有機材料、無機材料、半導体材料などを適宜選択して用いることができる。または、圧電性の材料や、誘電性の材料を用いてもよい。抵抗性の材料としては、具体的には、ポリフッ化ビニリデン（ＰＶＤＦ）を用いたり、あるいは液体状のポリビニルアルコールを封止してもよい。または、スペーサを介して電極パターン同士を所定の距離だけ離した状態で保持してもよい。
【００６４】
また、感知層３５は、必ずしもマトリクスの分割領域毎に分離して設ける必要はなく、基板３１、３２の間に連続的に形成してもよい。例えば、感知層３５を抵抗膜により形成する場合、一般的に、縦方向（膜厚方向）に比べて横方向（基板３１の面内方向）の抵抗値がはるかに高いため、横方向のリークは無視しうるからである。
【００６５】
図７は、抵抗性材料を用いた感知層３５の作用を説明する模式図である。すなわち、同図（ａ）に例示した如く、基板３１、３２の間に、図示しない電極を介して抵抗性の感知層３５を設けた場合、このセルは、電気的に見て、同図（ｂ）に表した可変抵抗と等価である。そして、その抵抗量は、感知層３５の膜厚方向に印加される応力（圧力）Ｐに依存して変化する。
【００６６】
図８は、図７に表したセルの応答特性を例示するグラフである。すなわち、同図の横軸は感知層３５の膜厚方向に印加される応力、縦軸は電極３３と３４との間に定電圧を印加した状態で流れる電流をそれぞれ表す。このように、感知層３５に対して、圧縮方向の応力が印加されると電極間の電流が増加、すなわち抵抗が減少する。このような抵抗変化を検知することにより、印加されている応力あるいは変位量を検出することができる。
【００６７】
またさらに、このような抵抗変化の時間一次微分およびその２次微分を調べることにより、図４に前述したような「曲げ」の速度または加速度が分かる。
【００６８】
なお、図８においては、応力あるいは変位量の大きさに依存して電流が連続的に変化する場合を例示したが、本発明はこれには限定されない。例えば、感知層３５の物性によっては、応力あるいは変位量を連続的に変化させた場合でも、物性の変化は離散的に生ずるものもあり得る。このようなものも本発明に含めることができ、本願においては、「アナログ的」と称することとする。
【００６９】
図９は、形状変化検出部３０に「曲げ」が加えられた状態を説明する概念図である。すなわち、同図（ａ）に表したように、形状変化検出部３０が平坦な状態においては、マトリクス状に設けられた感知層３５のそれぞれは、ほぼ均一な状態とされている。
【００７０】
これに対して、図９（ｂ）に例示したように「曲げ」が加えられると、変形部分の感知層３５Ａに応力が付加されて、抵抗値などの物性が変化する。この変化を検出することにより、「曲げ」を検知することができる。
【００７１】
例えば、「曲げ」が加えられた部分において、感知層３５Ａに膜厚方向の圧縮応力が付加されると、抵抗性材料の場合には、図８に例示した如く対向する電極間の抵抗が低下する。この低下量は、変形量と相関を有するので、変化を示した感知層３５Ａのうちでも、最も変形量が大きい感知層３５Ａが最も大きな抵抗の減少を示す。
【００７２】
そして、図９（ｃ）に例示したように、さらに大きな「曲げ」が加えられると、変位部分は拡大し、より多くの感知層３５Ａが変化を示すようになる。また、これらの感知層３５Ａが示す変化量も、さらに大きくなる。
【００７３】
このように、「曲げ」の量は、変化を示す感知層３５の数やそれらの変化量により定量的に検出することができる。また、この物性値の変化の時間微分を調べることにより、図４に関して前述したような「曲げ」の速度または加速度を得ることもできる。
【００７４】
但し、本発明においては、図９に表した複数の感知層３５のそれぞれが、いわゆる「デジタル的」な反応を示すものであってもよい。つまり、感知層３５のそれぞれは、あるレベル以上の応力あるいは変位が与えられると物性量が離散的に変化するようなものでもよい。この時、それぞれの感知層３５の応答特性としては、ひとつのしきい値に対して２値的な反応を示すものでもよいし、応力レベルに応じて、多値的に変化するものでもよい。
【００７５】
また、操作時の微少な変化を信号として検知しないようにするために、ある一定の信号量未満については、信号入力とみなさず、これ以上をアナログ信号として出力するものであってもよい。
【００７６】
このような感知層３５を用いた場合、図９から分かるように、「曲げ」の量に応じて、変化する感知層３５の数が異なってくる。つまり、これらを合計した形状変化検出部３０からの信号は、「曲げ」の量を連続的に変化させた場合でも、連続的ではなく、離散的な信号となる。
【００７７】
本発明は、このようなものも含むものとし、本願においては「アナログ的」な入力と称することとする。
【００７８】
図１０は、形状変化検出部３０の回路構成を例示する模式図である。すなわち、本具体例の場合、縦横マトリクス状に配線された電極３３、３４のそれぞれは、走査回路３３Ｓ、３４Ｓにより、電極線毎に切り替え可能とされている。このように、上下の電極線を順次走査可能とすれば、対向する電極間のうちの、どの感知層３５に応力が印加されているかを検出し、その変化量や変化速度も定量的に検出することが可能である。
【００７９】
図１１は、形状変化検出部３０の別の回路構成を例示する模式図である。すなわち、この具体例の場合、縦横マトリクス状に配線された電極３３、３４のそれぞれは、共通接続され、電圧源Ｖにより電極間に電圧が印加されて電流が測定される。このように、上下の電極３３、３４を共通接続した場合には、形状変化検出部３０に加えられた「曲げ」の位置を検出することは困難であるが、その量や「曲げ」の速度または加速度を定量的に検出することは容易である。また、電極３３、３４の周囲に図１０に表したような走査回路３３Ｓ、３４Ｓを設ける必要もないため、フィルム状などの基板に形状変化検出部３０を形成することが極めて容易となる。
【００８０】
図１２は、形状変化検出部３０の別の構成を表す模式図である。すなわち、形状変化検出部３０を構成する電極３３、３４は、必ずしもストライプ状などにパターニングされている必要はなく、基板３１、３２の上の全面に形成してもよい。そして、このような全面電極３３、３４の間に、連続的に感知層３５を挿入してもよい。
【００８１】
つまり、本発明においては、形状変化検出部３０が「曲げ」の量やその速度および加速度だけを検出し、その位置は検出しなくてもよい場合もある。このような場合には、形状変化検出部３０において、いわゆるマトリクス構造を採用する必要はない。
【００８２】
図１３は、形状変化検出部３０を分割して設けた表示入力装置を表す模式図である。すなわち、本具体例の場合、形状変化検出部３０は、平面的に見て、４つの分割領域３０Ａ〜３０Ｄよりなる。これら分割領域のそれぞれは、例えば、図１１に例示したように、上下の電極３３、３４のそれぞれが共通接続された構造とすることができる。または、これら分割領域のそれぞれは、図１２に例示した如く、電極３３、３４も感知層３５も分割パターニングされていない構造とすることもできる。
【００８３】
図１１あるいは図１２の構造の形状変化検出部を採用した場合、分割領域３０Ａ〜３０Ｄのそれぞれの中においては、「曲げ」の位置を特定することは困難である。しかし、どの分割領域において「曲げ」が加えられたかは分かるので、実用上は、これで十分な場合が多い。
【００８４】
例えば、分割領域３０Ａ〜３０Ｄに対応させて、表示部２０に適宜、選択画面を表示し、それに対して表示入力装置の右上、右下、左上、左下の四隅のうちのいずれの分割領域に「曲げ」を加えたかによって、４種類のデータアイテムのうちのいずれかを選択し、同時のその「曲げ」の量または変化速度に応じてアナログ的に入力することが可能である。そして、四隅のいずれか２つ以上を同時に曲げることにより、異なるアイテムのデータを同時に入力することも可能となる。
【００８５】
このような機能は、例えば、画面のスクロールや各種のゲームなどに応用した場合にも極めて快適な操作性が得られる。例えば、分割領域３０Ａ〜３０Ｄのうちのいずれか１つあるいは２つに所定量または所定速度の「曲げ」を加えることにより、表示部２０に表示されている表示領域を、任意の方向に任意の量あるいは速度でスクロールさせることができる。あるいは、画面上に表示されている人物や車両、航空機などのキャラクターの移動方向と移動量あるいは移動速度を簡単に入力することが可能となる。
【００８６】
なお、図１３は一例に過ぎず、形状変化検出部３０の分割領域の数は、表示入力装置の用途や目的などに応じて適宜決定することができる。つまり、分割領域の数は４には限定されず、２以上の任意の数に分割することができる。
【００８７】
図１４も、形状変化検出部３０を分割して設けた表示入力装置を表す模式図である。但し、これら具体例の場合、形状変化検出部３０は、平面的に見て、装置１０の全面を覆うようには設けられてない。
【００８８】
すなわち、図１４（ａ）に表した具体例においては、４つの分割領域３０Ａ〜３０Ｄは、表示入力装置１０の四隅付近にのみ設けられ、中央付近には形状変化検出部３０は設けられていない。データ入力のための「曲げ」を加える位置を装置の四隅のいずれかに限定した場合には、このように四隅の付近にのみ形状変化検出部３０Ａ〜３０Ｄを設けてもよい。
【００８９】
また、このように、形状変化検出部３０を装置１０の一部にのみ設けた場合、その他の部分は、「曲げ」に対する柔軟性が小さくなるようにしてもよい。つまり、表示入力装置１０のうちで、形状変化検出部３０Ａ〜３０Ｄが設けられている部分のみが「曲げ」に対する柔軟性を有し、その他の領域は機械的な剛性を高くしてもよい。このためには、例えば、強度の高い板状の補強体を設けることができる。このようにすれば、画面の表示部の中央付近は平坦状態を維持したまま、四隅の形状変化検出部のみに「曲げ」を加えることができる。
【００９０】
また一方、図図１４（ｂ）に例示したように、表示入力装置１０の中央付近にのみ形状変化検出部３０を設けてもよい。すなわち、装置の中央付近に「曲げ」を加える場合には、このように、中央付近に形状変化検出部３０を限定的に設けてもよい。この場合、「曲げ」は、中央付近にのみ局所的に与えてもよいし、装置の全体を凸状あるいは凹状に湾曲させるようにしてもよい。
【００９１】
図１５は、複数の形状変化検出部が積層された表示入力装置を例示する模式図である。すなわち、本具体例の場合、表示部２０の上下に、形状変化検出部３０Ａ、３０Ｂがそれぞれ積層されている。これら形状変化検出部３０Ａ、３０Ｂのそれぞれは、図１３に例示したように、複数の分割領域からなるものとしてもよい。
【００９２】
これら形状変化検出部３０Ａ、３０Ｂからは、図１６に例示したように、それぞれアナログ信号出力１、２を取り出すことができる。これらアナログ信号出力１、２は、例えば、加算して用いることにより、表示入力装置１０の「曲げ」に対する検出感度を高くすることができる。
【００９３】
また、図１７に例示したように、これらアナログ信号出力１、２を処理部ＳＰにおいて信号処理し、アナログ出力とデジタル出力とを得ることも可能である。例えば、図５に関して前述したように、「曲げ」の方向を判定する方法として、上下の形状変化検出部３０Ａ、３０Ｂにおける曲率、変位あるいは応力の差を検出する方法がある。つまり、表示入力装置１０の一部が上方あるいは下方に曲げられた場合、その外側よりも内側のほうが曲率が大きくなり、変位や応力が大きくなる場合が多い。
【００９４】
従って、アナログ信号出力１及び２を比較することにより、「曲げ」がいずれの方向に加えられたかを判定することができる。この方向に関する情報をデジタル出力として得ることができる。例えば、「曲げ」が上方に加えられた場合を「１」、下方に加えられた場合を「０」とする如くである。そして、「曲げ」の量に応じて、アナログ出力を決定する。
【００９５】
この場合のデジタル出力は、その後、アナログ出力されたデータの符号、すなわちプラス、マイナスを表すものとして用いてもよく、あるいは、その他の選択肢を特定するためのデータとして用いてもよい。
【００９６】
図１８は、積層型の表示入力装置の変型例を表す模式図である。すなわち、本具体例の場合、表示部２０の表面側あるいは裏面側のみに、２つの形状変化検出部３０Ａ、３０Ｂが積層されている。これら形状変化検出部３０Ａ、３０Ｂを裏面側に設けた場合、遮光性の材料を用いても表示部２０の表示を妨げないという利点が得られる。
【００９７】
本具体例の場合も、図１９に例示したように、形状変化検出部３０Ａ、３０Ｂのそれぞれから得られるアナログ信号出力１、２を処理して、アナログ出力とデジタル出力を得ることができる。これら出力の詳細は、図１７に関して前述したものと同様であるので、その説明は省略する。
【００９８】
図２０は、タッチパネルと組み合わせた本発明の表示入力装置を表す模式図である。すなわち、本具体例の場合、表示部２０の表面側にタッチパネル５０が設けられ、裏面側には形状変化検出部３０が設けられている。タッチパネル５０は、複数のスイッチ素子がマトリクス状に配列した構造とすることができる。そして、いずれのスイッチ素子がオン（あるいはオフ）とされたかを示すデジタル信号出力を与える。一方、裏面側の形状変化検出部３０は、図１乃至図１９に関して前述したように、アナログ信号出力を与える。
【００９９】
これらの出力は、図２１に例示した如く、それぞれ別々に利用することができる。つまり、使用者がタッチパネル５０の所定のスイッチを選択して、表示入力装置に「曲げ」を加えることにより、アナログ的にデータ入力することが可能となる。例えば、使用者は、タッチパネルにより入力するデータの種別を選択し、「曲げ」を加えることにより、そのデータの量を入力することができる。但し、これらタッチパネル５０への入力と、形状変化検出部３０への「曲げ」による入力と、は、必ずしも同時に行う必要はない。
【０１００】
また一方、図２２に例示した如く、タッチパネル５０からのデジタル出力と形状変化検出部３０からのアナログ出力１とを処理して、アナログ出力２を得ることもできる。この場合、タッチパネル５０からのデジタル出力は、例えば、アナログ出力１に対して符号（プラスまたはマイナス）を与えるために用いることができる。
【０１０１】
または、タッチパネル５０からのデジタル出力を、アナログ出力１に対する倍数（あるいは除数）などとして用いることもできる。つまり、タッチパネル５０のいずれのスイッチ素子がオンとされたかに応じて、そのスイッチ素子に割り当てられた倍数をアナログ出力１に乗じることにより、アナログ出力２を得る。タッチパネル５０による倍数の選択肢を広範囲に設定しておけば、極めて広範囲なアナログ出力２を得ることが可能である。
【０１０２】
なお、図２０乃至図２２においては、タッチパネル５０、表示部２０、形状変化検出部３０の順に積層した構成を例示したが、本発明はこれに限定されるものではない。この他にも、例えば、タッチパネル５０、形状変化検出部３０、表示部２０の順に積層してもよく、あるいは、形状変化検出部３０、タッチパネル５０、表示部２０の順に積層した構造も可能である。
【０１０３】
さらに、使用者から見て、タッチパネル５０を装置の裏面側に設けてもよい。例えば、表示入力装置を両手または片手で保持し、裏面側の指によりタッチ入力するような場合には、使用者から見て、形状変化検出部２０、表示部３０、タッチパネル５０の順に積層してもよく、または、表示部３０、形状変化検出部２０、タッチパネル５０の順に積層してもよい。
【０１０４】
以上、図１乃至図２２を参照しつつ、本発明の表示装置の基本的な構成例について説明した。
【０１０５】
以下、実施例を参照しつつ、本発明の実施の形態についてさらに詳細に説明する。
【０１０６】
（第１の実施例）
まず、本発明の第１の実施例として、図１に表した構造の表示入力装置を製作した。ここで、表示部２０としては、柔軟性ある基板上に形成した液晶表示装置を形成し、形状変化検出部３０としては、抵抗性材料からなる感知層を有するアナログ入力装置を形成した。
【０１０７】
まず、液晶表示装置であるが、これは、表示入力装置の周縁部に「曲げ」を加えるための柔軟性を確保する必要がある。そこで、引出電極数を低減するため、ドライバ（駆動回路）の一部を表示部２０に導入可能なポリシリコン薄膜トランジスタを用いた液晶表示装置とした。以下、この液晶表示装置の構造について、その製造方法を参照しつつ説明する。
【０１０８】
図２３乃至図２５は、本実施例において用いた液晶表示装置の製造工程の要部を表す工程断面図である。
【０１０９】
まず、十分に洗浄した無アルカリガラス基板５１上に、例えばシランガスなどを原料に用いたプラズマ励起化学気相堆積法（ＰＥＣＶＤ法）などを用いて、ガラス基板からのアルカリ成分溶出などを防ぐことを目的としたアンダーコート層となるシリコン酸化膜やシリコン窒化膜５２などを堆積させた。次に、例えば、ＰＥＣＶＤ法を用いアモルファス状のシリコン膜を成長させた後、ＫｒＦなどを用いたエキシマレーザーを照射して瞬間的に溶融後結晶化させて多結晶化した。そして、例えば、フッ素系ガスによる反応性イオンエッチング法（ＲＩＥ法）を用いたフォトエッチングプロセスにより、多結晶シリコン層の素子分離を行い、島構造５３を形成した（図２３（ａ））。
【０１１０】
次に、例えばプラズマ励起化学気相堆積法（ＰＥＣＶＤ法）などを用いて、ゲート用の絶縁膜５４となるシリコン酸化膜やシリコン窒化膜を成膜した。そして、例えばスパッタリング法などを用いて、アルミナ膜上にＭｏ、Ｗ、Ｔａ、またはその合金など金属膜を堆積させた。その後、金属膜上にフォトレジストを塗布し、フォトリソグラフィー法を用いてレジストパターンを形成し、例えば、溶剤に含侵させて選択的にレジストパターンのない部分の金属膜を除去する方法を用いることにより、ゲート電極５５及びゲート線群の形状を加工した（図２３（ｂ））。
【０１１１】
次に、半導体層に接合面を形成するために薄膜トランジスタの不純物導入を行った（図２３（ｃ））。本実施例では、不純物としてリン（Ｐ）を用いている。このとき、ゲート電極５５をマスクとして、イオンドーピング法によりイオン濃度が１０２２ｃｍ−３程度になるように導入し、この導入されたリン（Ｐ）が活性化するように熱処理を行った。
【０１１２】
次に、例えば常圧化学気相堆積法（ＡＰＣＶＤ法）により層間絶縁膜５６となるシリコン酸化膜やシリコン窒化膜を成膜した。その後、層間絶縁膜５６及びゲート絶縁膜５４を介してソース及びドレイン電極と半導体層とのコンタクトを行うためのスルーホール形成を、フォトエッチングプロセスを用いて行った（図２３（ｄ））。
【０１１３】
次に、Ｍｏ、Ｔａ、Ｗ、Ａｌ、Ｎｉなどの金属、またはその合金や積層膜などを、例えばスパッタリング法などを用いて堆積させた後、ゲート電極形成時と同様にフォトエッチングプロセスを用いて、ソース電極５７と信号線群及びドレイン電極５８の形成を行った（図２３（ｅ）、２３（ａ））。
【０１１４】
そして、ソース電極５７と接続されるように画素電極（図示せず）を形成した。この一連の薄膜トランジスタ及び配線形成プロセスにおいては、例えば、５００℃以上の熱工程が存在するが、本実施例で用いている無アルカリガラス基板５１においては、アクティブマトリックス構造を形成する際に問題なく使用できる。
【０１１５】
次に、このアクティブマトリックス基板をプラスチック基板などの柔軟性がある基板に移す工程を開始する。
【０１１６】
すなわち、まず、このようにして得られた形成体の表面に、例えば紫外線光を照射すると接着力が弱まるような耐フッ酸性に優れた接着剤を隙間なく表面塗布して仮着層６１とし、この仮着層６１を挟んで無アルカリガラス基板と対向する位置に、例えば、接着面側を有機材料と接着性をよくするためにコートした耐フッ酸性に優れたフッ素系樹脂シート６２を配置した（図２４（ｂ））。
【０１１７】
次に、この積層体を、無アルカリガラス基板５１の裏面側から研磨剤を用いて、０．１ｍｍ厚程度まで、研磨剤の荒さを調整しながら研磨した。さらに、フッ酸系の溶剤に含侵させて、無アルカリガラス基板６３を約３０μｍ程度の厚さまで溶解させた（図２４（ｃ））。
【０１１８】
このとき、ガラス基板５１が薄くなった後には、例えばアンモニウムなどを加えたフッ酸系溶液とし、エッチングレートを調整したものが望ましい。そして、十分に洗浄した後、この無アルカリガラス基板５１をエッチングした面に密着性に優れた接着剤を用いて、接着層６４を全面に形成した。そして、この接着層６４の裏面側に、ラミネート技術を用いて、０．１ｍｍｔ程度のポリエーテルアミド樹脂（ＰＥＳ）フィルムを支持基板６５として接着した（図２５（ａ））。
【０１１９】
本実施例では、支持基板６５としてＰＥＳ基板を用いたが、本発明においては、その他のプラスチック基板などを用いることもできる。例えば、０．１ｍｍｔのポリエチレンテレフタレート樹脂フィルム（ＰＥＴ）でも形成可能なことを確認している。
【０１２０】
その後、樹脂シート６２側から紫外線光ＵＶを照射し、仮着層６３の接着力を弱める処理を施した（図２５（ｂ））。
【０１２１】
そして、支持基板として用いた樹脂シート６２をゆっくり剥していき、層間絶縁膜層５６などアクティブマトリックス層表面を露出させた（図２５（ｃ））。このとき、仮着層６４の成分残りが発生するため、これを、例えば、イソプノパノールなどの有機洗浄法を用いて除去して、洗浄面を露出させた。
【０１２２】
その後、このようにして形成したポリシリコンを用いた柔軟性があるアクティブマトリックス基板に、インジュウムスズなどの透明導電膜を成膜したフィルムを対向基板として、通常のフィルム液晶セルプロセスを用いて、液晶表示装置を作製した。
【０１２３】
次に、形状変化検出部３０を製作した。０．０５ｍｍｔのポリエチレンテレフタレート樹脂フィルム（ＰＥＴ）に酸化インジュウムスズ（ＩＴＯ）などの透明導電膜を成膜し格子状にパターンニングしたものを対向配置し、その層間にポリフッ化ビニリデン（ＰＶＤＦ）を配置したアナログ形状変化検出部を製作した。
【０１２４】
そして、この形状変化検出部３０を液晶表示装置に接着剤を用いて接着した。
【０１２５】
なお、従来のタッチパネルは位置検出を行うために、格子毎に検出を行う機構が付加されているが、本実施例では、対向する２フィルム間の電流量をアナログ検知することになるため、格子が連絡されている形状で問題ない。すなわち、対向する２つのフィルムからそれぞれ共通接続された電極がひとつずつ引き出されることになる。
【０１２６】
このアナログ入力機構を付加した液晶表示装置は、表示入力装置として柔軟性を有する。例えば、４隅の一端を曲げることにより、形状変化検出部３０に応力が付加され、この応力を受けた部分に関しては、フィルム間の導電率が変化するため、水平を維持している場合と比較して電流がながれやすくなる。この時、曲げ応力が大きいほど、また、曲げられている面積が大きいほどフィルム間に流れる電流量は大きくなるため、使用者は、任意の方法でアナログ的にフィルム間に流れる電流量を操作することができる。
【０１２７】
（第２の実施例）
次に、本発明の第２の実施例として、図１５に例示した積層型の表示入力装置を製作した。すなわち、本実施例では、表示部２０として柔軟性ある基板上に形成した液晶表示装置を用い、形状変化検出部３０Ａ、３０Ｂを表示部２０の両面に付与して、アナログ入力及びその方向性の信号入力を可能とした。
【０１２８】
表示入力装置の柔軟性を利用してアナログ入力を行う場合、例えば、表示面において凹となる応力を加える場合と、凸となる応力を与える場合と、の場合分けが可能になる。例えば、雑誌のようなコンテンツを見ている場合には、開いている頁から、前頁に戻りたい場合には表示面側（凹）に、後頁へ進みたい場合には表示面とは反対側（凸）に、応力を与えることにより観察者の意思を反映できることになる。
【０１２９】
本実施例において表示部２０として用いた液晶表示装置の構造及び製造方法は、第１実施例として前述したものと同様であるので、その説明は省略する。
【０１３０】
また、形状変化検出部３０Ａ、３０Ｂとしても、第１実施例と同様に、０．０５ｍｍｔのポリエチレンテレフタレート樹脂フィルム（ＰＥＴ）に酸化インジュウムスズ（ＩＴＯ）などの透明導電膜を成膜し格子状にパターンニングしたものを対向配置したものの層間に感応性樹脂を配置したものを用いた。
【０１３１】
そして、この形状変化検出部３０Ａ、３０Ｂを液晶表示装の両面、すなわち、表示部側とその対向面側に、それぞれ接着した。
【０１３２】
本実施例の表示入力装置においても、第１実施例のものと同様に表示入力装置として柔軟性を有する。例えば、４隅の一端を曲げることにより、形状変化検出部３０Ａ、３０Ｂにも応力が付加され、この応力を受けた部分において、フィルム間の導電率が変化するため、水平を維持している場合と比較して電流が流れやすくなる。この時、表示入力装置に与えられる「曲げ」により感知層に与えられる応力が大きいほど、また、曲げられている面積が大きいほどフィルム間に流れる電流量は大きくなる。この作用を利用して、使用者は、任意の方法でアナログ的にフィルム間に流れる電流量を調節することができる。
【０１３３】
さらに、本実施例では、形状変化検出部３０Ａ、３０Ｂを表示部２０の両面に付加している。このような積層構成を採用することにより、使用者が表示入力装置の表示面に対して、表示面が内側となるように曲げた場合と、表示面が外側になるように曲げた場合と、の場合分けが可能になる。
【０１３４】
例えば、表示面が内側となるように曲げた場合、表示面側に付加した形状変化検出部３０Ａと外側に付加した形状変化検出部３０Ｂとでは、曲率が異なるため、それぞれの感知層にかかる応力が異なることにより、その結果、形状変化検出部３０Ａと３０Ｂとでは検出される電流値が異なることになる。このため、両面の形状変化検出部３０Ａ、３０Ｂからの出力信号の差分をとることにより、入力方向の検出が可能になる。
【０１３５】
例えば、コンテンツとして雑誌のようなものを考えた場合、ある頁から次の興味ある頁に移動するとき、頁数をまたいで後頁の場合と前頁の場合があり得る。本実施例の表示入力装置の場合、例えば、表示面の内側を前頁側に、その反対側を後頁側に設定することにより、頁の前後の方向性と頁数のアナログ入力が可能となる。
【０１３６】
（第３の実施例）
次に、本発明の第３の本実施例として、図２０に例示したように、柔軟性を有する表示部２０の表面側にタッチパネル５０、裏面側に形状変化検出部３０を設けた表示入力装置について説明する。
【０１３７】
第１実施例として前述した表示入力装置では、アナログ信号を入力することは可能であるが、データを入力する対象の項目が多数に渡るような場合には、別途、選択の必要がある。例えば、地図のようなコンテンツをスクロールしながら見る場合には、スクロール量だけではなく、東西南北といった方向に関するデータを別途与える必要がある。この場合、表示面側のタッチパネル５０からは、スイッチ素子の選択によって方向に関するデータを入力し、形状変化検出部３０に与える「曲げ」の応力によって移動距離（スクロール量）に関するデータを入力することにより、対応が可能である。
【０１３８】
本実施例において表示部２０として用いた液晶表示装置の構造及び製造方法も、第１実施例として前述したものと同様であるので、その説明は省略する。
【０１３９】
また、形状変化検出部３０としても、第１実施例と同様に、０．０５ｍｍｔのポリエチレンテレフタレート樹脂フィルム（ＰＥＴ）に酸化インジュウムスズ（ＩＴＯ）などの透明導電膜を成膜し格子状にパターンニングしたものを対向配置したものの層間に感応性樹脂を配置したものを用いた。
【０１４０】
一方、タッチパネル５０としても、０．０５ｍｍｔのポリエチレンテレフタレート樹脂フィルム（ＰＥＴ）に酸化インジュウムスズ（ＩＴＯ）などの透明導電膜を成膜し格子状にパターンニングしたものを対向配置したものの層間に感応性樹脂を配置した構造を形成した。ただし、タッチパネル５０においては、導電膜の格子毎にセルの抵抗を検出できるようにした。
【０１４１】
本実施例の表示入力装置では、例えば、アナログ入力の必要性の選択が可能である。すなわち、表示面側のタッチパネル５０上で必要となる機能を選択し、そのアナログ入力値については、表示裏面側の形状変化検出部３０によりアナログ量を入力することができる。
【０１４２】
例えば、コンテンツとして雑誌のようなものを考えた場合、ある頁から次の興味ある頁に移動するとき、頁数をまたいで後頁の場合と前頁の場合があり得る。本実施例の表示入力装置の場合、表示面内側に前頁または後頁を選択するタッチボタンを設定し、形状変化検出部３０に与える応力により頁数のアナログ入力が可能になる。
【０１４３】
（第４の実施例）
次に、本発明の第４の実施例として、形状変化検出部３０を表示部２０の中に組み込んだ表示入力装置について説明する。
【０１４４】
図２６は、本実施例の表示入力装置の断面構造を表す模式図である。
また、図２７は、その要部の平面配置関係を表す模式図である。
【０１４５】
本実施例の場合、液晶表示装置の対向基板側に、形状変化検出部３０を組み込んでいる。すなわち、対向基板７０にストライプ状に形成したインジウムスズ膜を形成し、電極層７１とする。その上に、ポリフッ化ビニリデン（ＰＶＤＦ）層７２を塗布により均一に形成する。さらに、その上にインジウムスズ膜を電極層７１と直行する位置にストライプ状に形成し、電極層７３とする。
【０１４６】
このＰＶＤＦ層７２を挟んで位置する電極層７１と電極層７３が、形状変化検出部３０を構成する。
【０１４７】
さらに、アクリル樹脂などを用いて、層間絶縁膜７４を形成する。このとき、この層間絶縁膜７４は、対向電極７５と電極７３とのカップリング容量などを抑えるために十分な膜質であることが必要とされる。
【０１４８】
一方、支持基板７９の上には、画素電極７８、薄膜トランジスタ７７が形成され、対向基板との間に液晶層７６が封止されている。
【０１４９】
なお、液晶表示装置の表示性能に影響を与えないようにするため、電極層７１及び電極層７３は、画素電極７８を包含するような形状に形成した。すなわち、図２７に例示したように、電極７１と電極７３は、画素電極７８の幅よりも広いストライプで形成している。
【０１５０】
なお、本実施例では、電極層７１及び電極層７３への応力起因による基板の変形や膜剥がれを防止するためにストライプ形状に加工している。しかし、形状変化検出部
３０としては、インジウムスズ膜（７１、７３）はストライプ状などの形状にバニーニングされていることは必要条件ではない。また、本実施例では、抵抗膜としてＰＶＤＦ７２を用いている。しかし、抵抗膜として利用できるものならば、特に本材料に限定されるものではない。
【０１５１】
また、本実施例では、形状変化検出部３０を対向基板側に組み入れたが、例えば、薄膜トランジスタを形成する支持基板側に組み入れてもよい。
【０１５２】
（第５の実施例）
次に、本発明の第５の実施例として、本発明の表示入力装置を用いた表示入力システムの具体例について説明する。
【０１５３】
図２８は、本発明の第５の実施例に係る表示入力システムのブロック図、図２９は、同表示入力システムの外観図である。
【０１５４】
本実施例の表示入力装置は、可撓性を有し、紙のように薄型で電子的に情報の表示が可能な表示部２０と、表示部２０の形状変化、姿勢変化などの幾何学的な変化を検出することが可能な幾何変化検出部３００と、表示部２０上に使用者２００が手の指やペンなどを用いて入力した位置や内容を取得することが可能なデータ入力部５０と、幾何変化検出部３００で判別した幾何学的変化情報および／またはデータ入力部５０で取得した入力情報をもとに表示部２０の表示内容を制御する制御部１２と、情報を保持することが可能な記憶部５００と、外部連携機器１０００と通信する通信部６００とから構成されている。
【０１５５】
図２９に示すように、この表示入力システムは、全体がシート状で可撓性があり、応力が加わらない側端の縁部等に制御部１２、記憶部５００及び通信部６００や各種配線等を集約した回路部９００が形成されたものとなっている。
【０１５６】
なお、図２９のイメージ図における各部の配置はあくまでも一例であり、これに限定されるものではない。
【０１５７】
まず、表示部２０について説明する。
【０１５８】
表示部２０は、紙のように薄型・軽量で電子的に文字、図形、画像等の表示が可能なものである。好ましくは、紙のように自由に曲げ伸ばしを行うことが可能な部材によって構成される。
【０１５９】
表示部２０は、具体的には、例えば「電子ペーパー（または、フレキシブルディスプレイ）」と一般的に呼ばれるマテリアルを用いて実現される。「電子ペーパー」とは、文書や画像を自由に書き換え、表示できる電子の“紙”を実現する材料の総称で、紙と電子ディスプレイの長所をあわせ持つ次世代の表示媒体である。この「電子ペーパー」は、例えば（１）コレステリック（キラル・ネマチック）液晶、強誘電性液晶、高分子分散型液晶などによる分子配列の制御、（２）電気泳動などを用いた色材移動、（３）ロイコ染料などの化学変化、（４）有機ＥＬ（ｅｌｅｃｔｒｏｌｕｍｉｎｅｓｃｅｎｃｅ）、（５）ＥＣＤ（ｅｌｅｃｔｒｏｃｈｒｏｍｉｃ　ｄｅｖｉｃｅ）、などの各種の技術を用いて実現される。
【０１６０】
「電子ペーパー」には、上記のような様々な実現方法があるが、総じて、▲１▼表示の維持に電源が不要である（または、非常に低消費電力で維持が可能である）、▲２▼書き換えが可能である、▲３▼紙のように薄型である、などの特徴がある。また、実現方法によって、紙のように自由に曲げ伸ばしができる（フレキシブル形状である）といった特徴も実現される。
【０１６１】
なお、表示部２０は、上記で説明した実現方法に限定されるものではなく、同じ特徴を持つものならば、これ以外のマテリアル・実現技術を用いて構成してもよい。
【０１６２】
一方、形状変化検出部３０は、表示部２０に対して使用者が行なう、曲げる、丸める、めくる、引っ張る、ねじる、などの変形によって生じる表示部２０の形状変化を検出するためのものである。
【０１６３】
形状変化検出部３０は、具体的には、後に詳述するように、表示部２０の裏面に配列された、複数の曲げセンサなどから構成され、これら複数の曲げセンサから得られるセンシング結果を用いて形状変化を識別する。曲げセンサは、通常、センサ出力である抵抗値の変化により、変位、曲率を１自由度で検出することが可能である。これを表示部２０の裏面に格子状に複数配置することで、表示部２０の全面にわたる曲げ・伸ばしの判別を行うことができる。
【０１６４】
なお、以上で説明したセンシング方法はあくまでも一例であり、これに限定されるものではない。例えば、「シェイプセンサ」と呼ばれる光ファイバの曲げ伸ばし変形による光量変化を用いて変位、曲率、加速度などを検出することが可能なセンサを同様に表示部２０の裏面に配置してもよいし、別のセンシング技術を用いても構わない。また、センサの配置方法も格子状に限られるものではなく、取得したい形状変化に応じて、自由に変更することができる。例えば、形状変化を検出したい部分が限られている場合は、表示部２０の裏面の全面にセンサを配置する必要はなく、必要部分にだけ配置すればよい。また、変形の曲率などを細かく検出したい部分があれば、その部分に多めに配置するなどの工夫をすることができる。
【０１６５】
一方、姿勢変化検出部４０は、前記表示部２０に対して使用者２００が行なう、装置を保持したまま手を動かす、装置のどこか一部をつかんで持ち上げる、つかんで振るなどといった動作によって生じる表示部２０の姿勢変化を検出するためのものである。
【０１６６】
姿勢変化検出部４０は、前記表示部２０の裏面（および／または機器のその他の部位）に、配設された複数の加速度センサ、ジャイロセンサなどから構成することができ、それらセンサから得られるセンシング結果を用いて姿勢変化を識別する。これにより、「機器の右側が（左側よりも）持ち上げられている」というような使用者２００が装置を保持している際の装置の姿勢や、「装置が左右に振られている」というような使用者２００が装置に対して行っているアクションによって生じる装置の状態変化を検出することができる。
【０１６７】
なお、本実施例では、形状変化検出部３０、姿勢変化検出部４０の２つに細分できる旨を説明したが、これに限定されるものではない。形状変化、姿勢変化以外の幾何学的変化を取得可能な他の検出部を適宜追加することも可能である。
【０１６８】
次に、データ入力部５０について説明する。
【０１６９】
データ入力部５０は、表示部２０上に使用者２００が手の指やペンなどを用いて入力した位置や内容を取得するためのものである。データ入力部５０は、例えば、表示部２０上に配置された透明な感圧式のタッチパネルにより構成される。これにより、使用者２００が、前記表示部２０のどの部分を手の指で触っているか、使用者２００が保持しているペンのペン先の移動した軌跡などを取得することが可能である。すなわち、データ入力部５０は、図２０〜図２２に関して前述したようなタッチパネル５０と同様の役割を有する。
【０１７０】
なお、データ入力部５０は、タッチパネルに限定されるものではない。例えば、図２９に示されているように前記表示部２０の側縁部に配置された回路部９００から超音波など発信し、手の指などに反射して戻ってきた反射波を再び回路部９００で検出することによりその入力位置を検出するようにデータ入力部５０を構成しても良い。または、超音波を発信するペンを用いて、それから発信される超音波を複数のマイクロホンで検出し、三角測量の原理を用いて、ペンの位置を算出するようにしても良い。また、表示部２０上に磁場を発生させ、手の指やペンをその上に置くことによって生じる磁場変化から、位置を算出することも可能である。また、これらの方法を適宜組み合わせて用いることもできる。さらに、ここで用いている以外のセンシング技術を用いても構わない。
【０１７１】
次に、記憶部５００について説明する。
【０１７２】
記憶部５００は、表示部２０に表示するための内容や、本実施例における表示入力システムの内部状態などの各種の情報を蓄えるためのものである。記憶部５００は、典型的には半導体メモリを用いて構成される。また、記憶部５００は、本実施例における表示入力システムから取り外せる場合もある。この場合、メモリスティック、スマートメディア、コンパクト・フラッシュ、ＳＤカードなどといった既存の規格の半導体メモリ媒体を用いることが望ましい。記憶部５００を脱着可能とした場合、外部にある機器にこの記憶部５００を接続し、記憶部５００にデータを入出力できるという利点がある。
【０１７３】
次に、通信部６００について説明する。
【０１７４】
通信部６００は、外部連携機器１０００と通信するためのものである。通信部６００は、例えば、Ｂｌｕｅｔｏｏｔｈといった無線通信手段を用いて、外部連携機器１０００と通信する。これにより、外部連携機器１０００から本実施例における表示入力システムへのデータの入力、本実施例における表示入力システムから外部連携機器１０００へのデータの出力、後述する制御部１２から外部連携機器１０００への制御情報の送信、外部連携機器１０００から後述する制御部１２への制御情報の受信などの各種通信が可能となる。なお、通信手段は、Ｂｌｕｅｔｏｏｔｈに限定されるものではなく、ＩＥＥＥ８０２．１１ａ／ｂ／ｇなどに規定された無線ＬＡＮや、赤外線通信、ＲＦ通信、その他の無線通信方式を用いることが可能である。無線通信を用いることで、本実施例の情報機器が外部機器にケーブルによって拘束されることがなくなり、あたかも紙を持っている感覚で、自由に持ち歩くことが可能となる。
【０１７５】
なお、通信部６００は、無線通信手段を用いることが望ましいが、シリアル通信などの有線通信手段でも構わない。この場合、外部連携機器１０００と通信をする際以外のときは、通信部を本実施例の表示入力システムから取り外すことができる構成にしておくことが好ましい。こうすることで、通信時以外は外部機器に拘束されることがなくなり、通常使用時は、自由に持ち歩ける。
【０１７６】
最後に、制御部１２について説明する。
【０１７７】
制御部１２は、
（１）幾何変化検出部３００で判別した幾何学的変化情報および／または入力取得部
３で取得した入力情報をもとに表示部２０の表示内容を制御する
（２）記憶部５００に格納されたデータの読み書きを制御する
（３）通信部６００における通信内容や通信方式、タイミングなどを制御する
（４）その他、表示入力システムの所定の動作の制御を行う
ためのものである（図２８参照）。
【０１７８】
以上で説明した本実施例の表示入力システムによれば、使用者２００は、表示部２０（これは、「表示入力システム自身」と置き換えてもほぼ同意である）の形状の変形や姿勢の変化を用いて本実施例おける表示入力システムを操作することができる。また、使用者２００は、手の指の動きやペン入力などを前述の動作と適宜組み合わせて本実施例における表示入力システムを操作することができる。
【０１７９】
次に、本実施例における表示入力システムで実現される動作について、幾つかの具体例を挙げながら説明する。
【０１８０】
まず、本実施例における表示入力システムを電子ブックリーダー端末として応用する例について説明する。
【０１８１】
今、表示部２０に小説のあるページが表示されているとする。この際に、図３０に示されたように、使用者２００が、表示部２０（つまり、表示入力システム）の右側を右手で保持し、左側に「曲げ」を加えてページをめくる動作をした場合には、表示部２０に表示されている内容を１ページ分進める。逆に、図３１に示されるように、表示部２０（つまり、表示入力システム）の左側を保持し、右側に「曲げ」を加えてページをめくる動作をした場合には、表示部２０に表示されている内容を１ページ分戻す、というように制御部１２で制御することで、使用者２００は、紙の本をめくる感覚で、表示入力システムを操作することができる。
【０１８２】
この際、手で保持している位置、および、ページをめくろうとして添えられた手の位置は、データ入力部５０で検出し、めくり動作によって得られた変形状態やその際の表示入力システムの姿勢変化は、幾何変化検出部３００で検出する。これらの検出結果から、「表示部２０（つまり、表示入力システム）の右側を右手で保持し、左側をめくる動作をした」と検出された際には、前記制御部１２を介して前記記憶部５００に保持されている次のページのデータを取得し、前記表示部２０の表示内容を更新する。
【０１８３】
なお、形状変化検出部３０として、図１０に例示したようなマトリクス構造や、図１３、図１４に例示したような分割型の構造を採用すれば、どの部分に「曲げ」が加えられたかを検出することもできる。
【０１８４】
以上により、従来の表示入力システムでは、ボタンなどを用いてページ送りなどの操作を行わなければならなかったが、本実施例における表示入力システムでは、ユーザが、あたかも、本物の紙媒体（この例では、小説本）を操作している感覚で操作することが可能となる。これにより、コンピュータ機器を触ったことが無い人でも、表示入力システムの操作に違和感がなくなり、誰もが表示入力システムを直感的に操作することができるようになる。
【０１８５】
またこの時、図４に関して前述したように、「曲げ」を加える速度または加速度に応じて、ページの進み量を変化させることもできる。つまり、「曲げ」を迅速に加えた場合には、ページの進み量を大きくし、「曲げ」をゆっくり加えた場合には、ページの進み量を少なくすることができる。このようにすれば、非常に直感的な操作が可能となる。
【０１８６】
以上では、ページめくりを表示部２０（つまり、表示入力システム）の幾何学的変化を用いて実現する例を示したが、操作はこれに留まるものではない。例えば、図３２（ａ）で示されるように、表示部２０（つまり、表示入力システム）を巻き取る操作をしたり、同図（ｂ）に示すように、表示部２０を２つ折りにする操作をすると、表示入力システムの電源がＯＦＦとなり、逆に平面に伸ばすとＯＮになるといった活用も可能である。図３３のように、前記表示部２０の左上部分をちょっとめくって「曲げ」を加えたらメニューが表示されたり、右上部分に「曲げ」を加えたら、そのページにしおりが挟まれる状態（ブックマーク機能）になったり、紙媒体をいじる感覚で、あらゆる操作が可能となる。
【０１８７】
次に、本実施例に係る表示入力システムを電子メモ端末として応用する例を説明する。
【０１８８】
本実施例における表示入力システムによれば、図３４に示されたように、ペン（それ自体は、インクを出力しないもの（例えばスタイラス）を用いて手書き入力を行うことが可能である。データ入力部５０で検出されたペン先位置の軌跡は、制御部１２でストロークデータとして処理され、その内容がそのまま表示部２０に再現される。この際に、図３５に示されたように、表示部２０（つまり、表示入力システム）の一部を摘んで振る動作をした場合には、表示部２０に表示されている内容をクリアして、真っ白な表示にする、というように制御部１２で制御することで、使用者２００は、直感的に内容の消去をすることができる。
【０１８９】
この際、手で保持している位置は前記データ入力部５０で、振る動作によって得られた装置の姿勢変化は、前記幾何変化検出部３００に設けられた姿勢変化検出部４０で検出する。このように、使用者２００の表示入力システムへのある種のジェスチャ入力も自由に行うことが可能である。
【０１９０】
次に、本実施例に係る表示入力システムを電子地図ビューアーとして応用する例を説明する。すなわち、記憶部５００に地図情報を格納し、または、通信部６００を介して外部から地図情報を入手し、これら地図情報を表示部２０に表示させることにより、電子地図システムが実現できる。
【０１９１】
この場合にも、図３、図４、図５、図３０、図３１あるいは図３３などに例示した如く、表示入力システムのいずれかの部分に「曲げ」を加えることより、表示内容を所定の方向にスクロールさせることが可能である。例えば、図３０に表したように、使用者２００が左側に「曲げ」を加えた場合には、表示部２０に表示される地図を左側にシフトさせるようなことができる。
【０１９２】
また、「曲げ」を加えることにより、表示倍率を変化させることもできる。例えば、使用者２００に向かって凸状に「曲げ」を加えた場合には、地図を拡大し、一方、使用者２００に向かって凹状に「曲げ」を加えた場合には、地図を縮小する、というような操作が可能である。
【０１９３】
さらにまた、姿勢変化検出部４０と組み合わせることにより、さらに便利になる。例えば、使用者２００が表示入力システムを所定の方向に傾けると、表示内容がその方向にスクロールするようにすることができる。
【０１９４】
この場合、このようなスクロール機能が常に働くと、不用意な傾斜によって表示内容が常にスクロールしてしまい、不便である。そこで、データ入力部５０によるデータ入力と組み合わせるとよい。つまり、使用者２００が表示入力システムに設けられた所定のスイッチ部分に触れると、データ入力部５０がそれを検出して、スクロール機能をオンにする。使用者２００は、この状態で表示入力システムを所定の方向に傾斜させることにより、表示内容を所望の方向にスクロールさせることができる。またこの時、傾斜量に応じてスクロール量（またはスクロール速度）を変化させることもできる。例えば、大きく傾斜させた時には、高速でスクロールし、小さく傾斜させた時には、ゆっくりスクロールするようにすることができる。
【０１９５】
表示部２０の内容がスクロールされ、所望の地図が表示されたら、使用者２００は、所定のスイッチ部分から手を離す。すると、データ入力部５０がこれを検出して、スクロール機能をオフにする。この状態では、表示入力システムを傾斜させても、表示内容はスクロールされない。このようにすれば、スクロールさせたい時だけ、表示入力システムを所定の方向に傾斜させて簡単にスクロールさせることができる。
【０１９６】
以上説明したように、本実施例を電子地図ビューアーに応用した場合、広大な表示領域の中の所望の部分を「曲げ」や「傾斜」の操作によって、直感的且つ迅速に表示させることができる。同様の応用は、地図に限定されず、例えば、新聞の全体の中から所定の記事の部分を迅速に表示させるようなことも可能である。
【０１９７】
以上説明したように、本実施例による表示入力システムを用いることにより、使用者２００が装置自身の幾何変化、および／または手の指やペンを用いた入力、を用いて装置の電源のＯＮ／ＯＦＦ、表示内容の変更、操作内容の選択、メニュー操作、などといった装置の所定の操作を、紙媒体を触っている感覚で直感的に行うことが可能となる。
【０１９８】
（第５の実施例の変形例）
第５の実施例では、表示部２０は、紙のように自由に曲げ伸ばしを行うことが可能な（フレキシブル形状な）部材によって構成されることを前提として説明した。しかし、図３６に示したように、第１の実施形態の構成に、新たにフレックス補助部４００を追加することで、表示部２０は、フレキシブル形状でないものを用いることも可能である。
【０１９９】
フレックス補助部４００について説明する。フレックス補助部４００は、紙のように自由に曲げ伸ばしを行うことが可能な（フレキシブル形状な）部材によって構成されるもので、前記表示部２０の代わりにユーザ２００が曲げ伸ばしといった変形を行うためのものである。これを前記表示部２０の付近に配置し、上述した第１の実施形態での説明のように、幾何変形検出部２にてフレックス補助部４００の変形を検出することで、同様の動作を行う。
【０２００】
フレックス補助部４００は、例えば、透明の薄いフィルムのようなもので構成され、表示部２０上に置かれる。そして、使用者２００は、表示部２０の上にあるフィルムに対してめくり動作などの変形動作を行うことで、表示入力システムの操作を行う。
【０２０１】
なお、フレックス補助部４００の実現方法はこれに限定されるものではない。前記の表示部２０よりも一回りおおきな不透明の薄いフィルムを、表示部２０の下にまわりがはみ出るように添付し、はみ出た部分の形状変化を用いて機器の操作を行うようにしてもよい。また、フレックス補助部４００を表示部２０の横に表示部２０と同等の大きさで配置し、その部分を用いても良い。これ以外の構成方法でも、フレックス補助部４００の変形を用いることができれば構わない。
【０２０２】
（第６の実施例）
次に、本発明の第６の実施例について説明する。
【０２０３】
図３７は、本発明の第６の実施例に係る表示入力システムの全体構成図である。
【０２０４】
本実施例の表示入力システムは、第５実施例に関して説明した表示部２０の代わりに、これと同様の機能を持つ第１の表示部２０Ａと、第２の表示部２０Ｂとを有する。また、本実施例における制御部１２は、データ入力部５０で取得した入力情報をもとに第１の表示部２０Ａの表示内容、第２の表示部２０Ｂの表示内容をそれぞれ個別に制御することが可能なものである。それ以外の、幾何変化検出部３００、データ入力部５０、制御部１２、記憶部５００、通信部６００については、第５の実施例と実質的に同様とすることができる。
【０２０５】
第１の表示部２０Ａおよび第２の表示部２０Ｂについて説明する。
【０２０６】
第１の表示部２０Ａおよび第２の表示部２０Ｂは、第５実施例に関して説明した表示部２０と同様に、それぞれ、紙のように薄型・軽量で電子情報の表示が可能なものである。好ましくは、紙のように自由に曲げ伸ばしを行うことが可能な部材によって構成される。第１の表示部２０Ａと第２の表示部２０Ｂは、典型的には、図３８に示されるように、紙の裏表の関係の位置に配置される。
【０２０７】
次に、制御部１２について説明する。
【０２０８】
制御部１２は、
（１）前記幾何変化検出部３００で判別した幾何学的変化情報、または／および、前　　　記データ入力部５０で取得した入力情報をもとに前記第１の表示部２０Ａの表示内　　　容を制御する
（２）前記幾何変化検出部３００で判別した幾何学的変化情報、または／および、前　　　記データ入力部５０で取得した入力情報をもとに前記第２の表示部２０Ｂの表示内　　　容を制御する
（３）前記記憶部５００に格納されたデータの読み書きを制御する
（４）前記通信部６００における通信内容や通信方式、タイミングなどを制御する
（５）その他、機器の所定の動作の制御を行うためのものである（図３７参照）。
【０２０９】
以上で説明した本実施例における表示入力システムによれば、使用者２００は、前記第１の表示部２０Ａ（この裏側に、前記第２の表示部２０Ｂが配置されているため、同時に前記第２の表示部２０Ｂ）の形状の変形や姿勢の変化を用いて本実施例における表示入力システムを操作することができる。また、使用者２００は、手の指の動きやペン入力などを先述の動作と適宜組み合わせて本実施例における表示入力システムを操作することができる。さらにそれに加え、第１の表示部２０Ａに表示されている情報を参照しながら、図３８に示されたような「曲げ」を加えて、紙をめくるような動作をすることで、現れた前記第２の表示部２０Ｂの一部に表示された情報をのぞき見することが可能となる。
【０２１０】
それでは、本実施例における表示入力システムで実現される動作について、幾つかの具体例を挙げながら説明する。
【０２１１】
まず、本実施例における表示入力システムを電子ブックリーダー端末として応用する例について説明する。
【０２１２】
今、前記第１の表示部２０Ａに小説のあるページが表示されているとする。この際に、小説のある単語に注がついていたとする。注は、典型的には、その章の最後にまとめられて記されていることが多いため、通常の本を読んでいる際には、数ページ、ページめくりをして、注がまとめられているページを探さなければならない。しかし、この代わりに、図３８に示されたように、めくり動作を行い、前記第２の表示部２０Ｂの一部を見えるようにした時に、その部分に注が表示されるように前記制御部１２で制御する。このようにすれば、両面印刷されている紙の裏側の情報を盗み見する感覚で、本実施例における表示入力システムを使用することができる。
【０２１３】
さらに、これを推し進めて、前記第１の表示部２０Ａに表示されている文章中のある単語の意味が分からなかったときに、その単語の表示されている部分を手の指でタッチしたり、その単語の周りをペンで囲む動作をした後に、めくり動作により、第２の表示部２０Ｂを参照すると、その部分に、先ほどの単語の意味を記した辞書の一部分が表示されたりすることが可能となる。また、前記第１の表示部２０Ａの文章を英訳したものを前記第２の表示部２０Ｂに表示することもできる。
【０２１４】
この際、図３８に示されたような方向でめくり動作をした場合、第２の表示部９には第１の表示部２０Ａとは天地逆の方向で表示する必要がある。これは、この方向のめくり動作では、使用者２００から見える表示部の上下が逆転するからである。前記制御部１２では、このような状況も考慮し、このような場合には、天地逆に表示するような制御も併せて行う。
【０２１５】
次に、本実施例における表示入力システムを地図表示端末として応用する例を考える。
【０２１６】
今、前記第１の表示部２０Ａにこれから行きたい場所（例えば、レストラン）の住所を入力する。その後、図３８に示したように、下側をめくる動作を行うと、入力された住所の周囲の地図が前記第２の表示部２０Ｂのめくり部分に表示されるようなサービスを提供することができる。また、めくる方向を変えて、上からめくると、前記第２の表示部２０Ｂのめくり部分に行きたい地点までの順路を示した略地図を表示する、右からめくると、行きたい地点にあるレストランのメニュー情報や混み具合などが表示されるというように、めくり方によって、のぞき見する内容も変えることが可能である。
【０２１７】
以上で説明してきた本実施例における表示入力システムの動作をまとめる。
本実施例における表示入力システムを用いることで、使用者２００が表示入力システムの表面にある情報を参照したり、表面に情報を入力しながら、めくり動作などの表示入力装置自身の幾何変化を伴う動作を行うことで、裏面にそれに対応した関連情報を表示し、裏面の関連情報をのぞき見することが可能となる。
【０２１８】
（第７の実施例）
次に、本発明の第７の実施例について説明する。
【０２１９】
図３９は、本発明の第７の実施例に係る表示入力システムの全体構成図であり、図４０は、本実施例に係る表示入力システムの外観図である。
【０２２０】
本実施例の表示入力システムは、表示部２０、幾何変化検出部３００、データ入力部５０を１つにまとめた入出力部１０を複数個と（図３９における１０ａ、１０ｂ…）、本実施例で新たに追加された、前記入出力部１０の位置変化や、複数の入出力部１０間のそれぞれの位置関係を検出することが可能な位置変化検出部７００、および、第５、第６の実施例に関して既に説明している制御部１２、記憶部５００、通信部６００とから構成される。
【０２２１】
制御部１２、記憶部５００、通信部６００については、基本的には第５実施例と同様の機能を持つものであるが、複数の入出力部１０ａ、１０ｂ、…からの入出力があるという点が異なる。
【０２２２】
前記制御部１２、記憶部５００、通信部６００は、図４０に示されたように、例えば、単語帳を束ねているのと同様のリング７１０の内部で１つにまとめられており、前記の複数の入出力部１０ａ、１０ｂ、…を束ねている。
まず、位置変化検出部７００について説明する。
【０２２３】
通常、紙の単語帳を操作する際には、図４１に示されたように、現在一番上に存在する紙をめくり、リング７１０に沿って一周させた後、一番下側に持ってくることで、ページめくりが行われる。ページを戻す際には、この逆の動作、つまり、一番下の紙を先ほど逆の方向にリング７１０に沿って動かすことで、一番上に持ってくる。また、重なっている部分の紙を参照する際には、重なっている紙をずらし、目的の紙部分を露出させる。位置変化検出部７００は、以上と同様の概念の操作を、本実施例における前記入出力部１０ａ、１０ｂ、…で行うことが可能なものである。
【０２２４】
位置変化検出部７００は、具体的には、前記入出力部１０ａ、１０ｂ、…が通過する部分にセンサを付け、前記入出力部１０ａ、１０ｂ、…が通過したか否か、通過した方向、通過速度を検出したり、前記入出力部１０ａ、１０ｂ、…の相対的な位置関係を検出したりする。
【０２２５】
センサは、例えば、ＬＥＤとフォトダイオードの組み合わせによって実現することができる。これは、近赤外光をＬＥＤで照射し、その反射光をフォトダイオードで取得するもので、センサ上に何もない場合には、反射光が返ってこないため、フォトダイオードでは何も取得されず、センサ上に前記入出力部１０が通過した瞬間に、前記入出力部１０に対する反射光が取得されるため、これを用いて検出することができる。また、このセンサを複数用いて、センサ間の検出の時間差を用いることで通過方向や速度なども知ることができる。
【０２２６】
また、前記入出力部１０ａ、１０ｂ、…にＩＲタグなどの識別タグを添付し、それらを検出することでも同様に、位置変化検出部７００を実現することができる。これらは、あくまでも実現のための一手法を説明したのみで、これに限定されるものではない。例えば、上記実施形態では、入出力部１０ａ、１０ｂ、…を束ねる手段としてリング７１０を使用したが、束ねる形状はリング状に限定されるものではない。
【０２２７】
次に、制御部１２について説明する。
【０２２８】
制御部１２は、
（１）前記入出力部１０ａ、１０ｂ、…からの出力として得られたそれぞれの幾何学的変化情報、または／および、入力情報をもとに前記入出力部１０ａ、１０ｂ、…内のそれぞれの表示部の表示内容を制御する
（２）前記位置変化検出部７００での検出結果をもとに、前記入出力部１０ａ、１０ｂ、…内のそれぞれの表示部の表示内容を制御する
（３）前記記憶部５００に格納されたデータの読み書きを制御する
（４）前記通信部６００における通信内容や通信方式、タイミングなどを制御する
（５）その他、機器の所定の動作の制御を行うためのものである（図３９参照）。
【０２２９】
制御部１２では、上述した、第５、第６実施例に関して説明した機能に加え、前記位置変化検出部７００での検出結果をもとに、前記入出力部１０ａ、１０ｂ、…内のそれぞれの表示部の表示内容を制御する。具体的には、前記位置変化検出部７００で検出したページめくりの結果に従って、現在一番上部にある前記入出力部の表示を更新するなどといったことを行う。
【０２３０】
以上で説明した本実施例における表示入力システムによれば、使用者２００は、実在する紙の単語帳を操作するのと同様の感覚で、本実施例における表示入力システムを操作することができる。つまり、従来のコンピュータの概念（ＷＩＭＰメタファー）を知らない人であっても、表示入力システムをあたかも紙の単語帳を触る感覚で直感的に操作することが可能となる。
【０２３１】
（第７の実施例の変形例）
上述した第７の実施例では、図３９に示されたように、幾何変化検出部３００、データ入力部５０を前記入出力部１０の内部にそれぞれ個別に持っていたが、これらを前記制御部１２、記憶部５００、通信部６００と同様に外部に持つように変更し、１つの幾何変化検出部３００、データ入力部５０で複数の前記入出力部１０ａ、１０ｂ、…、の幾何変化の検出、入力情報の取得を取得するように変形してもよい。
【０２３２】
（第８の実施例）
次に、本発明の第８の実施例について説明する。
【０２３３】
図４２は、本実施例に係る表示入力システムの全体構成図である。
【０２３４】
本実施例の表示入力システムは、第５実施例に、位置管理部８０２と、位置提示部８０４と、フィードバック部８０６が追加された構成を有する。位置管理部８０２は、表示部２０に提示されている情報の位置を管理する。位置提示部８０４は、位置管理部８０２で管理されている位置を提示する役割を有する。フィードバック部８０６は、前記位置提示部８０４上を手などで触ったときに、音や振動でフィードバックを行う役割を有する。
【０２３５】
以降、本実施例で追加された位置管理部８０２、位置提示部８０４、フィードバック部８０６について説明する。
【０２３６】
まず、位置管理部８０２について説明する。
【０２３７】
位置管理部８０２は、表示部２０に表示すべき全情報のうちで、現在、表示部２０に表示されている情報の位置を管理するものである。例えば、表示部２０に９ページから構成される小説の４ページ目が表示されているとする。この場合、全ページ数は９である、現在の位置は４ページ目である、これは全体の４／９である、などというように管理する。
【０２３８】
次に、位置提示部８０４について説明する。
【０２３９】
位置提示部８０４では、前記位置管理部８０２で管理されている位置を前記表示部２０上に提示するものである。位置提示部８０４は、例えば、前記表示部２０の下部を利用し、図４３（ａ）に示されたように、ページをタブ状に表現し、全ページ数と現在のページ位置、他のページの存在、などを使用者２００に直感的にイメージできるような形式で提示する。また、図４３（ｂ）に示されたように、表示部２０の左側に紙の累積のイメージ（図４４もあわせて参照のこと）を与えるようなものでもよい。いずれにせよ、位置提示部８０４では、使用者２００が実際の書籍などをイメージしやすいような方法で、使用者２００に全ページ数、現在のページ位置、他のページの存在など、前記表示部２０に表示されている情報の位置を視覚的に提示する。
【０２４０】
次に、フィードバック部８０６について説明する。
【０２４１】
フィードバック部８０６は、前記位置提示部８０４上を手などで触ったときに、音や振動でフィードバックを行い、使用者２００が前記位置提示部８０４によって提示された内容を触覚や聴覚などで直感的に理解するものである。
【０２４２】
以降、振動によるフィードバックを例として説明するが、フィードバックはこれに限定されたものではない。
【０２４３】
実際の書籍のページをめくる際、通常、図４４に示されたように、手の指を紙の端部分で滑らせることで、ぱらぱらとページめくりを行うことが多い。この際、手の指には、ページがめくり動作によって通過する際の摩擦により、１枚毎に触覚的なフィードバックがされることで、現在、どのくらいページをめくったかを直感的に知ることができる。フィードバック部８０６は、この感覚を本実施例に係る紙型の電子機器に導入するためのものである。
【０２４４】
具体的には、図４５に示したように、前記位置提示部８０４上で手の指を滑らした時に、前記位置提示部８０４が示すページ境界上を通過した際に、振動を発生させる。図４６Ａ示したように、使用者２００が触れるページの位置に応じて、図４６Ｂに例示したように振動の量を変えると効果的である。例えば、現在、手の指が１と２ページの境界にあるときには、小さな振動を、このページ位置が増えていくに従って徐々に大きな振動を与えるようにすることで、現在、手の指がある位置に対応するページ位置を直感的に知ることができる。また、現在のページを中心に、このページから離れるほど振動を大きくすることで、現在のページから、手の指がある位置に対応するページまでの距離を直感的に知ることができる。
【０２４５】
そして、手の指を離したときに、その位置に対応したページを前記表示部２０で表示するように、前記制御部１２で制御することで、ページめくりを直感的に、簡単に行うことが可能となる。
【０２４６】
以上で説明した本実施例における表示入力システムによれば、使用者２００は、実在する書籍を手の指でめくるのと同様の感覚で、本実施例における表示入力システムに表示された情報の位置を変更する操作することができる。具体的には、電子ブックリーダーなど本実施例における表示入力システムを応用した際に、そのページめくりを手の指を用いて行うことができる。この際に、振動などのフィードバックも実際の書籍から得られるのと同様の感覚で得ることができる。これにより、従来のコンピュータの概念（ＷＩＭＰメタファー）を知らない人であっても、表示入力システムをあたかも紙の書籍を触る感覚で直感的に操作することが可能となる。
【０２４７】
（第９の実施例）
次に、本発明の第９の実施例について説明する。
【０２４８】
図４７は、本実施例に係る表示入力システムの全体構成図である。
【０２４９】
本実施例の表示入力システムは、第５実施例に関して説明した表示部２０の代わりに、同様の機能を持つ第１の表示部２０Ａと、第２の表示部２０Ｂとを有する。また、本実施例における制御部１２は、データ入力部５０で取得した入力情報をもとに第１の表示部２０Ａの表示内容、第２の表示部２０Ｂの表示内容をそれぞれ個別に制御することが可能なものである。さらに、第１の表示部２０Ａと、第２の表示部２０Ｂに提示されている情報の位置を管理する位置管理部８２０と、前記位置管理部８２０で管理されている位置に基づき、第１の表示部２０Ａおよび第２の表示部２０Ｂの重量配分を制御する重量配分制御部８２２が追加された構成となっている。
【０２５０】
それ以外の、幾何変化検出部３００、データ入力部５０、制御部１２、記憶部５００、通信部６００については、第５の実施例と実質的に同様とすることができる。
【０２５１】
まず、第１の表示部２０Ａおよび第２の表示部２０Ｂについて説明する。
【０２５２】
図４８は、これら表示部の配置関係を例示する平面図である。第１の表示部２０Ａおよび第２の表示部２０Ｂは、第６実施例に関して説明したものと同様であるがその配置される位置関係が異なっている。すなわち、第１の表示部２０Ａと第２の表示部２０Ｂとは、典型的には、書籍の見開きの２ページのように、左右の関係の位置に配置される。
【０２５３】
次に、位置管理部８２０について説明する。
【０２５４】
位置管理部８２０は、第８実施例に関して前述したものと同様に、前記第１の表示部２０Ａおよび第２の表示部２０Ｂに表示されている情報の位置を管理するものである。
【０２５５】
次に、重量配分制御部８２２について説明する。
【０２５６】
重量配分制御部８２２は、前記位置管理部８２０で管理されている位置に基づき、前記第１の表示部２０Ａおよび第２の表示部２０Ｂの重量配分を制御するものである。これは、具体的には、前記第１の表示部２０Ａ、第２の表示部２０Ｂの両方に渡って移動可能な球状のおもりを用意し、これの位置を制御することで、前記第１の表示部２０Ａ、第２の表示部２０Ｂにおける重量配分を変更する。なお、重量配分の変更方法はあくまでも一手法であり、これに限定されるものではない。
【０２５７】
以上で説明した重量配分の変更により、前記第１の表示部２０Ａの側を、第２の表示部２０Ｂの側よりも何％重くするなどといった制御が可能となる。
【０２５８】
図４９に示したように、実際の書籍を読んでいる状況を考える。この際、書籍を読み始めた初期の段階では、あるいは、書籍の比較的始めの方にある文章を読んでいる際には、図４９（ａ）に示すように、左側ページの方がページ数が少ないため軽く、右側ページの方が重い。
【０２５９】
逆に、書籍の文書を読み進めていくと、あるいは書籍の終わりの方にある文章を参照すると、左側ページの方が軽くなってゆき、右側ページの方が重くなっていく（図４９（ｂ）参照）。このように、書籍を読んでいる際に、読者は、その重量配分を知らず知らずのうちに感じている。小説を読む場合、読み進めていくことによって、ページ数が減っていくという視覚的な情報だけでなく、ページ数の減少に伴う重量の軽減を感覚的に感じている訳である。また、辞書などの任意の情報にアクセスする際に、その左右の重量配分を直感的に感じて、「確か、もっと左ページが重かったはず」といったことを無意識に行っていると考えられる。
【０２６０】
このように、書籍の重量変化も、使用者２００に情報に直感的にアクセスするための重要な情報の一つと考えられる。本実施例における表示入力システムは、この重量変化の感覚を使用者２００に直感的に与えるものである。以上で説明した本実施例における表示入力システムによれば、使用者２００は、情報の提示位置によって機器から与えられる前記第１および第２の表示手段の重量配分の変化によって、使用者２００が現在アクセスしている情報の位置を直感的に知ることができる。
【０２６１】
（第９の実施例の変形例）
第９の実施例では、本の見開きの２ページのように左右に配置された第１の表示部２０５と、第２の表示部２０６とから構成されるとした。これを第５実施例に関して説明したような表示部２０の１つのみから構成されるように変更することもできる。
【０２６２】
図５０は、本変型例の表示入力システムにおける表示部５０を例示する平面図である。
【０２６３】
この場合、前記表示部２０の表示領域を２分割し、前記第１の表示部２０Ａと、第２の表示部２０Ｂにそれぞれ分割されて表示されている２ページ分の情報を、前記表示部２０内に全て表示するようにすればよい。そして、前記重量配分制御部８２２によって、前記表示部２０内の重量配分を変更するように制御するようにすればよい。
【０２６４】
（第１０の実施例）
次に、本発明の第１０の実施例について説明する。
【０２６５】
図５１は、本実施例にかかる表示入力システムの全体構成を表す概念図である。
【０２６６】
また、図５２〜図５４は、その使用状態を表す模式図である。
【０２６７】
すなわち、本実施例の表示入力装置１０も、表示部２０と、形状変化検出部３０と、を有する。ただし、形状変化検出部３０は、表示部２０の全面をカバーしている訳ではなく、表示部２０よりも下側に選択的に設けられている。この形状変化検出部３０は、表示入力装置１０に加えられた「曲げ」を検出して表示を切り替える役割を有する。
【０２６８】
またさらに、第１及び第２のデータ入力部５０Ａ、５０Ｂを有する。第１のデータ入力部５０Ａは、表示切り替え機能のＯＮ／ＯＦＦを制御するために用いられる。また、第２データ入力部５０Ｂは、表示切り替え後に状態を選択するために用いられる。
【０２６９】
本実施例の表示入力システムは、例えば、Ａ４サイズ程度の縦置き書面が一目で見られるサイズを有する。そして、使用者２００は、表示入力装置１０の下側の中央部を挟んで支えながら、親指でボタンを操作するよう設計されている。図５１、図５２には表されていないが、この表示入力装置１０も、制御部１２や記憶部５００、通信部６００などを必要に応じて有する。第１及び第２のデータ入力部５０Ａ、５０Ｂは、その使い勝手に応じて、上下左右方向に適宜移動させて設けてもよい。
【０２７０】
そして、使用者２００は、第１のデータ入力部５０Ａを押しながら、図５２Ａ、図５２Ｂ、図５２Ａの順に変型させ、表示入力装置１０を一時的に曲げる。この「曲げ」は、形状変化検出部３０により検出される。すると、表示部２０の表示が、図５３Ａ〜図５３Ｄに表したいずれかの表示に切り替わる。例えば、図５２Ａは選択肢Ａがアクティブになった状態、図５２Ｂは選択肢Ｂがアクティブになった状態をそれぞれ表す。図５２Ａ及び図５２Ｂに表したように、「曲げ」を一回加えて元に戻す操作によって、アクティブな選択肢が切り替わるようにすることができる。なお、図５２においては、簡単のために４つの選択肢Ａ〜Ｄが用意された場合を例示したが、選択肢の数や配置、アクティブ時の表示体裁は種々変えることができる。
【０２７１】
図５２に表したように一時的に「曲げ」を加える操作の繰り返すことにより、メニューをスクロールさせ、所望の選択肢をアクティブにした後、図５４に表したように、第２のデータ入力部５０Ｂを押すことによりアクティブにされている選択肢を選択する。以上の操作は、全て片手で行うことが可能である。また、多段階に選択することにより、階層型メニューにも対応可能である。
【０２７２】
本実施例によれば、第１のデータ入力部５０Ａを押している間だけ、「曲げ」による入力が可能となるので、誤操作を回避できる。またさらに、第２のデータ入力部５０Ｂを押すことによって、アクティブな選択肢を選択することができる。
【０２７３】
つまり、メニュースクロール時はボタン位置を気にせずにおおまかな感覚で操作でき、選択肢を決定する時のみ意識付けされるため、簡便ながら正確な操作を促すユーザインタフェースを提供できる。
また、図５２Ｂに表したように「曲げ」を加えた後に、図５２Ａに表したように、フラットに戻した状態において、装置全体が軽く曲がってもよい。特に、図５２Ｂに例示したように、表示部２０の長軸の周りに曲げ変形を軽く加えておくと、これとは垂直な方向の（長軸に沿った）曲げ変形が抑制される。このため、第１及び第２のデータ入力部５０Ａ、５０Ｂを押す際などに動作が安定する。
【０２７４】
（第１１の実施例）
次に、本発明の第１１の実施例について説明する。
【０２７５】
図５５は、本発明に係る別の表示入力システムを表す模式図である。
【０２７６】
また、図５６〜図５８は、その操作手順を表す概念図である。
【０２７７】
すなわち、本実施例の表示入力装置１０も、第１０実施例のものと類似した構造を有する。しかし、第２のデータ入力部５０Ｂとして、タッチパネルが設けられている。すなわち、タッチパネル５０Ｂは、表示部２０の上に積層され、アクティブにされた選択肢を決定するために用いることができる。
【０２７８】
本実施例おいても、第１のデータ入力部５０Ａを押しながら、片手保持状態で図５６に表したように「曲げ」を加える。すると、「曲げ」を加えたたびに、選択肢Ａ〜Ｄのいずれかが順にアクティブになる。例えば、図５７Ａは、選択肢Ａがアクティブにされた状態を表し、図５７Ｂは、選択肢Ｂがアクティブにされた状態を表す。
【０２７９】
このように、表示入力装置１０を一時的に曲げる操作を繰り返すことにより、メニューバー上の選択肢Ａ〜Ｄをスクロールする。そして、所望の選択肢をアクティブにした後、図５８に表したように、指示手段２１０によって、その選択肢の中の小項目を選択する。この時に、タッチパネル５０Ｂに入力する。ここでの、指示手段２１０はペン型スタイラスには限定されず、直接指で触れてもよい。また、タッチパネルの代わりに、視線検知方式により入力してもよい。
【０２８０】
一連の操作の大部分は片手でできるため、揺れの激しい電車やバスなどの車両内での使用時等、常に両手があかない環境下での操作性が向上する。
【０２８１】
（第１２の実施例）
次に、本発明の第１２の実施例について説明する。
【０２８２】
図５９は、本実施例に係る表示入力システムを表す模式図である。
【０２８３】
また、図６０は、その操作手順を表す概念図である。
【０２８４】
本実施例の表示入力装置１０は、掌に収まるサイズで、形状変化検出部３０と、ジョグホイール式のデータ入力部５０とが設けられている。データ入力部５０は、曲げ検知のＯＮ／ＯＦＦ切り替えと、選択ボタンとを兼ねる。すなわち、データ入力部５０を押している間は、曲げ入力機能がＯＮにされる。また、データ入力部５０を押すことにより、アクティブな選択肢を選択することもできる。また一方、データ入力部５０のホイールを回転させることで、選択項目や表示画面のスクロールを行うことができる。
【０２８５】
図面には、左の掌で挟んで支持しながら、親指でジョグホイール状のデータ入力部５０を操作する場合を例示したが、これとは逆に、右掌の上で操作できるようにしてもよい。
【０２８６】
本実施例の表示入力装置１０を操作する場合、使用者２００は、データ入力部５０を押しながら、片手保持状態で、図６０Ａ→図６０Ｂ→図６０Ａの如く、表示入力装置１０を一時的に曲げることで、メニュー表示に切り替える。
【０２８７】
その後、データ入力部５０のホイールを回転させることにより、選択肢のいずれかをアクティブにする。しかる後に、データ入力部５０を再び押すことにより、アクティブにされている選択肢を選択することができる。
【０２８８】
（第１３の実施例）
次に、本発明の第１３の実施例について説明する。
【０２８９】
図６１は、本実施例に係る表示入力システムを表す模式図である。
【０２９０】
また、図６２及び図６３は、その操作手順を表す概念図である。
【０２９１】
本実施例の表示入力装置１０も、第１２実施例と同様に、掌に収まるサイズの装置である。そして、第１のデータ入力部５０Ａが装置の脇に設けられ、第２のデータ入力部５０Ｂは装置の背面に設けられている。
【０２９２】
第１のデータ入力部５０Ａは、「曲げ」検知機能のＯＮ／ＯＦＦスイッチである。また、第２のデータ入力部５０Ｂは、最終的な状態を選択するためのボタン式スイッチである。これらは、それぞれ別の指で押して操作できる。
【０２９３】
なお、第２のデータ入力部５０Ｂは、単なる押圧ボタンではなく、押圧方向に指向性のあるボタン、ジョグダイヤル、ジョグホイールやトラッキングパッド等で構成してもよい。
【０２９４】
使用者２００は、第１のデータ入力部５０Ａを押しながら、片手保持状態で、図６２に表したように、表示入力装置１０に一時的な「曲げ」を加えることにより、表示部２０の表示を切り替えることができる。例えば、「曲げ」を加えるたびに、図６３に表したような選択肢Ａ〜Ｄが順にアクティブにされる。なお、図６３は、選択肢Ｂがアクティブにされた状態を例示する。
【０２９５】
この状態において、第２のデータ入力部５０Ｂを押すことにより、アクティブな選択肢を選択することができる。
【０２９６】
（第１４の実施例）
次に、本発明の第１４の実施例について説明する。
【０２９７】
図６４は、本実施例に係る表示入力システムを表す模式図である。本実施例の表示入力装置１０は、その上端の両側に姿勢変化検出部４０を有する。この表示入力装置１０は、例えば、多ページにわたる書籍コンテンツを高速に閲覧できる電子ビューアーとして用いることができる。表示部２０の下には、第１のデータ入力部５０Ａと第２のデータ入力部５０Ｂが設けられている。また、その内部には、形状変化検出部３０が設けられている。
【０２９８】
使用者２００は、例えば、第１のデータ入力部５０Ａを押しながら、図６４Ｂに例示した如く表示入力装置１０に一時的な「曲げ」を加えることで、ページめくり操作を実行できる。
【０２９９】
また、このように、第１のデータ入力部５０Ａを押しながら「曲げ」を加えた状態において、図６５Ａように全体を傾ける。すると、姿勢変化検出部４０がこの傾斜を検出し、表示部２０において右から左へページがめくれる。
【０３００】
また、これとは逆に、図６５Ｂのように全体を傾けると、左から右へページがめくれる。
【０３０１】
姿勢変化検出部４０は、傾斜の絶対値を検出してもよいし、また、傾斜の速度または加速度を検出するようにしてもよい。また、姿勢変化検出部４０は、ひとつのみ設けてもよい。但し、姿勢変化検出部４０として加速度センサなどを用いる場合、装置１０の左右にそれぞれ設けることによって、左右方向の傾斜を高い感度で検出することが可能となる。
【０３０２】
姿勢変化検出部４０から得られる検出信号のレベルに応じて、閾値未満（ページめくり停止）から上限値超の高速ページめくりモードまで、段階的な操作が可能である。また、高速ページめくりモードから瞬時に停止状態へ遷移できるよう、第１のデータ入力部５０Ａのボタンを離すと強制的にページめくりを停止するようにしてもよい。
【０３０３】
また、第２のデータ入力部５０Ｂを用いて、コンテンツ入れ替え等の操作選択を行うことができる。
【０３０４】
（第１５の実施例）
次に、本発明の第１５の実施例について説明する。
【０３０５】
図６６は、本実施例に係る表示入力システムを表す模式図である。本実施例の表示入力装置１０は、第１４実施例における姿勢変化検出部４０の位置を変えたものである。
【０３０６】
すなわち、本実施例においては、図６７に表したように、装置１０を前後に傾斜させることで上下方向のページめくり（日めくりカレンダーで行うのに類似の操作）を行えるようにした。その他の操作方法は、第１４の実施例などと概略同様とすることができる。
【０３０７】
また、本実施例においても、姿勢変化検出部４０は、傾斜の絶対値を検出してもよいし、また、傾斜の速度または加速度を検出するようにしてもよい。また、姿勢変化検出部４０は、ひとつのみ設けてもよい。但し、姿勢変化検出部４０として加速度センサなどを用いる場合、装置１０の上下にそれぞれ設けることによって、上下方向の傾斜を高い感度で検出することが可能となる。
【０３０８】
以上、具体例を参照しつつ本発明の実施の形態について説明した。しかし、本発明は、上述した各具体例に限定されるものではない。
【０３０９】
例えば、本発明において用いる表示部２０、形状変化検出部３０の構造は、前述した具体例には限定されず、その各要素の形状、材料、寸法、導電型などに関しては、当業者が適宜設計変更したものも、本発明の特徴を有する限り本発明の範囲に包含される。
【０３１０】
例えば、本発明において用いる半導体層は、アモルファスシリコンすなわち非結晶性のシリコンにより形成することもできる。
【０３１１】
また、本発明における表示部２０として用いることができるものは、前述の如く液晶表示装置以外にも、ＥＬをはじめとする各種の自発光タイプの表示装置やその他、柔軟性を与えることが可能な各種の表示装置を挙げることができる。
【０３１２】
また、本発明において用いるタッチパネルについても、上述した具体例には限定されず、当業者が適宜選択しうるあらゆる構造のタッチパネルを同様に用いることができる。
【０３１３】
以上の各実施形態やその変形例は、適宜組み合わせて実施することが可能である。また、上記の各実施形態では、表示部を有する表示入力装置または表示入力システムの例として説明したが、これらは表示内容の制御に止まらず、システム自体のＯＮ／ＯＦＦ等の操作をも含むものであり、これらは新規なマンマシン・インタフェース装置としての応用が可能である。
【０３１４】
本願発明の実施形態で使用された各種処理をコンピュータで実行可能なプログラムで実現し、このプログラムをコンピュータで読みとり可能な記憶媒体に記憶して提供することも可能である。
【０３１５】
なお、本願発明における記憶部としては、磁気ディスク、フロッピーディスク、ハードディスク、光ディスク（ＣＤ−ＲＯＭ、ＣＤ−Ｒ、ＤＶＤ等）、光磁気ディスク（ＭＯ等）、半導体メモリ等、プログラムを記憶でき、かつコンピュータまたは組み込みシステムが読みとり可能な記憶部であれば、その記憶形式は何れの形態であってもよい。
【０３１６】
また、記憶部からコンピュータや組み込みシステムにインストールされたプログラムの指示に基づきコンピュータ上で稼働しているＯＳ（オペレーションシステム）や、データベース管理ソフト、ネットワーク等のＭＷ（ミドルウェア）等が本実施例を実現するための各処理の一部を実行してもよい。
【０３１７】
さらに、本願発明における記憶部は、コンピュータあるいは組み込みシステムと独立した媒体に限らず、ＬＡＮやインターネット等により伝達されたプログラムをダウンロードして記憶または一時記憶した記憶部も含まれる。
【０３１８】
また、記憶部は１つに限られず、複数の記憶部から本実施例における処理が実行される場合も、本実施例における記憶部に含まれ、媒体の構成は何れの構成であってもよい。
【０３１９】
なお、本願発明におけるコンピュータまたは組み込みシステムは、記憶部に記憶されたプログラムに基づき、本実施例における各処理を実行するためのものであって、パソコン、マイコン等の１つからなる装置、複数の装置がネットワーク接続されたシステム等の何れの構成であってもよい。
【０３２０】
また、本願発明におけるコンピュータとは、パソコンに限らず、情報処理機器に含まれる演算処理装置、マイコン等も含み、プログラムによって本願発明の機能を実現することが可能な機器、装置を総称している。
【０３２１】
なお、本発明は、上記実施形態に限定されるものではなく、実施段階ではその要旨を逸脱しない範囲で種々に変形することが可能である。さらに、上記実施形態には種々の段階の発明は含まれており、開示される複数の構成要件における適宜な組み合わせにより、種々の発明が抽出され得る。例えば、実施形態に示される全構成要件からいくつかの構成要件が削除されても、発明が解決しようとする課題の欄で述べた課題（の少なくとも１つ）が解決でき、発明の効果の欄で述べられている効果（の少なくとも１つ）が得られる場合には、この構成要件が削除された構成が発明として抽出され得る。
【０３２２】
すなわち、本発明は各具体例に限定されるものではなく、その要旨を逸脱しない範囲で、種々変形して実施することが可能であり、これらすべては本発明の範囲に包含される。
【０３２３】
【発明の効果】
以上詳述したように、本発明によれば、従来とは全く異なる発想に基づき、アナログ的なデータの入力を簡単且つ直感的な操作によって行うことができる表示入力装置、表示入力システム及びその制御方法並びにマンマシン・インタフェース装置を提供することができ、産業上のメリットは多大である。
【図面の簡単な説明】
【図１】本発明の表示入力システムを表す概念図である。
【図２】本発明の表示入力装置の基本的な断面構成を例示する模式図である。
【図３】本発明においてアナログ的に入力する原理を表す模式図である。
【図４】「曲げ」の速度を変えた場合を表す模式図である。
【図５】本発明において「曲げ」の方向により入力を区別する原理を表す模式図である。
【図６】形状変化検出部３０の構造を例示する概念図である。
【図７】抵抗性材料を用いた感知層３５の作用を説明する模式図である。
【図８】図７に表したセルの応答特性を例示するグラフである。
【図９】形状変化検出部３０に「曲げ」が加えられた状態を説明する概念図である。
【図１０】形状変化検出部３０の回路構成を例示する模式図である。
【図１１】形状変化検出部３０の別の回路構成を例示する模式図である。
【図１２】形状変化検出部３０の別の構成を表す模式図である。
【図１３】形状変化検出部３０を分割して設けた表示入力装置を表す模式図である。
【図１４】形状変化検出部３０を分割して設けた表示入力装置を表す模式図である。
【図１５】複数の形状変化検出部が積層された表示入力装置を例示する模式図である。
【図１６】アナログ信号出力１、２を取り出す実施形態を表す模式図である。
【図１７】アナログ信号出力１、２を処理部ＳＰにおいて信号処理し、アナログ出力とデジタル出力とを得る実施形態を表す模式図である。
【図１８】積層型の表示入力装置の変型例を表す模式図である。
【図１９】アナログ信号出力１、２を処理して、アナログ出力とデジタル出力を得る実施形態を表す模式図である。
【図２０】タッチパネルと組み合わせた本発明の表示入力装置を表す模式図である。
【図２１】タッチパネルと形状変化検出部からの出力をそれぞれ別々に利用する実施形態に表す模式図である。
【図２２】タッチパネル５０からのデジタル出力と形状変化検出部３０からのアナログ出力１とを処理して、アナログ出力２を得る実施形態を表す模式図である。
【図２３】本発明の実施例において用いた液晶表示装置の製造工程の要部を表す工程断面図である。
【図２４】本発明の実施例において用いた液晶表示装置の製造工程の要部を表す工程断面図である。
【図２５】本発明の実施例において用いた液晶表示装置の製造工程の要部を表す工程断面図である。
【図２６】本発明の実施例の表示入力装置の断面構造を表す模式図である。
【図２７】本発明の実施例の表示入力装置の要部の平面配置関係を表す模式図である。
【図２８】本発明の第５の実施例に係る表示入力システムの構成例を概略的に示すブロック図である。
【図２９】本発明の第５の実施例に係る表示入力システムのイメージを説明するための外観図である。
【図３０】表示部の形状変化を説明するための図である。
【図３１】表示部の形状変化を説明するための図である。
【図３２】表示部の形状変化を説明するための図である。
【図３３】表示部の形状変化を説明するための図である。
【図３４】手書き入力について説明するための図である。
【図３５】表示部の姿勢変化を説明するための図である。
【図３６】本発明の第５の実施例の変形例に係る表示入力システムの構成例を概略的に示すブロック図である。
【図３７】本発明の第６の実施例に係る表示入力システムの構成例を概略的に示すブロック図である。
【図３８】めくり動作を説明するための図である。
【図３９】本発明の第７の実施例に係る表示入力システムの構成例を概略的に示すブロック図である。
【図４０】本発明の第７の実施例に係る表示入力システムのイメージを説明するための外観図である。
【図４１】単語帳での動作を説明するための図である。
【図４２】本発明の第８の実施例に係る表示入力システムの構成例を概略的に示すブロック図である。
【図４３】位置提示部について説明するための外観図である。
【図４４】書籍のページめくり動作を説明するための図である。
【図４５】手の指でのページめくり動作を説明するための図である。
【図４６】フィードバックの方法を説明するための図である。
【図４７】本発明の第９の実施例に係る表示入力システムの構成例を概略的に示すブロック図である。
【図４８】本発明の第９の実施例に係る表示入力システムの外観の概略図である。
【図４９】書籍における重量配分変化を説明するための図である。
【図５０】本発明の第９の実施例の変型例に係る表示入力システムの外観の概略図である。
【図５１】本発明の第１０の実施例にかかる表示入力システムの全体構成を表す概念図である。
【図５２】本発明の第１０の実施例にかかる表示入力システムの使用状態を表す模式図である。
【図５３】本発明の第１０の実施例にかかる表示入力システムの使用状態を表す模式図である。
【図５４】本発明の第１０の実施例にかかる表示入力システムの使用状態を表す模式図である。
【図５５】本発明の第１１の実施例にかかる表示入力システムを表す模式図である。
【図５６】本発明の第１１の実施例にかかる表示入力システムの操作手順を表す概念図である。
【図５７】本発明の第１１の実施例にかかる表示入力システムの操作手順を表す概念図である。
【図５８】本発明の第１１の実施例にかかる表示入力システムの操作手順を表す概念図である。
【図５９】本発明の第１２の実施例にかかる表示入力システムを表す模式図である。
【図６０】本発明の第１２の実施例にかかる表示入力システムの操作手順を表す概念図である。
【図６１】本発明の第１３の実施例にかかる表示入力システムを表す模式図である。
【図６２】本発明の第１３の実施例にかかる表示入力システムの操作手順を表す概念図である。
【図６３】本発明の第１３の実施例にかかる表示入力システムの操作手順を表す概念図である。
【図６４】本発明の第１４の実施例にかかる表示入力システムを表す模式図である。
【図６５】本発明の第１４の実施例にかかる表示入力システムの操作手順を表す概念図である。
【図６６】本発明の第１５の実施例にかかる表示入力システムを表す模式図である。
【図６７】本発明の第１５の実施例にかかる表示入力システムの操作手順を表す概念図である。
【符号の説明】
１０　表示入力装置
１２　制御判定部
２０、２０Ａ、２０Ｂ　表示部
３０　形状変化入力部
３０Ａ　形状変化検出部
３３　電極
３３Ｓ　走査回路
３５　感知層
４０　姿勢変化検出部
５０　データ入力部
５１　ガラス基板
５２　シリコン窒化膜
５３　島構造
５４、５５　絶縁膜
５６　層間絶縁膜
５７　ソース電極
５８　ドレイン電極
６１　仮着層
６２　樹脂シート
６３　仮着層
６４　接着層
６５　支持基板
７０　対向基板
７１　電極
７２　層
７３　電極
７４　層間絶縁膜
７５　対向電極
７６　液晶層
７７　薄膜トランジスタ
７８　画素電極
７９　支持基板
１０００　外部連携機器
１２０　表示駆動部
１３０　信号判定部
２００　ユーザ
２０５、２０６　表示部
２１０　指示手段
３００　幾何変化検出部
４００　フレックス補助部
５００　記憶部
６００　通信部
７００　位置変化検出部
７１０　リング
８０２　位置管理部
８０２　前記位置管理部
８０４　位置提示部
８０６　フィードバック部
８２０　位置管理部
８２２　重量配分制御部
９００　回路部
ＳＰ　処理部
ＵＶ　紫外線光
Ｖ　電圧源